(57)【要約】  本願は、ランダムアクセス設定方法及び装置、ランダムアクセス方法及び装置、基地局、ユーザ装置並びにコンピュータ可読記憶媒体に関する。ランダムアクセス設定方法は、複数の同期信号ブロック（ＳＳＢ）をグループ化し、各ＳＳＢグループから、１つのプライマリＳＳＢを選択することと、ユーザ装置（ＵＥ）に指示情報を送信することであって、前記指示情報は、送信待ちのＳＳＢグループ内のプライマリＳＳＢを示すためのものである、ことと、ＵＥに各送信待ちのＳＳＢグループ内の多くとも１つのＳＳＢを送信することと、ＵＥに、各ランダムアクセス機会（ＲＯ）内のプリアンブル（ｐｒｅａｍｂｌｅ）に対応するＳＳＢ数量及び周波数分割多重（ＦＤＭ）でのＲＯ数量を送信することと、を含む。本実施例において、複数のＳＳＢをグループ化し、ＵＥに、各送信待ちのＳＳＢグループ内の多くとも１つのＳＳＢを送信することで、ＳＳＢグループ内のＳＳＢを一つ分のＲＯリソースに対応させ、つまり、各ＳＳＢに対応するＲＯリソースの数を向上させ、ＲＯリソースの利用率を向上させ、ＵＥのランダムアクセスの成功率を向上させる。
2021531686.tif 000002
【特許請求の範囲】
【請求項１】
ランダムアクセス設定方法であって、基地局に適用され、
複数の同期信号ブロック（ＳＳＢ）をグループ化し、各ＳＳＢグループから、１つのプライマリＳＳＢを選択することと、
ユーザ装置（ＵＥ）に指示情報を送信することであって、前記指示情報は、送信待ちのＳＳＢグループ内のプライマリＳＳＢを示すためのものである、ことと、
前記ＵＥに各送信待ちのＳＳＢグループ内の多くとも１つのＳＳＢを送信することと、
前記ＵＥに、各ランダムアクセス機会（ＲＯ）内のプリアンブル（ｐｒｅａｍｂｌｅ）に対応するＳＳＢ数量及び周波数分割多重（ＦＤＭ）でのＲＯ数量を送信することと、を含む、ランダムアクセス設定方法。
【請求項２】
前記方法は、
複数の同期信号ブロック（ＳＳＢ）をグループ化し、各ＳＳＢグループから、１つのプライマリＳＳＢを選択する前に、グループ化ルール及びプライマリＳＳＢ選択ルールをデフォルト設定すること、又は、
グループ化ルール及びプライマリＳＳＢ選択ルールを決定し、ＵＥに前記グループ化ルール及び前記プライマリＳＳＢ選択ルールを送信することを更に含むことを特徴とする
請求項１に記載の方法。
【請求項３】
前記方法は、
複数の同期信号ブロック（ＳＳＢ）をグループ化する前に、前記複数のＳＳＢから、少なくとも１つのＳＳＢを選択してターゲットＳＳＢとし、各ターゲットＳＳＢの複数の送信可能位置を得ることを更に含むことを特徴とする
請求項１に記載の方法。
【請求項４】
各ターゲットＳＳＢの複数の送信可能位置を得ることは、
各ターゲットＳＳＢインデックスを決定するための設定信号の所在位置に基づいて、前記各ターゲットＳＳＢに含まれる、前記設定信号以外の他の信号に対して、シンボルレベルの循環シフトを行い、前記各ターゲットＳＳＢの複数の送信可能位置を得ることであって、前記設定信号の、前記複数の送信可能位置における位置と前記ターゲットＳＳＢにおける位置は、同じである、ことを含み、
複数のＳＳＢをグループ化することは、
前記各ターゲットＳＳＢ及び循環シフトした後に得られた複数の送信可能位置に対応する複数のＳＳＢを１グループとすることを含むことを特徴とする
請求項３に記載の方法。
【請求項５】
各ターゲットＳＳＢの複数の送信可能位置を得ることは、
各ターゲットＳＳＢの位置に基づいて、前記各ターゲットＳＳＢに含まれる信号を全体シフトし、前記各ターゲットＳＳＢの複数の送信可能位置を得ることを含み、
複数のＳＳＢをグループ化することは、
前記各ターゲットＳＳＢ及び全体シフトした後に得られた複数の送信可能位置に対応する複数のＳＳＢを１グループとすることを含むことを特徴とする
請求項３に記載の方法。
【請求項６】
前記ＵＥに、各送信待ちのＳＳＢグループ内の多くとも１つのＳＳＢを送信することは、
前記各送信待ちのＳＳＢグループ内の一番目のＳＳＢを現在のＳＳＢとすることと、
前記現在のＳＳＢの送信位置の前にチャネル検出を行うことと、
チャネルがアイドルであれば、前記現在のＳＳＢを送信することと、
チャネルがビジーであれば、前記現在のＳＳＢの次のＳＳＢを現在のＳＳＢとし、前記現在のＳＳＢの送信位置の前のチャネル検出を引き続き実行し、１つのＳＳＢの送信に成功するまで継続するか、又は送信待ちのＳＳＢグループ内の全てのＳＳＢの送信位置の前のチャネルがいずれもビジーであることを検出するまで継続することと、を含むことを特徴とする
請求項１に記載の方法。
【請求項７】
前記グループ化ルールは、ビーム数、前記複数のＳＳＢの数量、前記複数のＳＳＢの時間領域位置分布情報、ウィンドウサイズ及びチャネル条件のうちの１つ又は複数を含むことを特徴とする
請求項２に記載の方法。
【請求項８】
ランダムアクセス方法であって、ユーザ装置（ＵＥ）に適用され、
基地局から送信された同期信号ブロック（ＳＳＢ）を受信して検出することと、
検出されたＳＳＢに対応するＳＳＢグループ内のプライマリＳＳＢを決定することと、
前記基地局から送信された指示情報を受信し、前記指示情報に基づいて、前記基地局の送信待ちのＳＳＢを決定することと、
前記基地局から送信された各ランダムアクセス機会（ＲＯ）内のプリアンブル（ｐｒｅａｍｂｌｅ）に対応するＳＳＢ数量及び周波数分割多重（ＦＤＭ）でのＲＯ数量を受信し、前記基地局の送信待ちのＳＳＢ、前記プライマリＳＳＢの前記基地局の送信待ちのＳＳＢにおける位置、各ＲＯ内のｐｒｅａｍｂｌｅに対応するＳＳＢ数量及びＦＤＭでのＲＯ数量に基づいて、前記プライマリＳＳＢに対応するＲＯ及びｐｒｅａｍｂｌｅを決定することと、
決定されたＲＯで、前記基地局に、対応するｐｒｅａｍｂｌｅを送信し、基地局へのランダムアクセスを実現することと、を含む、ランダムアクセス方法。
【請求項９】
基地局から送信されたＳＳＢを受信して検出することは、
基地局から送信されたＳＳＢを受信することと、
前記ＳＳＢにおける、ＳＳＢインデックスを決定するための設定信号に対して検出を行い、前記設定信号の所在位置を得ることと、
前記設定信号の所在位置に基づいて、所定時間区間の信号集合を取得することと、
前記信号集合に基づいて、前記ＳＳＢに属する位置情報を決定することと、
前記位置情報に基づいて、前記ＳＳＢのインデックスを決定することと、を含むことを特徴とする
請求項８に記載の方法。
【請求項１０】
基地局から送信されたＳＳＢを受信して検出することは、
基地局から送信された前記ＳＳＢを受信することと、
前記ＳＳＢにおけるターゲット信号に対して検出を行い、前記ＳＳＢにおける全ての信号を得ることと、
前記ＳＳＢにおける全ての信号を復調し、前記ＳＳＢに対応するＳＳＢインデックスを得ることと、含むことを特徴とする
請求項８に記載の方法。
【請求項１１】
検出されたＳＳＢに対応するＳＳＢグループ内のプライマリＳＳＢを決定することは、
グループ化ルールに基づいて、検出されたＳＳＢに対応するＳＳＢグループを決定することと、
プライマリＳＳＢ選択ルールに基づいて、前記ＳＳＢグループ内のプライマリＳＳＢを決定することと、を含むことを特徴とする
請求項８に記載の方法。
【請求項１２】
前記方法は、
前記グループ化ルール及び前記プライマリＳＳＢ選択ルールをデフォルト設定すること、又は、
基地局から送信された前記グループ化ルール及び前記プライマリＳＳＢ選択ルールを受信することを更に含むことを特徴とする
請求項１１に記載の方法。
【請求項１３】
前記設定信号の所在位置に基づいて、所定時間区間の信号集合を取得することは、
前記設定信号が所在するシンボルの前又は後ろのシンボルを現在のシンボルとして決定することと、
前記設定信号及び現在のシンボル上の信号がＳＳＢの内容とマッチングするかどうかを判定することであって、前記ＳＳＢの内容は、循環シフト前のＳＳＢの内容及び循環シフト後のＳＳＢの内容を含む、ことと、
マッチングすれば、前記現在のシンボル上の信号を前記信号集合に追加し、前記現在のシンボルの総数を統計し、前記総数が第１所定数量に達していない場合、前記現在のシンボル及びその前のシンボル又は前記現在のシンボル及びその後ろのシンボルを前記現在のシンボルとし、現在のシンボル上の信号及び前記設定信号がＳＳＢの内容とマッチングするかどうかを判定するという操作を繰り返して実行し、前記総数が前記第１所定数量に達するまで継続することと、
マッチングしなければ、現在前記信号集合に追加されたシンボルの前のシンボルの検出、又は現在前記信号集合に追加されたシンボルの後ろのシンボルの検出を終止することと、を含むことを特徴とする
請求項９に記載の方法。
【請求項１４】
前記信号集合に基づいて、前記ＳＳＢに属する位置情報を決定することは、
前記信号集合における、前記設定信号の所在するシンボルを含む全ての連続した第２所定数量のシンボルにおける信号を、ＳＳＢの内容とマッチングを行うことであって、前記ＳＳＢの内容は、循環シフト前のＳＳＢの内容及び循環シフト後のＳＳＢの内容を含む、ことと、
マッチングに成功した、連続した第２所定数量のシンボルにおける信号の数が１つであれば、マッチングに成功した、連続した第２所定数量のシンボルを前記位置情報とすることと、
マッチングに成功した、連続した第２所定数量のシンボルにおける信号の数が複数であれば、前記信号集合の最後のシンボルから、連続した第２所定数量のシンボルずつを１グループとし、前記設定信号の所在するシンボルを含むグループに対応するシンボルを前記位置情報とすることと、を含むことを特徴とする
請求項１３に記載の方法。
【請求項１５】
前記ＳＳＢにおけるターゲット信号に対して検出を行い、前記ＳＳＢにおける全ての信号を得ることは、
前記ＳＳＢにおけるターゲット信号に対して検出を行い、前記ターゲット信号の所在位置を得ることと、
前記ターゲット信号の所在位置に基づいて、前記ＳＳＢにおける全ての信号を取得することと、を含むことを特徴とする
請求項１０に記載の方法。
【請求項１６】
ランダムアクセス設定装置であって、基地局に適用され、
複数の同期信号ブロック（ＳＳＢ）をグループ化し、各ＳＳＢグループから、１つのプライマリＳＳＢを選択するように構成されるグループ化選択モジュールと、
ユーザ装置（ＵＥ）に指示情報を送信するように構成される第１送信モジュールであって、前記指示情報は、前記グループ化選択モジュールにより選択された送信待ちのＳＳＢグループ内のプライマリＳＳＢを示すためのものである、第１送信モジュールと、
前記ＵＥに各送信待ちのＳＳＢグループ内の多くとも１つのＳＳＢを送信するように構成される第２送信モジュールと、
前記ＵＥに、各ランダムアクセス機会（ＲＯ）内のプリアンブル（ｐｒｅａｍｂｌｅ）に対応するＳＳＢ数量及び周波数分割多重（ＦＤＭ）でのＲＯ数量を送信するように構成される第３送信モジュールと、を備える、ランダムアクセス設定装置。
【請求項１７】
前記装置は、
前記グループ化選択モジュールが複数の同期信号ブロック（ＳＳＢ）をグループ化し、各ＳＳＢグループから、１つのプライマリＳＳＢを選択する前に、グループ化ルール及びプライマリＳＳＢ選択ルールをデフォルト設定するように構成されるデフォルト設定モジュール、又は、
前記グループ化選択モジュールが複数の同期信号ブロック（ＳＳＢ）をグループ化し、各ＳＳＢグループから、１つのプライマリＳＳＢを選択する前に、グループ化ルール及びプライマリＳＳＢ選択ルールを決定し、ＵＥに前記グループ化ルール及び前記プライマリＳＳＢ選択ルールを送信するように構成される決定送信モジュールを更に備えることを特徴とする
請求項１６に記載の装置。
【請求項１８】
前記装置は、
前記グループ化選択モジュールが複数の同期信号ブロック（ＳＳＢ）をグループ化する前に、前記複数のＳＳＢから、少なくとも１つのＳＳＢを選択してターゲットＳＳＢとし、各ターゲットＳＳＢの複数の送信可能位置を得るように構成される選択取得モジュールを更に備えることを特徴とする
請求項１６に記載の装置。
【請求項１９】
前記選択取得モジュールは、
各ターゲットＳＳＢインデックスを決定するための設定信号の所在位置に基づいて、前記各ターゲットＳＳＢに含まれる、前記設定信号以外の他の信号に対して、シンボルレベルの循環シフトを行い、前記各ターゲットＳＳＢの複数の送信可能位置を得るように構成され、前記設定信号の、前記複数の送信可能位置における位置と前記ターゲットＳＳＢにおける位置は、同じであり、
前記グループ化選択モジュールは、
前記各ターゲットＳＳＢ及び循環シフトした後に得られた複数の送信可能位置に対応する複数のＳＳＢを１グループとするように構成されることを特徴とする
請求項１８に記載の装置。
【請求項２０】
前記選択取得モジュールは、
各ターゲットＳＳＢの位置に基づいて、前記各ターゲットＳＳＢに含まれる信号を全体シフトし、前記各ターゲットＳＳＢの複数の送信可能位置を得るように構成され、
前記グループ化選択モジュールは、
前記各ターゲットＳＳＢ及び全体シフトした後に得られた複数の送信可能位置に対応する複数のＳＳＢを１グループとするように構成されることを特徴とする
請求項１８に記載の装置。
【請求項２１】
前記第２送信モジュールは、
前記各送信待ちのＳＳＢグループ内の一番目のＳＳＢを現在のＳＳＢとするように構成される決定サブモジュールと、
前記決定サブモジュールにより決定された前記現在のＳＳＢの送信位置の前にチャネル検出を行うように構成される検出サブモジュールと、
前記検出サブモジュールが、チャネルがアイドルであることを検出した場合、前記現在のＳＳＢを送信するように構成される送信サブモジュールと、
前記検出サブモジュールが、チャネルがビジーであることを検出した場合、前記現在のＳＳＢの次のＳＳＢを現在のＳＳＢとし、引き続き前記検出サブモジュールを呼び出して、前記現在のＳＳＢの送信位置の前のチャネル検出を実行し、１つのＳＳＢの送信に成功するまで継続するか、又は送信待ちのＳＳＢグループ内の全てのＳＳＢの送信位置の前のチャネルがいずれもビジーであることを検出するまで継続するように構成される処理サブモジュールと、を備えることを特徴とする
請求項１６に記載の装置。
【請求項２２】
前記グループ化ルールは、ビーム数、前記複数のＳＳＢの数量、前記複数のＳＳＢの時間領域位置分布情報、ウィンドウサイズ及びチャネル条件のうちの１つ又は複数を含むことを特徴とする
請求項１７に記載の装置。
【請求項２３】
ランダムアクセス装置であって、ユーザ装置（ＵＥ）に適用され、
基地局から送信された同期信号ブロック（ＳＳＢ）を受信して検出するように構成される受信検出モジュールと、
前記受信検出モジュールにより検出されたＳＳＢに対応するＳＳＢグループ内のプライマリＳＳＢを決定するように構成される決定モジュールと、
前記基地局から送信された指示情報を受信し、前記指示情報に基づいて、前記基地局の送信待ちのＳＳＢを決定するように構成される第１受信決定モジュールと、
前記基地局から送信された各ランダムアクセス機会（ＲＯ）内のプリアンブル（ｐｒｅａｍｂｌｅ）に対応するＳＳＢ数量及び周波数分割多重（ＦＤＭ）でのＲＯ数量を受信し、前記第１受信決定モジュールにより決定された前記基地局の送信待ちのＳＳＢ、前記決定モジュールにより決定された前記プライマリＳＳＢの前記基地局の送信待ちのＳＳＢにおける位置、各ＲＯ内のｐｒｅａｍｂｌｅに対応するＳＳＢ数量及びＦＤＭでのＲＯ数量に基づいて、前記プライマリＳＳＢに対応するＲＯ及びｐｒｅａｍｂｌｅを決定するように構成される第２受信決定モジュールと、
前記第２受信決定モジュールにより決定されたＲＯで、前記基地局に、対応するｐｒｅａｍｂｌｅを送信し、基地局へのランダムアクセスを実現するように構成されるアクセスモジュールと、を備える、ランダムアクセス装置。
【請求項２４】
前記受信検出モジュールは、
基地局から送信されたＳＳＢを受信するように構成される第１受信サブモジュールと、
前記第１受信サブモジュールにより受信された前記ＳＳＢにおける、ＳＳＢインデックスを決定するための設定信号に対して検出を行い、前記設定信号の所在位置を得るように構成される検出取得サブモジュールと、
前記検出取得サブモジュールにより取得された前記設定信号の所在位置に基づいて、所定時間区間の信号集合を取得するように構成される取得サブモジュールと、
前記取得サブモジュールにより取得された前記信号集合に基づいて、前記ＳＳＢに属する位置情報を決定するように構成される第１決定サブモジュールと、
前記第１決定サブモジュールにより決定された前記位置情報に基づいて、前記ＳＳＢのインデックスを決定するように構成される第２決定サブモジュールと、を備えることを特徴とする
請求項２３に記載の装置。
【請求項２５】
前記受信検出モジュールは、
基地局から送信された前記ＳＳＢを受信するように構成される第２受信サブモジュールと、
前記第２受信サブモジュールにより受信された前記ＳＳＢにおけるターゲット信号に対して検出を行い、前記ＳＳＢにおける全ての信号を得るように構成される検出サブモジュールと、
前記検出サブモジュールにより取得された前記ＳＳＢにおける全ての信号を復調し、前記ＳＳＢに対応するＳＳＢインデックスを得るように構成される復調モジュールと、を備えることを特徴とする
請求項２３に記載の装置。
【請求項２６】
前記決定モジュールは、
グループ化ルールに基づいて、検出されたＳＳＢに対応するＳＳＢグループを決定するように構成される第３決定サブモジュールと、
プライマリＳＳＢ選択ルールに基づいて、前記第３決定サブモジュールにより決定された前記ＳＳＢグループ内のプライマリＳＳＢを決定するように構成される第４決定サブモジュールと、を備えることを特徴とする
請求項２３に記載の装置。
【請求項２７】
前記装置は、
前記グループ化ルール及び前記プライマリＳＳＢ選択ルールをデフォルト設定するように構成されるデフォルト設定モジュール、又は、
基地局から送信された前記グループ化ルール及び前記プライマリＳＳＢ選択ルールを受信するように構成される受信モジュールを更に備えることを特徴とする
請求項２６に記載の装置。
【請求項２８】
前記取得サブモジュールは、
前記設定信号が所在するシンボルの前又は後ろのシンボルを現在のシンボルとして決定するように構成される決定ユニットと、
前記設定信号及び前記決定ユニットにより決定された現在のシンボル上の信号がＳＳＢの内容とマッチングするかどうかを判定するように構成されるマッチングユニットであって、前記ＳＳＢの内容は、循環シフト前のＳＳＢの内容及び循環シフト後のＳＳＢの内容を含む、マッチングユニットと、
前記マッチングユニットのマッチング結果が、マッチングしたことであれば、前記現在のシンボル上の信号を前記信号集合に追加し、前記現在のシンボルの総数を統計し、前記総数が第１所定数量に達していない場合、前記現在のシンボル及びその前のシンボル又は前記現在のシンボル及びその後ろのシンボルを前記現在のシンボルとし、前記マッチングユニットを繰り返して呼び出して、現在のシンボル上の信号及び前記設定信号がＳＳＢの内容とマッチングするかどうかを判定するという操作を実行し、前記総数が前記第１所定数量に達するまで継続するように構成される追加統計ユニットと、
前記マッチングユニットのマッチング結果が、マッチングしないことであれば、現在前記信号集合に追加されたシンボルの前のシンボルの検出、又は現在前記信号集合に追加されたシンボルの後ろのシンボルの検出を終止するように構成される検出終止ユニットと、を備えることを特徴とする
請求項２４に記載の装置。
【請求項２９】
前記第１決定サブモジュールは、
前記信号集合における、前記設定信号の所在するシンボルを含む全ての連続した第２所定数量のシンボルにおける信号を、ＳＳＢの内容とマッチングを行うように構成されるマッチングユニットであって、前記ＳＳＢの内容は、循環シフト前のＳＳＢの内容及び循環シフト後のＳＳＢの内容を含む、マッチングユニットと、
前記マッチングユニットによるマッチングに成功した、連続した第２所定数量のシンボルにおける信号の数が１つであれば、マッチングに成功した、連続した第２所定数量のシンボルを前記位置情報とするように構成される第１決定ユニットと、
前記マッチングユニットによるマッチングに成功した、連続した第２所定数量のシンボルにおける信号の数が複数であれば、前記信号集合の最後のシンボルから、連続した第２所定数量のシンボルずつを１グループとし、前記設定信号の所在するシンボルを含むグループに対応するシンボルを前記位置情報とするように構成される第２決定ユニットと、を備えることを特徴とする
請求項２８に記載の装置。
【請求項３０】
前記検出サブモジュールは、
前記ＳＳＢにおけるターゲット信号に対して検出を行い、前記ターゲット信号の所在位置を得るように構成される検出ユニットと、
前記検出ユニットにより得られた前記ターゲット信号の所在位置に基づいて、前記ＳＳＢにおける全ての信号を取得するように構成される取得ユニットと、を備えることを特徴とする
請求項２５に記載の装置。
【請求項３１】
基地局であって、
プロセッサと、
プロセッサによる実行可能な命令を記憶するためのメモリとを備え、
前記プロセッサは、
複数の同期信号ブロック（ＳＳＢ）をグループ化し、各ＳＳＢグループから、１つのプライマリＳＳＢを選択することと、
ユーザ装置（ＵＥ）に指示情報を送信することであって、前記指示情報は、送信待ちのＳＳＢグループ内のプライマリＳＳＢを示すためのものである、ことと、
前記ＵＥに各送信待ちのＳＳＢグループ内の多くとも１つのＳＳＢを送信することと、
前記ＵＥに、各ランダムアクセス機会（ＲＯ）内のプリアンブル（ｐｒｅａｍｂｌｅ）に対応するＳＳＢ数量及び周波数分割多重（ＦＤＭ）でのＲＯ数量を送信することと、を実行するように構成される、基地局。
【請求項３２】
ユーザ装置であって、
プロセッサと、
プロセッサによる実行可能な命令を記憶するためのメモリとを備え、
前記プロセッサは、
複数の同期信号ブロック（ＳＳＢ）をグループ化し、各ＳＳＢグループから、１つのプライマリＳＳＢを選択することと、
ユーザ装置（ＵＥ）に指示情報を送信することであって、前記指示情報は、送信待ちのＳＳＢグループ内のプライマリＳＳＢを示すためのものである、ことと、
前記ＵＥに各送信待ちのＳＳＢグループ内の多くとも１つのＳＳＢを送信することと、
前記ＵＥに、各ランダムアクセス機会（ＲＯ）内のプリアンブル（ｐｒｅａｍｂｌｅ）に対応するＳＳＢ数量及び周波数分割多重（ＦＤＭ）でのＲＯ数量を送信することと、を実行するように構成される、ユーザ装置。
【請求項３３】
コンピュータ可読記憶媒体であって、前記コンピュータ可読記憶媒体に、コンピュータ命令が記憶されており、該命令がプロセッサにより実行される時、プロセッサに、請求項１−７のいずれか一項に記載のランダムアクセス設定方法のステップを実現させる、コンピュータ可読記憶媒体。
【請求項３４】
コンピュータ可読記憶媒体であって、前記コンピュータ可読記憶媒体に、コンピュータ命令が記憶されており、該命令がプロセッサにより実行される時、プロセッサに、請求項８−１５のいずれか一項に記載のランダムアクセス方法のステップを実現させる、コンピュータ可読記憶媒体。
【発明の詳細な説明】
【技術分野】
【０００１】
本願は、通信技術分野に関し、特にランダムアクセス設定方法及び装置、ランダムアクセス方法及び装置、基地局、ユーザ装置並びにコンピュータ可読記憶媒体に関する。
【背景技術】
【０００２】
新しい無線（Ｎｅｗ  Ｒａｄｉｏ：ＮＲと略称される）ライセンススペクトルで、各スロット（ｓｌｏｔ）は、１４個のシンボルを含むが、１ミリ秒（ｍｓ）内に幾つのｓｌｏｔが含まれるかは、サブキャリア間隔によって決まる。例えば、サブキャリア間隔が１５キロヘルツ（ＫＨｚ）である場合、１ｍｓ内に１個のｓｌｏｔが含まれ、サブキャリア間隔が３０ＫＨｚである場合、１ｍｓ内に２個のｓｌｏｔが含まれ、サブキャリア間隔が６０ＫＨｚである場合、１ｍｓ内に４個のｓｌｏｔが含まれ、このように類推する。
【０００３】
ＮＲにおいて、常時定期的に送信される（ａｌｗａｙｓ  ｏｎ）基準信号を減少させ、オーバーヘッドを減らすために、同期信号ブロック（Ｓｙｎｃｈｒｏｎｉｚａｔｉｏｎ  Ｓｉｇｎａｌ  Ｂｌｏｃｋ：ＳＳＢと略称される）が提案され、各ＳＳＢは、４個の連続シンボルを占有し、順にそれぞれ、プライマリ同期信号（Ｐｒｉｍａｒｙ  Ｓｙｎｃｈｒｏｎｉｚａｔｉｏｎ  Ｓｉｇｎａｌ：ＰＳＳと略称される）、物理ブロードキャストチャネル（Ｐｈｙｓｉｃａｌ  Ｂｒｏａｄｃａｓｔ  Ｃｈａｎｎｅｌ：ＰＢＣＨと略称される）、セカンダリ同期信号（Ｓｅｃｏｎｄａｒｙ  Ｓｙｎｃｈｒｏｎｉｚａｔｉｏｎ  Ｓｉｇｎａｌ：ＳＳＳと略称される）及びＰＢＣＨである。ここで、ＳＳＳが所在するシンボルの中間の１２個のリソースブロック（ＲＢ）は、ＳＳＳであり、両側の４個のＲＢは、ＰＢＣＨである。ＰＢＣＨにおいて、幾つかのサブキャリは、復調基準信号（Ｄｅｍｏｄｕｌａｔｉｏｎ  Ｒｅｆｅｒｅｎｃｅ  Ｓｉｇｎａｌ：ＤＭＲＳと略称される）である。同期信号ブロックのサブキャリア間隔は、１５ＫＨｚ、３０ＫＨｚ、１２０ＫＨｚ及び２４０ＫＨｚであってもよい。全ての同期信号ブロックは、５ｍｓ内に送信される。ビーム（ｂｅａｍ）送信をサポートするために、ｂｅａｍがあれば、全てのｂｅａｍがＳＳＢを送信する必要がある。従って、５ｍｓ内に送信可能な同期信号ブロックの数は、最大４（キャリヤ周波数３ＧＨｚ以下の場合）、８（キャリヤ周波数３ＧＨｚ〜６ＧＨｚの場合）又は６４（キャリヤ周波数６ＧＨｚ以上の場合）である。
【０００４】
ユーザ装置（ＵＥ）と基地局が初期同期を行う場合、ＵＥは、基地局から送信されたＳＳＢの１つを検出し、該ＳＳＢインデックス（ｉｎｄｅｘ）を得て、該ＳＳＢが所在するシンボル位置を取得し、それによって、ＵＥと基地局は、下りリンクのシンボル同期を実現する。上りリンク同期を実現するために、ＵＥは、ランダムアクセス（Ｒａｎｄｏｍ  Ａｃｅｓｓ：ＲＡと略称される）プリアンブル（ｐｒｅａｍｂｌｅ）を送信する必要がある。該ｐｒｅａｍｂｌｅを如何に選択するか、該ｐｒｅａｍｂｌｅがどのランダムアクセス機会（ＲＡＣＨ（Ｒａｎｄｏｍ  Ａｃｃｅｓｓ  Ｃｈａｎｎｅｌ）Ｏｃｃａｓｉｏｎ：ＲＯと略称される）で送信されるかは、ユーザが受信したＳＳＢ、基地局が実際にどれらのＳＳＢ及びＲＯの位置集合を送信したかによって決定される。ＵＥは、受信したＳＳＢ、基地局が実際にどれらのＳＳＢ及びＲＯの位置集合を送信したかに基づいて、該ＳＳＢに対応するＲＯ及び対応するｐｒｅａｍｂｌｅを検出した後、対応するＲＯ及びｐｒｅａｍｂｌｅを利用して基地局に対してランダムアクセスを開始することができる。
【０００５】
ＮＲライセンススペクトルにおいて、基地局が自分の計画通りにＳＳＢを送信することができるが、ＮＲアンライセンススペクトルにおいて、各ＳＳＢを送信する前に、チャネル検出を行う必要があり、チャネルがアイドルである場合しか、ＳＳＢを送信することができない。例えば、基地局がＮ個のＳＳＢを送信しようにする時に、基地局は、該Ｎ個のＳＳＢを送信する前に、チャネル検出を行うしかない。最終的に送信されるのは、該Ｎ個のＳＳＢのサブ集合でなければならない。ＵＥは、該Ｎの値及びＲＯ毎に対応するＳＳＢの数に基づいて、受信したＳＳＢに対応するＲＯ及びｐｒｅａｍｂｌｅを決定する必要がある。しかしながら、元々送信しようとしたが、チャネルの検出失敗により送信できないＳＳＢに対しても、基地局は、対応するＲＯ及びｐｒｅａｍｂｌｅを割り当てている。これは、必ず、リソースの浪費を引き起こしてしまう。
【発明の概要】
【０００６】
これに鑑み、本願は、ＲＯリソースの利用率を向上させて、ＵＥのランダムアクセスの成功率を向上させるために、ランダムアクセス設定方法及び装置、ランダムアクセス方法及び装置、基地局、ユーザ装置並びにコンピュータ可読記憶媒体を開示する。
【０００７】
本願の実施例の第１態様によれば、ランダムアクセス設定方法を提供する。前記方法は、基地局に適用され、前記方法は、
複数の同期信号ブロック（ＳＳＢ）をグループ化し、各ＳＳＢグループから、１つのプライマリＳＳＢを選択することと、
ユーザ装置（ＵＥ）に指示情報を送信することであって、前記指示情報は、送信待ちのＳＳＢグループ内のプライマリＳＳＢを示すためのものである、ことと、
前記ＵＥに各送信待ちのＳＳＢグループ内の多くとも１つのＳＳＢを送信することと、
前記ＵＥに、各ランダムアクセス機会（ＲＯ）内のプリアンブル（ｐｒｅａｍｂｌｅ）に対応するＳＳＢ数量及び周波数分割多重（ＦＤＭ）でのＲＯ数量を送信することと、を含む。
【０００８】
一実施例において、前記方法は、
複数の同期信号ブロック（ＳＳＢ）をグループ化し、各ＳＳＢグループから、１つのプライマリＳＳＢを選択する前に、グループ化ルール及びプライマリＳＳＢ選択ルールをデフォルト設定すること、又は、
グループ化ルール及びプライマリＳＳＢ選択ルールを決定し、ＵＥに前記グループ化ルール及び前記プライマリＳＳＢ選択ルールを送信することを更に含む。
【０００９】
一実施例において、前記方法は、
複数の同期信号ブロック（ＳＳＢ）をグループ化する前に、前記複数のＳＳＢから、少なくとも１つのＳＳＢを選択してターゲットＳＳＢとし、各ターゲットＳＳＢの複数の送信可能位置を得ることを更に含む。
【００１０】
一実施例において、各ターゲットＳＳＢの複数の送信可能位置を得ることは、
各ターゲットＳＳＢインデックスを決定するための設定信号の所在位置に基づいて、前記各ターゲットＳＳＢに含まれる、前記設定信号以外の他の信号に対して、シンボルレベルの循環シフトを行い、前記各ターゲットＳＳＢの複数の送信可能位置を得ることであって、前記設定信号の、前記複数の送信可能位置における位置と前記ターゲットＳＳＢにおける位置は、同じである、ことを含む。
【００１１】
複数のＳＳＢをグループ化することは、
前記各ターゲットＳＳＢ及び循環シフトした後に得られた複数の送信可能位置に対応する複数のＳＳＢを１グループとすることを含む。
【００１２】
一実施例において、各ターゲットＳＳＢの複数の送信可能位置を得ることは、
各ターゲットＳＳＢの位置に基づいて、前記各ターゲットＳＳＢに含まれる信号を全体シフトし、前記各ターゲットＳＳＢの複数の送信可能位置を得ることを含み、
複数のＳＳＢをグループ化することは、
前記各ターゲットＳＳＢ及び全体シフトした後に得られた複数の送信可能位置に対応する複数のＳＳＢを１グループとすることを含む。
【００１３】
一実施例において、前記ＵＥに、各送信待ちのＳＳＢグループ内の多くとも１つのＳＳＢを送信することは、
前記各送信待ちのＳＳＢグループ内の一番目のＳＳＢを現在のＳＳＢとすることと、
前記現在のＳＳＢの送信位置の前にチャネル検出を行うことと、
チャネルがアイドルであれば、前記現在のＳＳＢを送信することと、
チャネルがビジーであれば、前記現在のＳＳＢの次のＳＳＢを現在のＳＳＢとし、前記現在のＳＳＢの送信位置の前のチャネル検出を引き続き実行し、１つのＳＳＢの送信に成功するまで継続するか、又は送信待ちのＳＳＢグループ内の全てのＳＳＢの送信位置の前のチャネルがいずれもビジーであることを検出するまで継続することと、を含む。
【００１４】
一実施例において、前記グループ化ルールは、ビーム数、前記複数のＳＳＢの数量、前記複数のＳＳＢの時間領域位置分布情報、ウィンドウサイズ及びチャネル条件のうちの１つ又は複数を含む。
【００１５】
本願の実施例の第２態様によれば、ランダムアクセス方法を提供する。前記方法は、ユーザ装置（ＵＥ）に適用され、前記方法は、
基地局から送信された同期信号ブロック（ＳＳＢ）を受信して検出することと、
検出されたＳＳＢに対応するＳＳＢグループ内のプライマリＳＳＢを決定することと、
前記基地局から送信された指示情報を受信し、前記指示情報に基づいて、前記基地局の送信待ちのＳＳＢを決定することと、
前記基地局から送信された各ランダムアクセス機会（ＲＯ）内のプリアンブル（ｐｒｅａｍｂｌｅ）に対応するＳＳＢ数量及び周波数分割多重（ＦＤＭ）でのＲＯ数量を受信し、前記基地局の送信待ちのＳＳＢ、前記プライマリＳＳＢの前記基地局の送信待ちのＳＳＢにおける位置、各ＲＯ内のｐｒｅａｍｂｌｅに対応するＳＳＢ数量及びＦＤＭでのＲＯ数量に基づいて、前記プライマリＳＳＢに対応するＲＯ及びｐｒｅａｍｂｌｅを決定することと、
決定されたＲＯで、前記基地局に、対応するｐｒｅａｍｂｌｅを送信し、基地局へのランダムアクセスを実現することと、を含む。
【００１６】
一実施例において、基地局から送信されたＳＳＢを受信して検出することは、
基地局から送信されたＳＳＢを受信することと、
前記ＳＳＢにおける、ＳＳＢインデックスを決定するための設定信号に対して検出を行い、前記設定信号の所在位置を得ることと、
前記設定信号の所在位置に基づいて、所定時間区間の信号集合を取得することと、
前記信号集合に基づいて、前記ＳＳＢに属する位置情報を決定することと、
前記位置情報に基づいて、前記ＳＳＢのインデックスを決定することと、を含む。
【００１７】
一実施例において、基地局から送信されたＳＳＢを受信して検出することは、
基地局から送信された前記ＳＳＢを受信することと、
前記ＳＳＢにおけるターゲット信号に対して検出を行い、前記ＳＳＢにおける全ての信号を得ることと、
前記ＳＳＢにおける全ての信号を復調し、前記ＳＳＢに対応するＳＳＢインデックスを得ることと、含む。
【００１８】
一実施例において、検出されたＳＳＢに対応するＳＳＢグループ内のプライマリＳＳＢを決定することは、
グループ化ルールに基づいて、検出されたＳＳＢに対応するＳＳＢグループを決定することと、
プライマリＳＳＢ選択ルールに基づいて、前記ＳＳＢグループ内のプライマリＳＳＢを決定することと、を含む。
【００１９】
一実施例において、前記方法は、
前記グループ化ルール及び前記プライマリＳＳＢ選択ルールをデフォルト設定すること、又は、
基地局から送信された前記グループ化ルール及び前記プライマリＳＳＢ選択ルールを受信することを更に含む。
【００２０】
一実施例において、前記設定信号の所在位置に基づいて、所定時間区間の信号集合を取得することは、
前記設定信号が所在するシンボルの前又は後ろのシンボルを現在のシンボルとして決定することと、
前記設定信号及び現在のシンボル上の信号がＳＳＢの内容とマッチングするかどうかを判定することであって、前記ＳＳＢの内容は、循環シフト前のＳＳＢの内容及び循環シフト後のＳＳＢの内容を含む、ことと、
マッチングすれば、前記現在のシンボル上の信号を前記信号集合に追加し、前記現在のシンボルの総数を統計し、前記総数が第１所定数量に達していない場合、前記現在のシンボル及びその前のシンボル又は前記現在のシンボル及びその後ろのシンボルを前記現在のシンボルとし、現在のシンボル上の信号及び前記設定信号がＳＳＢの内容とマッチングするかどうかを判定するという操作を繰り返して実行し、前記総数が前記第１所定数量に達するまで継続することと、
マッチングしなければ、現在前記信号集合に追加されたシンボルの前のシンボルの検出、又は現在前記信号集合に追加されたシンボルの後ろのシンボルの検出を終止することと、を含む。
【００２１】
一実施例において、前記信号集合に基づいて、前記ＳＳＢに属する位置情報を決定することは、
前記信号集合における、前記設定信号の所在するシンボルを含む全ての連続した第２所定数量のシンボルにおける信号を、ＳＳＢの内容とマッチングを行うことであって、前記ＳＳＢの内容は、循環シフト前のＳＳＢの内容及び循環シフト後のＳＳＢの内容を含む、ことと、
マッチングに成功した、連続した第２所定数量のシンボルにおける信号の数が１つであれば、マッチングに成功した、連続した第２所定数量のシンボルを前記位置情報とすることと、
マッチングに成功した、連続した第２所定数量のシンボルにおける信号の数が複数であれば、前記信号集合の最後のシンボルから、連続した第２所定数量のシンボルずつを１グループとし、前記設定信号の所在するシンボルを含むグループに対応するシンボルを前記位置情報とすることと、を含む。
【００２２】
一実施例において、前記ＳＳＢにおけるターゲット信号に対して検出を行い、前記ＳＳＢにおける全ての信号を得ることは、
前記ＳＳＢにおけるターゲット信号に対して検出を行い、前記ターゲット信号の所在位置を得ることと、
前記ターゲット信号の所在位置に基づいて、前記ＳＳＢにおける全ての信号を取得することと、を含む。
【００２３】
本願の実施例の第３態様によれば、ランダムアクセス設定装置を提供する。前記装置は、基地局に適用され、前記装置は、
複数の同期信号ブロック（ＳＳＢ）をグループ化し、各ＳＳＢグループから、１つのプライマリＳＳＢを選択するように構成されるグループ化選択モジュールと、
ユーザ装置（ＵＥ）に指示情報を送信するように構成される第１送信モジュールであって、前記指示情報は、前記グループ化選択モジュールにより選択された送信待ちのＳＳＢグループ内のプライマリＳＳＢを示すためのものである、第１送信モジュールと、
前記ＵＥに各送信待ちのＳＳＢグループ内の多くとも１つのＳＳＢを送信するように構成される第２送信モジュールと、
前記ＵＥに、各ランダムアクセス機会（ＲＯ）内のプリアンブル（ｐｒｅａｍｂｌｅ）に対応するＳＳＢ数量及び周波数分割多重（ＦＤＭ）でのＲＯ数量を送信するように構成される第３送信モジュールと、を備える。
【００２４】
一実施例において、前記装置は、
前記グループ化選択モジュールが複数の同期信号ブロック（ＳＳＢ）をグループ化し、各ＳＳＢグループから、１つのプライマリＳＳＢを選択する前に、グループ化ルール及びプライマリＳＳＢ選択ルールをデフォルト設定するように構成されるデフォルト設定モジュール、又は、
前記グループ化選択モジュールが複数の同期信号ブロック（ＳＳＢ）をグループ化し、各ＳＳＢグループから、１つのプライマリＳＳＢを選択する前に、グループ化ルール及びプライマリＳＳＢ選択ルールを決定し、ＵＥに前記グループ化ルール及び前記プライマリＳＳＢ選択ルールを送信するように構成される決定送信モジュールを更に備える。
【００２５】
一実施例において、前記装置は、
前記グループ化選択モジュールが複数の同期信号ブロック（ＳＳＢ）をグループ化する前に、前記複数のＳＳＢから、少なくとも１つのＳＳＢを選択してターゲットＳＳＢとし、各ターゲットＳＳＢの複数の送信可能位置を得るように構成される選択取得モジュールを更に備える。
【００２６】
一実施例において、前記選択取得モジュールは、
各ターゲットＳＳＢインデックスを決定するための設定信号の所在位置に基づいて、前記各ターゲットＳＳＢに含まれる、前記設定信号以外の他の信号に対して、シンボルレベルの循環シフトを行い、前記各ターゲットＳＳＢの複数の送信可能位置を得るように構成され、前記設定信号の、前記複数の送信可能位置における位置と前記ターゲットＳＳＢにおける位置は、同じであり、
前記グループ化選択モジュールは、
前記各ターゲットＳＳＢ及び循環シフトした後に得られた複数の送信可能位置に対応する複数のＳＳＢを１グループとするように構成される。
【００２７】
一実施例において、前記選択取得モジュールは、
各ターゲットＳＳＢの位置に基づいて、前記各ターゲットＳＳＢに含まれる信号を全体シフトし、前記各ターゲットＳＳＢの複数の送信可能位置を得るように構成され、
前記グループ化選択モジュールは、
前記各ターゲットＳＳＢ及び全体シフトした後に得られた複数の送信可能位置に対応する複数のＳＳＢを１グループとするように構成される。
【００２８】
一実施例において、前記第２送信モジュールは、
前記各送信待ちのＳＳＢグループ内の一番目のＳＳＢを現在のＳＳＢとするように構成される決定サブモジュールと、
前記決定サブモジュールにより決定された前記現在のＳＳＢの送信位置の前にチャネル検出を行うように構成される検出サブモジュールと、
前記検出サブモジュールが、チャネルがアイドルであることを検出した場合、前記現在のＳＳＢを送信するように構成される送信サブモジュールと、
前記検出サブモジュールが、チャネルがビジーであることを検出した場合、前記現在のＳＳＢの次のＳＳＢを現在のＳＳＢとし、引き続き前記検出サブモジュールを呼び出して、前記現在のＳＳＢの送信位置の前のチャネル検出を実行し、１つのＳＳＢの送信に成功するまで継続するか、又は送信待ちのＳＳＢグループ内の全てのＳＳＢの送信位置の前のチャネルがいずれもビジーであることを検出するまで継続するように構成される処理サブモジュールと、を備える。
【００２９】
一実施例において、前記グループ化ルールは、ビーム数、前記複数のＳＳＢの数量、前記複数のＳＳＢの時間領域位置分布情報、ウィンドウサイズ及びチャネル条件のうちの１つ又は複数を含む。
【００３０】
本願の実施例の第４態様によれば、ランダムアクセス装置を提供する。前記装置は、ユーザ装置（ＵＥ）に適用され、前記装置は、
基地局から送信された同期信号ブロック（ＳＳＢ）を受信して検出するように構成される受信検出モジュールと、
前記受信検出モジュールにより検出されたＳＳＢに対応するＳＳＢグループ内のプライマリＳＳＢを決定するように構成される決定モジュールと、
前記基地局から送信された指示情報を受信し、前記指示情報に基づいて、前記基地局の送信待ちのＳＳＢを決定するように構成される第１受信決定モジュールと、
前記基地局から送信された各ランダムアクセス機会（ＲＯ）内のプリアンブル（ｐｒｅａｍｂｌｅ）に対応するＳＳＢ数量及び周波数分割多重（ＦＤＭ）でのＲＯ数量を受信し、前記第１受信決定モジュールにより決定された前記基地局の送信待ちのＳＳＢ、前記決定モジュールにより決定された前記プライマリＳＳＢの前記基地局の送信待ちのＳＳＢにおける位置、各ＲＯ内のｐｒｅａｍｂｌｅに対応するＳＳＢ数量及びＦＤＭでのＲＯ数量に基づいて、前記プライマリＳＳＢに対応するＲＯ及びｐｒｅａｍｂｌｅを決定するように構成される第２受信決定モジュールと、
前記第２受信決定モジュールにより決定されたＲＯで、前記基地局に、対応するｐｒｅａｍｂｌｅを送信し、基地局へのランダムアクセスを実現するように構成されるアクセスモジュールと、を備える。
【００３１】
一実施例において、前記受信検出モジュールは、
基地局から送信されたＳＳＢを受信するように構成される第１受信サブモジュールと、
前記第１受信サブモジュールにより受信された前記ＳＳＢにおける、ＳＳＢインデックスを決定するための設定信号に対して検出を行い、前記設定信号の所在位置を得るように構成される検出取得サブモジュールと、
前記検出取得サブモジュールにより取得された前記設定信号の所在位置に基づいて、所定時間区間の信号集合を取得するように構成される取得サブモジュールと、
前記取得サブモジュールにより取得された前記信号集合に基づいて、前記ＳＳＢに属する位置情報を決定するように構成される第１決定サブモジュールと、
前記第１決定サブモジュールにより決定された前記位置情報に基づいて、前記ＳＳＢのインデックスを決定するように構成される第２決定サブモジュールと、を備える。
【００３２】
一実施例において、前記受信検出モジュールは、
基地局から送信された前記ＳＳＢを受信するように構成される第２受信サブモジュールと、
前記第２受信サブモジュールにより受信された前記ＳＳＢにおけるターゲット信号に対して検出を行い、前記ＳＳＢにおける全ての信号を得るように構成される検出サブモジュールと、
前記検出サブモジュールにより取得された前記ＳＳＢにおける全ての信号を復調し、前記ＳＳＢに対応するＳＳＢインデックスを得るように構成される復調モジュールと、を備える。
【００３３】
一実施例において、前記決定モジュールは、
グループ化ルールに基づいて、検出されたＳＳＢに対応するＳＳＢグループを決定するように構成される第３決定サブモジュールと、
プライマリＳＳＢ選択ルールに基づいて、前記第３決定サブモジュールにより決定された前記ＳＳＢグループ内のプライマリＳＳＢを決定するように構成される第４決定サブモジュールと、を備える。
【００３４】
一実施例において、前記装置は、
前記グループ化ルール及び前記プライマリＳＳＢ選択ルールをデフォルト設定するように構成されるデフォルト設定モジュール、又は、
基地局から送信された前記グループ化ルール及び前記プライマリＳＳＢ選択ルールを受信するように構成される受信モジュールを更に備える。
【００３５】
一実施例において、前記取得サブモジュールは、
前記設定信号が所在するシンボルの前又は後ろのシンボルを現在のシンボルとして決定するように構成される決定ユニットと、
前記設定信号及び前記決定ユニットにより決定された現在のシンボル上の信号がＳＳＢの内容とマッチングするかどうかを判定するように構成されるマッチングユニットであって、前記ＳＳＢの内容は、循環シフト前のＳＳＢの内容及び循環シフト後のＳＳＢの内容を含む、マッチングユニットと、
前記マッチングユニットのマッチング結果が、マッチングしたことであれば、前記現在のシンボル上の信号を前記信号集合に追加し、前記現在のシンボルの総数を統計し、前記総数が第１所定数量に達していない場合、前記現在のシンボル及びその前のシンボル又は前記現在のシンボル及びその後ろのシンボルを前記現在のシンボルとし、前記マッチングユニットを繰り返して呼び出して、現在のシンボル上の信号及び前記設定信号がＳＳＢの内容とマッチングするかどうかを判定するという操作を実行し、前記総数が前記第１所定数量に達するまで継続するように構成される追加統計ユニットと、
前記マッチングユニットのマッチング結果が、マッチングしないことであれば、現在前記信号集合に追加されたシンボルの前のシンボルの検出、又は現在前記信号集合に追加されたシンボルの後ろのシンボルの検出を終止するように構成される検出終止ユニットと、を備える。
【００３６】
一実施例において、前記第１決定サブモジュールは、
前記信号集合における、前記設定信号の所在するシンボルを含む全ての連続した第２所定数量のシンボルにおける信号を、ＳＳＢの内容とマッチングを行うように構成されるマッチングユニットであって、前記ＳＳＢの内容は、循環シフト前のＳＳＢの内容及び循環シフト後のＳＳＢの内容を含む、マッチングユニットと、
前記マッチングユニットによるマッチングに成功した、連続した第２所定数量のシンボルにおける信号の数が１つであれば、マッチングに成功した、連続した第２所定数量のシンボルを前記位置情報とするように構成される第１決定ユニットと、
前記マッチングユニットによるマッチングに成功した、連続した第２所定数量のシンボルにおける信号の数が複数であれば、前記信号集合の最後のシンボルから、連続した第２所定数量のシンボルずつを１グループとし、前記設定信号の所在するシンボルを含むグループに対応するシンボルを前記位置情報とするように構成される第２決定ユニットと、を備える。
【００３７】
一実施例において、前記検出サブモジュールは、
前記ＳＳＢにおけるターゲット信号に対して検出を行い、前記ターゲット信号の所在位置を得るように構成される検出ユニットと、
前記検出ユニットにより得られた前記ターゲット信号の所在位置に基づいて、前記ＳＳＢにおける全ての信号を取得するように構成される取得ユニットと、を備える。
【００３８】
本願の実施例の第５態様によれば、基地局を提供する。前記基地局は、
プロセッサと、
プロセッサによる実行可能な命令を記憶するためのメモリとを備え、
前記プロセッサは、
複数の同期信号ブロック（ＳＳＢ）をグループ化し、各ＳＳＢグループから、１つのプライマリＳＳＢを選択することと、
ユーザ装置（ＵＥ）に指示情報を送信することであって、前記指示情報は、送信待ちのＳＳＢグループ内のプライマリＳＳＢを示すためのものである、ことと、
前記ＵＥに各送信待ちのＳＳＢグループ内の多くとも１つのＳＳＢを送信することと、
前記ＵＥに、各ランダムアクセス機会（ＲＯ）内のプリアンブル（ｐｒｅａｍｂｌｅ）に対応するＳＳＢ数量及び周波数分割多重（ＦＤＭ）でのＲＯ数量を送信することと、を実行するように構成される。
【００３９】
本願の実施例の第６態様によれば、ユーザ装置を提供する。前記ユーザ装置は、
プロセッサと、
プロセッサによる実行可能な命令を記憶するためのメモリとを備え、
前記プロセッサは、
複数の同期信号ブロック（ＳＳＢ）をグループ化し、各ＳＳＢグループから、１つのプライマリＳＳＢを選択することと、
ユーザ装置（ＵＥ）に指示情報を送信することであって、前記指示情報は、送信待ちのＳＳＢグループ内のプライマリＳＳＢを示すためのものである、ことと、
前記ＵＥに各送信待ちのＳＳＢグループ内の多くとも１つのＳＳＢを送信することと、
前記ＵＥに、各ランダムアクセス機会（ＲＯ）内のプリアンブル（ｐｒｅａｍｂｌｅ）に対応するＳＳＢ数量及び周波数分割多重（ＦＤＭ）でのＲＯ数量を送信することと、を実行するように構成される。
【００４０】
本願の実施例の第７態様によれば、コンピュータ可読記憶媒体を提供する。前記コンピュータ可読記憶媒体に、コンピュータ命令が記憶されており、該命令がプロセッサにより実行される時、上記ランダムアクセス設定方法のステップを実現させる。
【００４１】
本願の実施例の第８態様によれば、コンピュータ可読記憶媒体を提供する。前記コンピュータ可読記憶媒体に、コンピュータ命令が記憶されており、該命令がプロセッサにより実行される時、上記ランダムアクセス方法のステップを実現させる。
【発明の効果】
【００４２】
本願の実施例で提供される技術的解決手段は、下記有益な効果を有する。
【００４３】
複数のＳＳＢをグループ化し、ＵＥに、各送信待ちのＳＳＢグループ内の多くとも１つのＳＳＢを送信することで、ＳＳＢグループ内のＳＳＢを一つ分のＲＯリソースに対応させ、つまり、各ＳＳＢに対応するＲＯリソースの数を向上させ、ＲＯリソースの利用率を向上させ、ＵＥのランダムアクセスの成功率を向上させる。
【００４４】
基地局から送信されたＳＳＢを受信することで、ＳＳＢにおける、ＳＳＢインデックスを決定するための設定信号に対して検出を行い、設定信号の所在位置を得る。設定信号の所在位置に基づいて、所定時間区間の信号集合を取得し、信号集合に基づいて、ＳＳＢに属する位置情報を決定する。続いて、決定された位置情報に基づいて、ＳＳＢのインデックスを決定する。これにより、決定されたＳＳＢのインデックスに、高い正確率を持たせる。
【００４５】
上記の一般的な説明及び後述する細部に関する説明は、例示及び説明のためのものに過ぎず、本願を限定するものではないことが理解されるべきである。
【図面の簡単な説明】
【００４６】
【図１】本願の一例示的な実施例によるランダムアクセス設定方法を示すフローチャートである。
【図２】本願の一例示的な実施例によるＳＳＢの所在するシンボル位置を示す概略図である。
【図３】本願の一例示的な実施例によるＵＥに各送信待ちのＳＳＢグループ内の多くとも１つのＳＳＢを送信することを示すフローチャートである。
【図４】本願の一例示的な実施例によるランダムアクセス方法を示すフローチャートである。
【図５】本願の一例示的な実施例による基地局から送信されたＳＳＢの受信及び検出を示すフローチャートである。
【図６】本願の一例示的な実施例による第１信号集合の取得を示すフローチャートである。
【図７】本願の一例示的な実施例によるもう１つのＳＳＢの所在するシンボル位置を示す概略図である。
【図８】本願の一例示的な実施例によるまた１つのＳＳＢの所在するシンボル位置を示す概略図である。
【図９】本願の一例示的な実施例によるＳＳＢに属する位置情報の決定を示すフローチャートである。
【図１０】本願の一例示的な実施例によるもう１つの基地局から送信されたＳＳＢの受信及び検出を示すフローチャートである。
【図１１】一例示的な実施例によるランダムアクセス設定装置を示すブロック図である。
【図１２】一例示的な実施例によるもう１つのランダムアクセス設定装置を示すブロック図である。
【図１３】一例示的な実施例によるもう１つのランダムアクセス設定装置を示すブロック図である。
【図１４】一例示的な実施例によるもう１つのランダムアクセス設定装置を示すブロック図である。
【図１５】一例示的な実施例によるランダムアクセス装置を示すブロック図である。
【図１６】一例示的な実施例によるもう１つのランダムアクセス装置を示すブロック図である。
【図１７】一例示的な実施例によるもう１つのランダムアクセス装置を示すブロック図である。
【図１８】一例示的な実施例によるもう１つのランダムアクセス装置を示すブロック図である。
【図１９】一例示的な実施例によるもう１つのランダムアクセス装置を示すブロック図である。
【図２０】一例示的な実施例によるもう１つのランダムアクセス装置を示すブロック図である。
【図２１】一例示的な実施例によるもう１つのランダムアクセス装置を示すブロック図である。
【図２２】一例示的な実施例によるもう１つのランダムアクセス装置を示すブロック図である。
【図２３】一例示的な実施例によるランダムアクセス設定装置を適用できる装置を示すブロック図である。
【図２４】一例示的な実施例によるランダムアクセス装置を適用できる装置を示すブロック図である。  ここで添付した図面は、明細書に引き入れて本明細書の一部分を構成し、本発明に適合する実施例を示し、かつ、明細書とともに本発明の原理を解釈することに用いられる。
【発明を実施するための形態】
【００４７】
ここで、例示的な実施例を詳細に説明し、その例を図面に示す。以下の記述が図面に係る場合、別途にて示さない限り、異なる図面における同じ数字は、同じまたは類似する要素を示す。以下の例示的な実施例において記述する実施形態は、本発明に合致するすべての実施形態を代表するものではない。一方、それらは、添付された特許請求の範囲に詳細に記載されたような、本発明の一部の形態に合致する装置及び方法の例に過ぎない。
【００４８】
図１は、本願の一例示的な実施例によるランダムアクセス設定方法を示すフローチャートである。該実施例は、基地局側で説明する。図１に示すように、該ランダムアクセス設定方法は以下を含む。
【００４９】
ステップＳ１０１において、複数のＳＳＢをグループ化し、各ＳＳＢグループから１つのプライマリＳＳＢを選択する。
【００５０】
任意選択的に、複数の同期信号ブロック（ＳＳＢ）をグループ化し、各ＳＳＢグループから１つのプライマリＳＳＢを選択する前に、該方法は、グループ化ルール及びプライマリＳＳＢ選択ルールをデフォルト設定することを含んでもよく、グループ化ルール及びプライマリＳＳＢ選択ルールを決定し、ＵＥに該グループ化ルール及びプライマリＳＳＢ選択ルールを送信することを含んでもよい。
【００５１】
ここで、グループ化ルールは、ビーム数、複数のＳＳＢの数量、複数のＳＳＢの時間領域位置分布情報、ウィンドウサイズ及びチャネル条件のうちの１つ又は複数を含んでもよいが、これらに限定されない。
【００５２】
例えば、ビーム数に基づいてグループ化してもよい。基地局が計画送信する（即ち、基地局の送信待ちのＳＳＢ）複数のＳＳＢの数量に基づいてグループ化してもよい。複数のＳＳＢの時間領域位置分布情報に基づいて、４つの連続ＳＳＢを１グループとするか又は２つの連続ＳＳＢを１グループとしてもよい。また、１ｍｓウィンドウ内のＳＳＢを１グループとしてもよい。更に、チャネル条件が悪いＳＳＢに対して、より多くのＳＳＢを１グループとしてもよい。これにより、グループ毎に１つのＳＳＢの送信機会を増大させ、ＲＯリソースの浪費を減少させることができる。
【００５３】
ここで、プライマリＳＳＢ選択ルールは、各グループ内のある１つのＳＳＢをデフォルトでプライマリＳＳＢとすることを含んでもよいが、これに限定されない。例えば、各グループ内の一番目のＳＳＢをデフォルトでプライマリＳＳＢとしてもよく、各グループ内の最後のＳＳＢをデフォルトでプライマリＳＳＢとしてもよい。
【００５４】
該実施例において、複数のＳＳＢに対するグループ化は、下記２つの形態を含む。
【００５５】
第１形態において、複数のＳＳＢに対応するＳＳＢインデックスは異なる。
【００５６】
この場合、グループ化ルールに基づいて複数のＳＳＢをグループ化することができる。
【００５７】
例えば、サブキャリア間隔が３０ＫＨｚであって、キャリヤ周波数が３ＧＨｚ〜６ＧＨｚである場合、ＳＳＢの送信可能位置は、最大８個であり、即ち、番号が０から７までのＳＳＢであり、４つのＳＳＢずつ１グループとし、計２つのグループに分ける。例えば、ＳＳＢ＃０〜３を一番目のＳＳＢグループとし、ＳＳＢ＃４〜７を２番目のＳＳＢグループとする。また、ＳＳＢ＃０及びＳＳＢ＃４を該２つのＳＳＢグループのプライマリＳＳＢとしてもよい。
【００５８】
第２態様において、複数のＳＳＢに対応するＳＳＢインデックスは同じである。
【００５９】
第２態様について、該実施例において、上記ステップＳ１０１を実行する前に、該方法は、複数のＳＳＢから、少なくとも１つのＳＳＢを選択してターゲットＳＳＢとし、各ターゲットＳＳＢの複数の送信可能位置を得ることを更に含んでもよい。ここで、各ターゲットＳＳＢの複数の送信可能位置を得ることは、下記２つの方式を含む。
【００６０】
方式１）は、循環シフト方式である。各ターゲットＳＳＢインデックスを決定するための設定信号の所在位置に基づいて、各ターゲットＳＳＢに含まれる、設定信号以外の他の信号に対して、シンボルレベルの循環シフトを行い、各ターゲットＳＳＢの複数の送信可能位置を得、ここで、設定信号の、複数の送信可能位置における位置とターゲットＳＳＢにおける位置は、同じである。
【００６１】
ここで、設定信号は、ＳＳＢに位置するＰＳＳ、ＳＳＳ又はＰＢＣＨを含んでもよいが、これらに限定されない。
【００６２】
例えば、図２に示すＳＳＢ＃０を例として、ＳＳＢ＃０の複数の送信可能位置の取得プロセスを説明する。ここで、図２に示すＳＳＢ＃０の位置は、ＳＳＢ＃０の初期送信可能位置である。
【００６３】
設定信号がＰＳＳである場合、設定信号の所在する位置に基づいて、即ち、シンボル２に基づいて、プライマリＳＳＢに含まれる、設定信号以外の他の信号に対して、シンボルレベルの循環シフトを行い、それによって得られたＳＳＢの複数の送信可能位置は、以下の通りである。
【００６４】
位置１１）、シンボル０〜３であり、シンボル０〜３で送信される信号はそれぞれ、ＳＳＳ、ＰＢＣＨ、ＰＳＳ、ＰＢＣＨである。
【００６５】
位置１２）、シンボル１〜４であり、シンボル１〜４で送信される信号は、それぞれＰＢＣＨ、ＰＳＳ、ＰＢＣＨ、ＳＳＳである。
【００６６】
位置１３）、シンボル２〜５であり、シンボル２〜５は、ＳＳＢ＃０の初期送信可能位置であり、送信される信号はそれぞれ、ＰＳＳ、ＰＢＣＨ、ＳＳＳ、ＰＢＣＨである。
【００６７】
なお、ここで、ＳＳＢ＃０を例として説明しているため、しかもＳＳＢが５ｍｓウィンドウの前に送信することができないため、ＳＳＢ＃０は、ＰＳＳを設定信号として循環シフトを行った後、ＰＳＳが最後に位置する場合になり得ない。それに対して、他の位置のＳＳＢであれば、ＰＳＳが最後に位置する場合になり得る。
【００６８】
例えば、ＳＳＢ＃１における設定信号ＰＳＳであれば、もう１つ位置があり得、即ち、シンボル５〜８であり、シンボル５〜８で送信される信号は、それぞれＰＢＣＨ、ＳＳＳ、ＰＢＣＨ、ＰＳＳである。つまり、ＰＳＳは、該４つのシンボルのうちの最後のシンボルである。
【００６９】
上記得られた複数の送信可能位置から分かるように、複数の送信可能位置での、ＰＳＳの位置は、同じであり、常に、シンボル２に位置する。これらの複数の送信可能位置のＳＳＢインデックスは、いずれもＰＳＳの所在するシンボル位置によって決定され、従って、複数の送信可能位置に対応するＳＳＢインデックスは、同じである。
【００７０】
設定信号がＳＳＳである場合、設定信号の所在する位置に基づいて、即ち、シンボル４に基づいて、ＳＳＢ＃０に含まれる、設定信号以外の他の信号に対して、シンボルレベルの循環シフトを行い、それによって得られたＳＳＢの複数の送信可能位置は、以下の通りである。
【００７１】
位置２１）、シンボル１〜４であり、シンボル１〜４で送信される信号はそれぞれ、ＰＢＣＨ、ＰＳＳ、ＰＢＣＨ、ＳＳＳである。
【００７２】
位置２２）、シンボル２〜５であり、シンボル２〜５で送信される信号はそれぞれ、ＰＳＳ、ＰＢＣＨ、ＳＳＳ、ＰＢＣＨである。
【００７３】
位置２３）、シンボル３〜６であり、シンボル３〜６で送信される信号はそれぞれ、ＰＢＣＨ、ＳＳＳ、ＰＢＣＨ、ＰＳＳである。
【００７４】
位置２４）、シンボル４〜７であり、シンボル４〜７で送信される信号はそれぞれ、ＳＳＳ、ＰＢＣＨ、ＰＳＳ、ＰＢＣＨである。
【００７５】
上記得られた複数の送信可能位置から分かるように、複数の送信可能位置での、ＳＳＳの位置は、同じであり、常にシンボル４に位置している。これらの複数の送信可能位置のＳＳＢインデックスはいずれも、ＳＳＳの所在するシンボル位置により決定される。従って、複数の送信可能位置に対応するＳＳＢインデックスは同じである。
【００７６】
この場合、各ターゲットＳＳＢ及びそれを循環シフトした後に得られた複数の送信可能位置に対応する複数のＳＳＢを１グループとすることができる。
【００７７】
方式２）は、全体シフトの方式である。各ターゲットＳＳＢの位置に基づいて、各ターゲットＳＳＢに含まれる信号を全体シフトし、各ターゲットＳＳＢの複数の送信可能位置を得る。
【００７８】
任意選択的に、各送信可能位置と初期送信可能位置との全体シフト量に基づいて、対応するオフセット量を決定することもできる。
【００７９】
複数の送信可能位置の取得及びオフセット量の決定のプロセスを明らかに説明するために、以下、依然として、図２に示すＳＳＢ＃０を例として説明する。図２におけるＳＳＢ＃０に含まれる信号を全体シフトすることで、下記複数の送信可能位置を得ることができる。
【００８０】
位置３１）、シンボル０〜３であり、シンボル０〜３で送信される信号はそれぞれＰＳＳ、ＰＢＣＨ、ＳＳＳ、ＰＢＣＨであり、該位置は、初期送信可能位置に対して、前へ２個のシンボルをオフセットした位置であり、即ち、オフセット量は、−２である。
【００８１】
位置３２）、シンボル１〜４であり、シンボル１〜４で送信される信号はそれぞれ、ＰＳＳ、ＰＢＣＨ、ＳＳＳ、ＰＢＣＨであり、該位置は、初期送信可能位置に対して、前へ１個のシンボルをオフセットした位置であり、即ち、オフセット量は、−１である。
【００８２】
位置３３）、シンボル２〜５であり、シンボル２〜５は初期送信可能位置であり、オフセット量は、０である。
【００８３】
位置３４）、シンボル３〜６であり、シンボル３〜６で送信される信号はそれぞれ、ＰＳＳ、ＰＢＣＨ、ＳＳＳ、ＰＢＣＨであり、該位置は、初期送信可能位置に対して、後へ１個のシンボルをオフセットした位置であり、即ち、オフセット量は、１である。
【００８４】
位置３５）、シンボル４〜７であり、シンボル４〜７で送信される信号はそれぞれ、ＰＳＳ、ＰＢＣＨ、ＳＳＳ、ＰＢＣＨであり、該位置は、初期送信可能位置に対して、後へ２個のシンボルをオフセットした位置であり、即ち、オフセット量は、２である。
【００８５】
上記から分かるように、上記方式により、複数の送信可能位置を得ることができる。送信可能位置が多いほど、オフセット量は大きくなり、オフセット量を示すためのビット（ｂｉｔ）数も多くなる。該実施例において、オフセット量を制限することができる。例えば、後へＭ個のシンボルしかオフセットしないように制限するか又は前へＮ個のシンボルしかオフセットしないように制限する。Ｍ及びＮはいずれも、０以上Ｘ以下の整数であり、Ｘは、必要に応じて設定されてもよく、例えば、８以下であってもよい。該実施例において、オフセット量を制限することで、オフセット量を示すための、基地局のシグナリングの増加したｂｉｔ数を可能な限り少なくし、ＰＢＣＨのシグナリングオーバーヘッドを節約することができる。
【００８６】
この場合、各ターゲットＳＳＢ及びそれを全体シフトした後に得られた複数の送信可能位置に対応する複数のＳＳＢを１グループとすることができる。
【００８７】
ステップＳ１０２において、ＵＥに指示情報を送信し、該指示情報は、送信待ちのＳＳＢグループ内のプライマリＳＳＢを示すためのものである。
【００８８】
各ＳＳＢグループから、１つのプライマリＳＳＢを選択した後、ＵＥに指示情報を送信する。これにより、送信待ちのＳＳＢグループ内のプライマリＳＳＢを指示する。従って、ＵＥは、該指示情報に基づいて、どのようなＳＳＢが送信待ちのＳＳＢであるかを知ることができる。
【００８９】
ＳＳＢ＃０及びＳＳＢ＃４が該２つのＳＳＢグループのプライマリＳＳＢであり、且つ該指示情報により指示されたプライマリＳＳＢがＳＳＢ＃０及びＳＳＢ＃４であるとすれば、ＵＥは、指示情報に基づいて、基地局の送信待ちのＳＳＢがＳＳＢ＃０及びＳＳＢ＃４であることを知ることができる。更に、ＵＥは、基地局により送信されるＳＳＢがＳＳＢ＃０と同一のグループに属するいずれか１つのＳＳＢ、及びＳＳＢ＃４と同一のグループに属するいずれか１つのＳＳＢであり得ることを知ることができる。
【００９０】
ステップＳ１０３において、ＵＥに、各送信待ちのＳＳＢグループ内の多くとも１つのＳＳＢを送信する。
【００９１】
ここで、基地局は、各ＳＳＢグループにおけるチャネルがビジーであるか、それともアイドルであるかに基づいて、多くとも１つのＳＳＢを送信することができる。図３に示すように、該プロセスは以下を含む。
【００９２】
ステップＳ１０３１において、各送信待ちのＳＳＢグループ内の一番目のＳＳＢを現在のＳＳＢとする。
【００９３】
ステップＳ１０３２において、現在のＳＳＢの送信位置の前にチャネル検出を行う。
【００９４】
ステップＳ１０３３において、チャネルがアイドルであるかどうかを判定し、チャネルがアイドルであれば、ステップＳ１０３４を実行し、チャネルがビジーであれば、ステップＳ１０３５を実行する。
【００９５】
ステップＳ１０３４において、現在のＳＳＢを送信し、操作を終了する。
【００９６】
ステップＳ１０３５において、現在のＳＳＢが該ＳＳＢグループ内の最後のＳＳＢであるかどうかを判定し、最後のＳＳＢでなければ、ステップＳ１０３６を実行し、最後のＳＳＢであれば、操作を終了する。
【００９７】
ステップＳ１０３６において、現在のＳＳＢの次のＳＳＢを現在のＳＳＢとし、ステップＳ１０３２を引き続き実行する。
【００９８】
該実施例において、ＵＥに各送信待ちのＳＳＢグループ内の多くとも１つのＳＳＢを送信することで、後続のＲＯリソースの浪費の減少に役立つ。
【００９９】
ステップＳ１０４において、ＵＥに、各ＲＯ内のプリアンブルに対応するＳＳＢ数量及び周波数分割多重（ＦＤＭ）でのＲＯ数量を送信する。
【０１００】
上記実施例において、複数のＳＳＢをグループ化し、ＵＥに、各送信待ちのＳＳＢグループ内の多くとも１つのＳＳＢを送信することで、ＳＳＢグループ内のＳＳＢを一つ分のＲＯリソースに対応させる。つまり、各ＳＳＢに対応するＲＯリソースの数を向上させ、ＲＯリソースの利用率を向上させ、ＵＥのランダムアクセスの成功率を向上させる。
【０１０１】
図４は、本願の一例示的な実施例によるランダムアクセス方法を示すフローチャートである。該実施例は、ＵＥ側で説明する。図４に示すように、該方法は以下を含む。
【０１０２】
ステップＳ４０１において、基地局から送信されたＳＳＢを受信して検出する。
【０１０３】
基地局がＳＳＢをグループ化する前に、複数のＳＳＢから、少なくとも１つのＳＳＢを選択してターゲットＳＳＢとし、各ターゲットＳＳＢの複数の送信可能位置を得ることができるため、ＵＥは、ＳＳＢを受信した後、ＳＳＢに対して検出を行い、送信可能位置に対応するＳＳＢを得ることができる。
【０１０４】
図５に示すように、基地局から送信されたＳＳＢを受信して検出することは、以下を含んでもよい。
【０１０５】
ステップＳ５０１において、基地局から送信されたＳＳＢを受信する。
【０１０６】
ステップＳ５０２において、該ＳＳＢにおける、ＳＳＢインデックスを決定するための設定信号に対して検出を行い、設定信号の所在位置を得る。
【０１０７】
ここで、複数の方式で設定信号を決定することができ、例えば、ＳＳＢにおける信号を設定信号と設定することができ、即ち、如何なる場合でも、設定信号は同じである。ＳＳＢの送信周波数点又はサブキャリア間隔に基づいて、ＳＳＢにおける異なる信号を設定信号として決定することもできる。
【０１０８】
ステップＳ５０３において、設定信号の所在位置に基づいて、所定時間区間の信号集合を取得する。
【０１０９】
ここで、設定信号の所在位置に基づいて、所定時間区間の信号集合を取得することは、設定信号の所在位置に基づいて、第１所定時間区間の第１信号集合及び第２所定時間区間の第２信号集合を取得することを含む。ここで、第１所定時間区間は、設定信号の所在位置の前に位置し、第２所定時間区間は、設定信号の所在位置の後ろに位置する。上記第１信号集合、第２信号集合及び設定信号は、上記信号集合を構成する。
【０１１０】
図６に示すように、設定信号の所在位置に基づいて、第１所定時間区間の第１信号集合を取得することは、以下を含んでもよい。
【０１１１】
ステップＳ５０３１において、設定信号の所在するシンボルの前のシンボルを現在のシンボルとして決定する。
【０１１２】
ステップＳ５０３２において、設定信号及び現在のシンボル上の信号がＳＳＢの内容とマッチングするかどうかを判定し、マッチングすれば、ステップＳ５０３３を実行し、マッチングしなければ、ステップＳ５０３５を実行する。
【０１１３】
ここで、ＳＳＢの内容は、循環シフト前のＳＳＢの内容及び循環シフト後のＳＳＢの内容を含む。
【０１１４】
ステップＳ５０３３において、現在のシンボル上の信号を信号集合に追加し、現在のシンボルの総数を統計する。
【０１１５】
ここで、信号集合に新たに追加された信号が以前の信号と重複する信号が存在すれば、重複信号を除去し、即ち、重複しない信号のみを追加する。
【０１１６】
ステップＳ５０３４において、現在のシンボルの総数が第１所定数量に達しているかどうかを判定し、第１所定数量に達していない場合、現在のシンボル及びその前のシンボルを現在のシンボルとし、ステップＳ５０３２を繰り返して実行し、第１所定数量に達した場合、ステップＳ５０３５を実行する。
【０１１７】
ここで、第１所定数量は、３個であってもよい。
【０１１８】
ステップＳ５０３５において、現在信号集合に追加されたシンボルの前のシンボルの検出を終止する。
【０１１９】
ここで、設定信号の所在位置に基づいて、第２所定時間区間の第２信号集合を取得するプロセスは、第１信号集合の取得プロセスと同じである。上記ステップにおける「設定信号の所在するシンボルの前のシンボル」を「設定信号の所在するシンボルの後ろのシンボル」に置き換えればよい。ここで、詳細な説明を省略する。第２信号集合の取得について、第１所定数量は、３個より大きい数であってもよく、例えば、１５個である。
【０１２０】
信号集合の取得プロセスをより明らかに説明するために、以下、図７に示す実施例を参照しながら、説明する。設定信号がシンボル＃８に位置するＰＳＳであるとすれば、信号集合の取得プロセスは以下の通りである。
【０１２１】
シンボル＃８の前のシンボルについて、シンボル＃７を現在のシンボルとし、設定信号ＰＳＳ及びシンボル＃７における信号ＰＢＣＨが他のＳＳＢの内容とマッチングすると判定し（ＰＳＳの位置が変わらないため、他の信号が循環シフトされた後、ＰＢＣＨがＰＳＳ信号の所在するシンボルの前に位置する可能性があり、例えば、上記位置１１）及び位置１２）が挙げられる）、シンボル＃７に対応する信号ＰＢＣＨを信号集合に追加し、統計により、現在のシンボルの総数が１であることを得、現在のシンボルの総数が第１所定数量、即ち３に達していないため、シンボル＃７及びシンボル＃６を現在のシンボルとする。設定信号ＰＳＳ、シンボル＃７における信号ＰＢＣＨ及びシンボル＃６における信号ＳＳＳが他のＳＳＢの内容とマッチングすると判定し（同様に、ＰＳＳの位置が変わらないため、他の信号が循環シフトされた後、連続した３つのシンボルの送信内容がＳＳＳ−ＰＢＣＨ−ＰＳＳである可能性があり、例えば、上記位置１１）が挙げられる）、シンボル＃７における信号ＰＢＣＨ及びシンボル＃６における信号ＳＳＳを信号集合に追加する。信号集合に既にシンボル＃７に対応する信号ＰＢＣＨが含まれているため、シンボル＃６における信号ＳＳＳのみを信号集合に追加し、統計により、現在のシンボルの総数が２であることを得る。現在のシンボルの総数が第１所定数量、即ち３に達していないため、シンボル＃７からシンボル＃５を現在のシンボルとする。設定信号ＰＳＳ、シンボル＃７における信号ＰＢＣＨ、シンボル＃６における信号ＳＳＳ及びシンボル＃５における信号ＰＢＣＨが他のＳＳＢの内容とマッチングすると判定し（同様に、ＰＳＳの位置が変わらないため、他の信号が循環シフトされた後、連続した４つのシンボルの送信内容がＰＢＣＨ−  ＳＳＳ−  ＰＢＣＨ−ＰＳＳである可能性があり、例えば、上記位置２３）が挙げられる）、シンボル＃７における信号ＰＢＣＨ、シンボル＃６における信号ＳＳＳ及びシンボル＃５における信号ＰＢＣＨを信号集合に追加する。信号集合に既にシンボル＃７に対応する信号ＰＢＣＨ及びシンボル＃６における信号ＳＳＳが含まれているため、シンボル＃５における信号ＰＢＣＨのみを信号集合に追加し、統計により、現在のシンボルの総数が３であることを得る。現在のシンボルの総数が第１所定数量３に達したため、シンボル＃５より前のシンボルの検出を中止する。それによって、第１信号集合は、シンボル＃５〜＃７でのＰＢＣＨ−ＳＳＳ−ＰＢＣＨである。
【０１２２】
シンボル＃８の後ろのシンボルについて、シンボル＃９を現在のシンボルとし、設定信号ＰＳＳ及びシンボル＃９における信号ＰＢＣＨがプライマリＳＳＢの内容とマッチングすると判定し（ＰＢＣＨは、ＰＳＳの所在するシンボルの１つ後ろのシンボルに位置し、プライマリＳＳＢのシンボル位置を参照し、即ち、位置１３である）、シンボル＃９に対応する信号ＰＢＣＨを信号集合に追加し、統計により、現在のシンボルの総数が１であることを得る。現在のシンボルの総数が第１所定数量、即ち１５に達していないため、シンボル＃９及びシンボル＃１０を現在のシンボルとする。設定信号ＰＳＳ、シンボル＃９における信号ＰＢＣＨ及びシンボル＃１０における信号であるヌル信号がプライマリＳＳＢ又は他のＳＳＢの内容とマッチングしないと判定し、シンボル＃９の後ろのシンボルの検出を中止する。第２信号集合は、シンボル＃９でのＰＢＣＨである。
【０１２３】
上記プロセスにより、得られた信号集合は、シンボル＃５における信号からシンボル＃９における信号であり、つまり、ＰＢＣＨ−ＳＳＳ−ＰＢＣＨ−ＰＳＳ−ＰＢＣＨである。
【０１２４】
また例えば、図８における２番目のＳＳＢのＳＳＳ（即ち、シンボル＃６でのＳＳＳ）を設定信号とする場合、上記プロセスにより取得された信号集合は、シンボル＃３における信号からシンボル＃１３における信号である。
【０１２５】
該実施例において、現在のシンボル上の信号及び設定信号がＳＳＢの内容とマッチングするかどうかを判定し、マッチングする場合、現在のシンボルを信号集合に追加し、上記操作を繰り返して実行し、現在のシンボルの数が第１所定数量に達するまで継続する。マッチングしない場合、現在信号集合に追加されたシンボルの前又は後ろのシンボルの検出を終止し、信号集合の取得を実現する。
【０１２６】
ステップＳ５０４において、信号集合に基づいて、ＳＳＢに属する位置情報を決定する。
【０１２７】
該実施例において、信号集合を決定した後、ＳＳＢに属する位置情報を決定することができる。図９に示すように、ＳＳＢに属する位置情報は以下を含んでもよい。
【０１２８】
ステップＳ５０４１において、信号集合における、設定信号の所在するシンボルを含む全ての連続した第２所定数量のシンボルにおける信号を、ＳＳＢの内容とマッチングを行う。
【０１２９】
ここで、第２所定数量は、４個であってもよく、ＳＳＢの内容は、循環シフト前のＳＳＢの内容及び循環シフト後のＳＳＢの内容を含む。
【０１３０】
ステップＳ５０４２において、マッチングに成功した、連続した第２所定数量のシンボルにおける信号の数が１つであれば、マッチングに成功した、連続した第２所定数量のシンボルを前記位置情報とする。
【０１３１】
ステップＳ５０４３において、マッチングに成功した、連続した第２所定数量のシンボルにおける信号の数が複数であれば、信号集合の最後のシンボルから、連続した第２所定数量のシンボルずつを１グループとし、設定信号の所在するシンボルを含むグループに対応するシンボルを位置情報とする。
【０１３２】
引き続き図７を例として説明する。取得された信号集合がシンボル＃５における信号からシンボル＃９における信号であるため、該信号集合における、設定信号の所在するシンボルを含むすべての連続した４個のシンボルにおける信号とプライマリＳＳＢ又は他のＳＳＢの内容に対してマッチングを行う。マッチングに成功した連続した４個のシンボルにおける信号の数は、２個である。信号集合の最後のシンボルであるシンボル＃９から、連続した４個ごとのシンボルを１グループとする。つまり、シンボル＃９からシンボル＃６を第１グループとし、第１グループにシンボル＃８が含まれるため、第１グループに対応するシンボルであるシンボル＃９からシンボル＃６をＳＳＢに属する位置情報とする。
【０１３３】
引き続き図８を例として説明する。取得された信号集合がシンボル＃３における信号からシンボル＃１３における信号であるため、該信号集合における、設定信号の所在するシンボルであるシンボル＃６を含むすべての連続した４個のシンボルにおける信号とプライマリＳＳＢ又は他のＳＳＢの内容に対してマッチングを行う。マッチングに成功した連続した４個のシンボルにおける信号の数は、複数である。信号集合の最後のシンボルであるシンボル＃１３から、連続した４個ごとのシンボルを１グループとする。つまり、シンボル＃１３からシンボル＃１０を第１グループとし、シンボル＃９からシンボル＃６を第２グループとする。第２グループにシンボル＃６が含まれるため、第２グループに対応するシンボルであるシンボル＃９からシンボル＃６をＳＳＢに属する位置情報とする。
【０１３４】
該実施例において、信号集合における、設定信号の所在するシンボルを含む全ての連続した第２所定数量のシンボルにおける信号を、ＳＳＢの内容とマッチングを行う。マッチングに成功した、連続した第２所定数量のシンボルにおける信号の数が１つである場合、マッチングに成功した、連続した第２所定数量のシンボルを位置情報とする。マッチングに成功した、連続した第２所定数量のシンボルにおける信号の数が複数である場合、信号集合の最後のシンボルから、連続した第２所定数量のシンボルずつを１グループとし、設定信号の所在するシンボルを含むグループに対応するシンボルを位置情報とする。実現方式が簡単であり、位置情報決定の正確率が高い。
【０１３５】
ステップＳ５０５において、上記位置情報に基づいて、ＳＳＢのインデックスを決定する。
【０１３６】
上記実施例において、基地局から送信されたＳＳＢを受信し、ＳＳＢにおける、ＳＳＢインデックスを決定するための設定信号に対して検出を行い、設定信号の所在位置を得る。設定信号の所在位置に基づいて、所定時間区間の信号集合を取得し、信号集合に基づいて、ＳＳＢに属する位置情報を決定する。続いて、決定された位置情報に基づいて、ＳＳＢのインデックスを決定する。決定されたＳＳＢのインデックスに、高い正確率を持たせる。
【０１３７】
図１０に示すように、基地局から送信されたＳＳＢを受信して検出することは以下を含んでもよい。
【０１３８】
ステップＳ１１０において、基地局から送信されたＳＳＢを受信する。
【０１３９】
ステップＳ１２０において、該ＳＳＢにおけるターゲット信号に対して検出を行い、ＳＳＢにおける全ての信号を取得する。
【０１４０】
ここで、ターゲット信号は、ＰＳＳであってもよいが、これに限定されない。
【０１４１】
該実施例において、ＳＳＢにおけるターゲット信号に対して検出を行い、ターゲット信号の所在位置を得て、ターゲット信号の所在位置に基づいて、ＳＳＢにおける全ての信号を取得することができる。
【０１４２】
例えば、ＵＥは、ＰＳＳを検出した後、ＰＳＳの所在するシンボルがｎであるとすれば、後から、シンボル（ｎ＋１）、シンボル（ｎ＋２）及びシンボル（ｎ＋３）を見付ける。
【０１４３】
ステップＳ１３０において、ＳＳＢにおける全ての信号を復調し、ＳＳＢに対応するＳＳＢインデックスを得る。
【０１４４】
シンボル（ｎ＋１）、シンボル（ｎ＋２）及びシンボル（ｎ＋３）を見付けた後、該４個のシンボルから、ＰＳＳ、ＰＢＣＨ、ＳＳＳ及びＰＢＣＨを得て、情報復調を行い、ＳＳＢ  ｉｎｄｅｘ及びオフセット量を得る。
【０１４５】
なお、ＳＳＢ  ｉｎｄｅｘ及びオフセット量を得た後、該ＳＳＢにおける各信号の所在するシンボル位置を決定することで、基地局との時間領域同期を実現させることができる。
【０１４６】
該実施例において、ＳＳＢにおけるターゲット信号に対して検出を行い、ＳＳＢにおける全ての信号を取得し、ＳＳＢにおける全ての信号を復調し、ＳＳＢに対応するＳＳＢインデックスを得る。実現方式は簡単である。
【０１４７】
ステップＳ４０２において、検出されたＳＳＢに対応するＳＳＢグループ内のプライマリＳＳＢを決定する。
【０１４８】
該実施例において、グループ化ルールに基づいて、検出されたＳＳＢに対応するＳＳグループを決定し、プライマリＳＳＢ選択ルールに応じて、ＳＳＢグループ内のプライマリＳＳＢを決定することができる。１つのＳＳＢグループにおいて、ＵＥは、１つより多くのＳＳＢの受信検出を望まない。つまり、１つのＳＳＢグループにおいて、ＵＥは最大限１つのＳＳＢを受信して検出することができる。
【０１４９】
任意選択的に、上記ステップＳ４０２を実行する前に、グループ化ルール及びプライマリＳＳＢ選択ルールをデフォルト設定すること、又は、基地局から送信されたグループ化ルール及びプライマリＳＳＢ選択ルールを受信することを更に含んでもよい。
【０１５０】
基地局により受信されて検出されたＳＳＢがＳＳＢ＃１であるとずれば、グループ化ルールに基づいて、ＳＳＢ＃１が第１ＳＳＢグループに属すると決定し、続いて、プライマリＳＳＢ選択ルールに基づいて、第１ＳＳＢグループのプライマリＳＳＢをＳＳＢ＃０として決定する。
【０１５１】
ステップＳ４０３において、基地局から送信された指示情報を受信し、指示情報に基づいて、基地局の送信待ちのＳＳＢを決定する。
【０１５２】
受信された指示情報により指示されたものは、ＳＳＢ＃０及びＳＳＢ＃４であれば、ＵＥは、指示情報に基づいて、基地局の送信待ちのＳＳＢがＳＳＢ＃０及びＳＳＢ＃４であることを知ることができる。
【０１５３】
ステップＳ４０４において、基地局から送信された各ランダムアクセス機会（ＲＯ）内のプリアンブルに対応するＳＳＢ数量及びＦＤＭでのＲＯ数量を受信し、基地局の送信待ちのＳＳＢ、プライマリＳＳＢの基地局の送信待ちのＳＳＢにおける位置、各ＲＯ内のプリアンブルに対応するＳＳＢ数量及びＦＤＭでのＲＯ数量に基づいて、プライマリＳＳＢに対応するＲＯ及びプリアンブルを決定する。
【０１５４】
基地局の送信待ちのＳＳＢがＳＳＢ＃０及びＳＳＢ＃４であるとすれば、検出されたＳＳＢに対応するＳＳＢグループ内のプライマリＳＳＢを、ＳＳＢ＃０として決定し、送信待ちのＳＳＢに対応する全てのＲＯがＲＯ１〜ＲＯ４であり、且つ１つのＲＯ内のｐｒｅａｍｂｌｅに対応するＳＳＢ数量を１／２（つまり、１つのＳＳＢが２つの連続したＲＯ内の全てのｐｒｅａｍｂｌｅに対応する）として決定する。ＳＳＢ＃０がＳＳＢ＃４の前に位置するため、ＳＳＢ＃０に対応するＲＯがＲＯ１〜ＲＯ２であり、対応するｐｒｅａｍｂｌｅがＲＯ１〜ＲＯ２内の全てのｐｒｅａｍｂｌｅであると決定することができる。
【０１５５】
ステップＳ４０５において、決定されたＲＯで、基地局に、対応するプリアンブルを送信し、基地局へのランダムアクセスを実現する。
【０１５６】
上記実施例において、基地局から送信されたＳＳＢを受信して検出し、検出されたＳＳＢに対応するＳＳＢグループ内のプライマリＳＳＢを決定し、基地局から送信された指示情報を受信し、該指示情報に基づいて、基地局の送信待ちのＳＳＢを決定する。続いて、基地局から送信された各ランダムアクセス機会（ＲＯ）内のプリアンブル（ｐｒｅａｍｂｌｅ）に対応するＳＳＢ数量及びＦＤＭでのＲＯ数量を受信し、基地局の送信待ちのＳＳＢ、プライマリＳＳＢの基地局の送信待ちのＳＳＢにおける位置、各ＲＯ内のｐｒｅａｍｂｌｅに対応するＳＳＢ数量及びＦＤＭでのＲＯ数量に基づいて、プライマリＳＳＢに対応するＲＯ及びｐｒｅａｍｂｌｅを決定する。これにより、ＵＥは、決定されたＲＯで、基地局に、対応するｐｒｅａｍｂｌｅを送信し、基地局へのランダムアクセスを実現する。つまり、基地局が１つのＳＳＢグループにおけるどのＳＳＢを送信するかに関わらず、ＵＥは、該ＳＳＢグループのプライマリＳＳＢに対応するＲＯリソースで、ランダムアクセスを行う。これにより、同一のＳＳＢグループ内のＳＳＢが一つ分のＲＯリソースを共有し、各ＳＳＢに対応するＲＯリソースの数を向上させ、ＲＯリソースの利用率を向上させ、ＵＥのランダムアクセスの成功率を向上させる。
【０１５７】
図１１は、一例示的な実施例によるランダムアクセス設定装置を示すブロック図である。該装置は、基地局に位置してもよい。図１１に示すように、該装置は、グループ化選択モジュール１１１と、第１送信モジュール１１２と、第２送信モジュール１１３と、第３送信モジュール１１４と、を備える。
【０１５８】
グループ化選択モジュール１１１は、複数の同期信号ブロック（ＳＳＢ）をグループ化し、各ＳＳＢグループから、１つのプライマリＳＳＢを選択するように構成される。
【０１５９】
第１送信モジュール１１２は、ユーザ装置（ＵＥ）に指示情報を送信するように構成され、指示情報は、グループ化選択モジュール１１１により選択された送信待ちのＳＳＢグループ内のプライマリＳＳＢを示すためのものである。
【０１６０】
第２送信モジュール１１３は、ＵＥに各送信待ちのＳＳＢグループ内の多くとも１つのＳＳＢを送信するように構成される。
【０１６１】
第３送信モジュール１１４は、ＵＥに、各ランダムアクセス機会（ＲＯ）内のプリアンブル（ｐｒｅａｍｂｌｅ）に対応するＳＳＢ数量及び周波数分割多重（ＦＤＭ）でのＲＯ数量を送信するように構成される。
【０１６２】
上記実施例において、複数のＳＳＢをグループ化し、ＵＥに、各送信待ちのＳＳＢグループ内の多くとも１つのＳＳＢを送信することで、ＳＳＢグループ内のＳＳＢを一つ分のＲＯリソースに対応させ、つまり、各ＳＳＢに対応するＲＯリソースの数を向上させ、ＲＯリソースの利用率を向上させ、ＵＥのランダムアクセスの成功率を向上させる。
【０１６３】
図１２は、一例示的な実施例によるもう１つのランダムアクセス設定装置を示すブロック図である。図１２に示すように、上記図１１に示す実施例を基礎として、該装置は、デフォルト設定モジュール１１５又は決定送信モジュール１１６を更に備えてもよい。
【０１６４】
デフォルト設定モジュール１１５は、グループ化選択モジュール１１１が複数の同期信号ブロック（ＳＳＢ）をグループ化し、各ＳＳＢグループから、１つのプライマリＳＳＢを選択する前に、グループ化ルール及びプライマリＳＳＢ選択ルールをデフォルト設定するように構成される。
【０１６５】
決定送信モジュール１１６は、グループ化選択モジュール１１１が複数の同期信号ブロック（ＳＳＢ）をグループ化し、各ＳＳＢグループから、１つのプライマリＳＳＢを選択する前に、グループ化ルール及びプライマリＳＳＢ選択ルールを決定し、ＵＥにグループ化ルール及びプライマリＳＳＢ選択ルールを送信するように構成される。
【０１６６】
ここで、グループ化ルールは、ビーム数、複数のＳＳＢの数量、複数のＳＳＢの時間領域位置分布情報、ウィンドウサイズ及びチャネル条件のうちの１つ又は複数を含んでもよいが、これらに限定されない。
【０１６７】
例えば、ビーム数に基づいてグループ化してもよい。基地局が送信したい（即ち、基地局により送信されるべき）複数のＳＳＢの数量に基づいてグループ化してもよい。複数のＳＳＢの時間領域位置分布情報に基づいて、４つの連続ＳＳＢを１グループとするか又は２つの連続ＳＳＢを１グループとしてもよい。また、１ｍｓウィンドウ内のＳＳＢを１グループとしてもよい。更に、チャネル条件が悪いＳＳＢについて、より多くのＳＳＢを１グループとしてもよい。これにより、グループ毎に１つのＳＳＢの送信機会を増大させ、ＲＯリソースの浪費を減少させることができる。
【０１６８】
ここで、プライマリＳＳＢ選択ルールは、各グループ内のある１つのＳＳＢをデフォルトでプライマリＳＳＢとすることを含んでもよいが、これに限定されない。例えば、各グループ内の一番目のＳＳＢをデフォルトでプライマリＳＳＢとしてもよく、各グループ内の最後のＳＳＢをデフォルトでプライマリＳＳＢとしてもよい。
【０１６９】
上記実施例において、グループ化ルール及びプライマリＳＳＢ選択ルールをデフォルト設定するか又はグループ化ルール及びプライマリＳＳＢ選択ルールを決定し、ＵＥに、グループ化ルール及びプライマリＳＳＢ選択ルールを送信する。これにより、後続の複数のＳＳＢのグループ化、各ＳＳＢグループからの１つのプライマリＳＳＢの選択に役立つ。
【０１７０】
図１３は、一例示的な実施例によるもう１つのランダムアクセス設定装置を示すブロック図である。図１３に示すように、上記図１１に示す実施例を基礎として、該装置は、選択取得モジュール１１７を更に備えてもよい。
【０１７１】
選択取得モジュール１１７は、グループ化選択モジュール１１１が複数の同期信号ブロック（ＳＳＢ）をグループ化する前に、前記複数のＳＳＢから、少なくとも１つのＳＳＢを選択してターゲットＳＳＢとし、各ターゲットＳＳＢの複数の送信可能位置を得るように構成される
【０１７２】
ここで、各ターゲットＳＳＢの複数の送信可能位置を得ることは、下記２つの方式を含む。
【０１７３】
方式１）は、循環シフト方式である。各ターゲットＳＳＢインデックスを決定するための設定信号の所在位置に基づいて、各ターゲットＳＳＢに含まれる、設定信号以外の他の信号に対して、シンボルレベルの循環シフトを行い、各ターゲットＳＳＢの複数の送信可能位置を得る。設定信号の、複数の送信可能位置における位置とターゲットＳＳＢにおける位置は、同じである。
【０１７４】
ここで、設定信号は、ＳＳＢに位置するＰＳＳ、ＳＳＳ又はＰＢＣＨを含んでもよいが、これらに限定されない。
【０１７５】
例えば、図２に示すＳＳＢ＃０を例として、ＳＳＢ＃０の複数の送信可能位置の取得プロセスを説明する。ここで、図２に示すＳＳＢ＃０の位置は、ＳＳＢ＃０の初期送信可能位置である。
【０１７６】
設定信号がＰＳＳである場合、設定信号の所在する位置であるシンボル２に基づいて、プライマリＳＳＢに含まれる、設定信号以外の他の信号に対して、シンボルレベルの循環シフトを行うことで得られたＳＳＢの複数の送信可能位置は、以下の通りである。
【０１７７】
位置１１）、シンボル０〜３であり、シンボル０〜３で送信される信号はそれぞれ、ＳＳＳ、ＰＢＣＨ、ＰＳＳ、ＰＢＣＨである。
【０１７８】
位置１２）、シンボル１〜４であり、シンボル１〜４で送信される信号は、それぞれＰＢＣＨ、ＰＳＳ、ＰＢＣＨ、ＳＳＳである。
【０１７９】
位置１３）、シンボル２〜５であり、シンボル２〜５は、ＳＳＢ＃０の初期送信可能位置であり、送信される信号はそれぞれ、ＰＳＳ、ＰＢＣＨ、ＳＳＳ、ＰＢＣＨである。
【０１８０】
なお、ここで、ＳＳＢ＃０を例として説明しているため、しかもＳＳＢが５ｍｓウィンドウの前に送信することができないため、ＳＳＢ＃０は、ＰＳＳを設定信号として循環シフトを行った後、ＰＳＳが最後に位置する場合になり得ない。それに対して、他の位置のＳＳＢであれば、ＰＳＳが最後に位置する場合になり得る。
【０１８１】
例えば、ＳＳＢ＃１における設定信号ＰＳＳであれば、もう１つ位置があり得、即ち、シンボル５〜８であり、シンボル５〜８で送信される信号は、それぞれＰＢＣＨ、ＳＳＳ、ＰＢＣＨ、ＰＳＳである。つまり、ＰＳＳは、該４つのシンボルのうちの最後のシンボルである。
【０１８２】
上記得られた複数の送信可能位置から分かるように、複数の送信可能位置での、ＰＳＳの位置は、同じであり、常に、シンボル２に位置する。これらの複数の送信可能位置のＳＳＢインデックスは、いずれもＰＳＳの所在するシンボル位置によって決定され、従って、複数の送信可能位置に対応するＳＳＢインデックスは、同じである。
【０１８３】
設定信号がＳＳＳである場合、設定信号の所在する位置に基づいて、即ち、シンボル４に基づいて、ＳＳＢ＃０に含まれる、設定信号以外の他の信号に対して、シンボルレベルの循環シフトを行い、それによって得られたＳＳＢの複数の送信可能位置は、以下の通りである。
【０１８４】
位置２１）、シンボル１〜４であり、シンボル１〜４で送信される信号はそれぞれ、ＰＢＣＨ、ＰＳＳ、ＰＢＣＨ、ＳＳＳである。
【０１８５】
位置２２）、シンボル２〜５であり、シンボル２〜５で送信される信号はそれぞれ、ＰＳＳ、ＰＢＣＨ、ＳＳＳ、ＰＢＣＨである。
【０１８６】
位置２３）、シンボル３〜６であり、シンボル３〜６で送信される信号はそれぞれ、ＰＢＣＨ、ＳＳＳ、ＰＢＣＨ、ＰＳＳである。
【０１８７】
位置２４）、シンボル４〜７であり、シンボル４〜７で送信される信号はそれぞれ、ＳＳＳ、ＰＢＣＨ、ＰＳＳ、ＰＢＣＨである。
【０１８８】
上記得られた複数の送信可能位置から分かるように、複数の送信可能位置での、ＳＳＳの位置は、同じであり、常にシンボル４に位置している。これらの複数の送信可能位置のＳＳＢインデックスはいずれも、ＳＳＳの所在するシンボル位置により決定される。従って、複数の送信可能位置に対応するＳＳＢインデックスは同じである。
【０１８９】
この場合、各ターゲットＳＳＢ及びそれを循環シフトした後に得られた複数の送信可能位置に対応する複数のＳＳＢを１グループとすることができる。
【０１９０】
方式２）は、全体シフトの方式である。各ターゲットＳＳＢの位置に基づいて、各ターゲットＳＳＢに含まれる信号を全体シフトし、各ターゲットＳＳＢの複数の送信可能位置を得る。
【０１９１】
任意選択的に、各送信可能位置と初期送信可能位置との全体シフト量に基づいて、対応するオフセット量を決定することもできる。
【０１９２】
複数の送信可能位置の取得及びオフセット量の決定のプロセスを明らかに説明するために、以下、依然として、図２に示すＳＳＢ＃０を例として説明する。図２におけるＳＳＢ＃０に含まれる信号を全体シフトすることで、下記複数の送信可能位置を得ることができる。
【０１９３】
位置３１）、シンボル０〜３であり、シンボル０〜３で送信される信号はそれぞれＰＳＳ、ＰＢＣＨ、ＳＳＳ、ＰＢＣＨであり、該位置は、初期送信可能位置に対して、前へ２個のシンボルをオフセットした位置であり、即ち、オフセット量は、−２である。
【０１９４】
位置３２）、シンボル１〜４であり、シンボル１〜４で送信される信号はそれぞれ、ＰＳＳ、ＰＢＣＨ、ＳＳＳ、ＰＢＣＨであり、該位置は、初期送信可能位置に対して、前へ１個のシンボルをオフセットした位置であり、即ち、オフセット量は、−１である。
【０１９５】
位置３３）、シンボル２〜５であり、シンボル２〜５は初期送信可能位置であり、オフセット量は、０である。
【０１９６】
位置３４）、シンボル３〜６であり、シンボル３〜６で送信される信号はそれぞれ、ＰＳＳ、ＰＢＣＨ、ＳＳＳ、ＰＢＣＨであり、該位置は、初期送信可能位置に対して、後へ１個のシンボルをオフセットした位置であり、即ち、オフセット量は、１である。
【０１９７】
位置３５）、シンボル４〜７であり、シンボル４〜７で送信される信号はそれぞれ、ＰＳＳ、ＰＢＣＨ、ＳＳＳ、ＰＢＣＨであり、該位置は、初期送信可能位置に対して、後へ２個のシンボルをオフセットした位置であり、即ち、オフセット量は、２である。
【０１９８】
上記から分かるように、上記方式により、複数の送信可能位置を得ることができる。送信可能位置が多いほど、オフセット量は大きくなり、オフセット量を示すためのビット（ｂｉｔ）数も多くなる。該実施例において、オフセット量を制限することができる。例えば、後へＭ個のシンボルしかオフセットしないように制限するか又は前へＮ個のシンボルしかオフセットしないように制限する。Ｍ及びＮはいずれも、０以上Ｘ以下の整数であり、Ｘは、必要に応じて設定されてもよく、例えば、８以下であってもよい。該実施例において、オフセット量を制限することで、オフセット量を示すための、基地局のシグナリングの増加したｂｉｔ数を可能な限り少なくし、ＰＢＣＨのシグナリングオーバーヘッドを節約することができる。
【０１９９】
この場合、各ターゲットＳＳＢ及びそれを全体シフトした後に得られた複数の送信可能位置に対応する複数のＳＳＢを１グループとすることができる。
【０２００】
上記実施例において、複数のＳＳＢから、少なくとも１つのＳＳＢを選択してターゲットＳＳＢとし、各ターゲットＳＳＢの複数の送信可能位置を得る。これにより、後続のＳＳＢのグループ化に役立つ。
【０２０１】
図１４は、一例示的な実施例によるもう１つのランダムアクセス設定装置を示すブロック図である。図１３に示すように、上記図１１に示す実施例を基礎として、第２送信モジュール１１３は、
【０２０２】
各送信待ちのＳＳＢグループ内の一番目のＳＳＢを現在のＳＳＢとするように構成される決定サブモジュール１１３１と、
【０２０３】
決定サブモジュール１１３１により決定された現在のＳＳＢの送信位置の前にチャネル検出を行うように構成される検出サブモジュール１１３２と、
【０２０４】
検出サブモジュール１１３２がチャネルがアイドルであることを検出した場合、現在のＳＳＢを送信するように構成される送信サブモジュール１１３３と、
【０２０５】
検出サブモジュール１１３２がチャネルがビジーであることを検出した場合、現在のＳＳＢの次のＳＳＢを現在のＳＳＢとし、引き続き検出サブモジュール１１３２を呼び出して、現在のＳＳＢの送信位置の前のチャネル検出を実行し、１つのＳＳＢの送信に成功するまで継続するか、又は送信待ちのＳＳＢグループ内の全てのＳＳＢの送信位置の前のチャネルがいずれもビジーであることを検出するまで継続するように構成される処理サブモジュール１１３４と、を備える。
【０２０６】
上記実施例において、ＵＥに、各送信待ちのＳＳＢグループ内の多くとも１つのＳＳＢを送信することで、後続のＲＯリソースの浪費の減少に役立つ。
【０２０７】
図１５は、一例示的な実施例によるランダムアクセス装置を示すブロック図である。該装置は、ＵＥに位置してもよい。図１５に示すように、該装置は、以下を備える。
【０２０８】
受信検出モジュール１５１は、基地局から送信された同期信号ブロック（ＳＳＢ）を受信して検出するように構成される。
【０２０９】
決定モジュール１５２は、受信検出モジュールにより検出されたＳＳＢに対応するＳＳＢグループ内のプライマリＳＳＢを決定するように構成される。
【０２１０】
１つのＳＳＢグループにおいて、ＵＥは、１つより多くのＳＳＢの受信検出を望まないことに留意されたい。つまり、１つのＳＳＢグループにおいて、ＵＥは最大限１つのＳＳＢを受信して検出することができる。
【０２１１】
第１受信決定モジュール１５３は、基地局から送信された指示情報を受信し、指示情報に基づいて、基地局の送信待ちのＳＳＢを決定するように構成される。
【０２１２】
第２受信決定モジュール１５４は、基地局から送信された各ランダムアクセス機会（ＲＯ）内のプリアンブル（ｐｒｅａｍｂｌｅ）に対応するＳＳＢ数量及び周波数分割多重（ＦＤＭ）でのＲＯ数量を受信し、第１受信決定モジュール１５３により決定された基地局の送信待ちのＳＳＢ、決定モジュール１５２により決定されたプライマリＳＳＢの基地局の送信待ちのＳＳＢにおける位置、各ＲＯ内のｐｒｅａｍｂｌｅに対応するＳＳＢ数量及びＦＤＭでのＲＯ数量に基づいて、プライマリＳＳＢに対応するＲＯ及びｐｒｅａｍｂｌｅを決定するように構成される。
【０２１３】
基地局の送信待ちのＳＳＢがＳＳＢ＃０及びＳＳＢ＃４であるとすれば、検出されたＳＳＢに対応するＳＳＢグループ内のプライマリＳＳＢを、ＳＳＢ＃０として決定し、送信待ちのＳＳＢに対応する全てのＲＯがＲＯ１〜ＲＯ４であり、且つ１つのＲＯ内のｐｒｅａｍｂｌｅに対応するＳＳＢ数量を、１／２（つまり、１つのＳＳＢが２つの連続したＲＯ内の全てのｐｒｅａｍｂｌｅに対応する）として決定する。ＳＳＢ＃０がＳＳＢ＃４の前に位置するため、ＳＳＢ＃０に対応するＲＯがＲＯ１〜ＲＯ２であり、対応するｐｒｅａｍｂｌｅがＲＯ１〜ＲＯ２内の全てのｐｒｅａｍｂｌｅであると決定することができる。
【０２１４】
アクセスモジュール１５５は、第２受信決定モジュール１５４により決定されたＲＯで、基地局に、対応するｐｒｅａｍｂｌｅを送信し、基地局へのランダムアクセスを実現するように構成される。
【０２１５】
上記実施例において、基地局から送信されたＳＳＢを受信して検出し、検出されたＳＳＢに対応するＳＳＢグループ内のプライマリＳＳＢを決定し、基地局から送信された指示情報を受信し、該指示情報に基づいて、基地局の送信待ちのＳＳＢを決定する。続いて、基地局から送信された各ランダムアクセス機会（ＲＯ）内のプリアンブル（ｐｒｅａｍｂｌｅ）に対応するＳＳＢ数量及びＦＤＭでのＲＯ数量を受信し、基地局の送信待ちのＳＳＢ、プライマリＳＳＢの基地局の送信待ちのＳＳＢにおける位置、各ＲＯ内のｐｒｅａｍｂｌｅに対応するＳＳＢ数量及びＦＤＭでのＲＯ数量に基づいて、プライマリＳＳＢに対応するＲＯ及びｐｒｅａｍｂｌｅを決定する。これにより、ＵＥは、決定されたＲＯで、基地局に、対応するｐｒｅａｍｂｌｅを送信し、基地局へのランダムアクセスを実現する。つまり、基地局が１つのＳＳＢグループにおけるどのＳＳＢを送信するかに関わらず、ＵＥは、該ＳＳＢグループのプライマリＳＳＢに対応するＲＯリソースで、ランダムアクセスを行う。これにより、同一のＳＳＢグループ内のＳＳＢが一つ分のＲＯリソースを共有し、各ＳＳＢに対応するＲＯリソースの数を向上させ、ＲＯリソースの利用率を向上させ、ＵＥのランダムアクセスの成功率を向上させる。
【０２１６】
図１６は、一例示的な実施例によるもう１つのランダムアクセス装置を示すブロック図である。図１６に示すように、上記図１５に示す実施例を基礎として、受信検出モジュール１５１は、以下を備えてもよい。
【０２１７】
第１受信サブモジュール１５１１は、基地局から送信されたＳＳＢを受信するように構成される。
【０２１８】
検出取得サブモジュール１５１２は、第１受信サブモジュール１５１１により受信されたＳＳＢにおける、ＳＳＢインデックスを決定するための設定信号に対して検出を行い、設定信号の所在位置を得るように構成される。
【０２１９】
ここで、複数の方式で設定信号を決定することができる。例えば、ＳＳＢにおける信号を設定信号と設定する。つまり、如何なる場合に、設定信号はいずれも同じである。ＳＳＢの送信周波数点又はサブキャリア間隔に基づいて、ＳＳＢにおける異なる信号を設定信号として決定することもできる。
【０２２０】
取得サブモジュール１５１３は、検出取得サブモジュール１５１２により取得された設定信号の所在位置に基づいて、所定時間区間の信号集合を取得するように構成される。
【０２２１】
第１決定サブモジュール１５１４は、取得サブモジュール１５１３により取得された信号集合に基づいて、ＳＳＢに属する位置情報を決定するように構成される。
【０２２２】
第２決定サブモジュール１５１５は、第１決定サブモジュール１５１４により決定された位置情報に基づいて、ＳＳＢのインデックスを決定するように構成される。
【０２２３】
上記実施例において、基地局から送信されたＳＳＢを受信することで、ＳＳＢにおける、ＳＳＢインデックスを決定するための設定信号に対して検出を行い、設定信号の所在位置を得る。設定信号の所在位置に基づいて、所定時間区間の信号集合を取得し、信号集合に基づいて、ＳＳＢに属する位置情報を決定する。続いて、決定された位置情報に基づいて、ＳＳＢのインデックスを決定する。これにより、決定されたＳＳＢのインデックスに、高い正確率を持たせる。
【０２２４】
図１７は、一例示的な実施例によるもう１つのランダムアクセス装置を示すブロック図である。図１７に示すように、上記図１５に示す実施例を基礎として、受信検出モジュール１５１は、以下を備えてもよい。
【０２２５】
第２受信サブモジュール１５１６は、基地局から送信されたＳＳＢを受信するように構成される。
【０２２６】
検出サブモジュール１５１７は、第２受信サブモジュール１５１６により受信されたＳＳＢにおけるターゲット信号に対して検出を行い、ＳＳＢにおける全ての信号を得るように構成される。
【０２２７】
ここで、ターゲット信号は、ＰＳＳであってもよいが、これに限定されない。
【０２２８】
該実施例において、ＳＳＢにおけるターゲット信号に対して検出を行い、ターゲット信号の所在位置を得て、ターゲット信号の所在位置に基づいて、ＳＳＢにおける全ての信号を取得することができる。
【０２２９】
例えば、ＵＥは、ＰＳＳを検出した後、ＰＳＳの所在するシンボルがｎであるとすれば、後から、シンボル（ｎ＋１）、シンボル（ｎ＋２）及びシンボル（ｎ＋３）を見付ける。
【０２３０】
復調モジュール１５１８は、検出サブモジュール１５１７により取得されたＳＳＢにおける全ての信号を復調し、ＳＳＢに対応するＳＳＢインデックスを得るように構成される。
【０２３１】
シンボル（ｎ＋１）、シンボル（ｎ＋２）及びシンボル（ｎ＋３）を見付けた後、該４個のシンボルから、ＰＳＳ、ＰＢＣＨ、ＳＳＳ及びＰＢＣＨを得て、情報復調を行い、ＳＳＢ  ｉｎｄｅｘ及びオフセット量を得る。
【０２３２】
なお、ＳＳＢ  ｉｎｄｅｘ及びオフセット量を得た後、該ＳＳＢにおける各信号の所在するシンボル位置を決定することで、基地局との時間領域同期を実現させることができる。
【０２３３】
上記実施例において、ＳＳＢにおけるターゲット信号に対して検出を行い、ＳＳＢにおける全ての信号を取得し、ＳＳＢにおける全ての信号を復調し、ＳＳＢに対応するＳＳＢインデックスを得る。実現方式は簡単である。
【０２３４】
図１８は、一例示的な実施例によるもう１つのランダムアクセス装置を示すブロック図である。図１８に示すように、上記図１５に示す実施例を基礎として、決定モジュール１５２は、以下を備えてもよい。
【０２３５】
第３決定サブモジュール１５２１は、グループ化ルールに基づいて、検出されたＳＳＢに対応するＳＳＢグループを決定するように構成される。
【０２３６】
第４決定サブモジュール１５２２は、プライマリＳＳＢ選択ルールに基づいて、第３決定サブモジュール１５２１により決定されたＳＳＢグループ内のプライマリＳＳＢを決定するように構成される。
【０２３７】
該実施例において、グループ化ルールに基づいて、検出されたＳＳＢに対応するＳＳＢグループを決定し、プライマリＳＳＢ選択ルールに応じて、ＳＳＢグループ内のプライマリＳＳＢを決定することができる。
【０２３８】
上記実施例において、グループ化ルールに基づいて、検出されたＳＳＢに対応するＳＳＢグループを決定し、プライマリＳＳＢ選択ルールに応じて、ＳＳＢグループ内のプライマリＳＳＢを決定することで、後続のプライマリＳＳＢに対応するＲＯリソースの決定に役立つ。
【０２３９】
図１９は、一例示的な実施例によるもう１つのランダムアクセス装置を示すブロック図である。図１９に示すように、上記図１８に示す実施例を基礎として、該装置は、デフォルト設定モジュール１５６又は受信モジュール１５７を更に備えてもよい。
【０２４０】
デフォルト設定モジュール１５６は、グループ化ルール及びプライマリＳＳＢ選択ルールをデフォルト設定するように構成される。
【０２４１】
受信モジュール１５７は、基地局から送信されたグループ化ルール及びプライマリＳＳＢ選択ルールを受信するように構成される。
【０２４２】
上記実施例において、グループ化ルール及びプライマリＳＳＢ選択ルールをデフォルト設定するか又は基地局から送信されたグループ化ルール及びプライマリＳＳＢ選択ルールを受信することで、後続の検出されたＳＳＢに対応するＳＳＢグループ内のプライマリＳＳＢの決定に役立つ。
【０２４３】
図２０は、一例示的な実施例によるもう１つのランダムアクセス装置を示すブロック図である。図２０に示すように、上記図１６に示す実施例を基礎として、取得サブモジュール１５１３は、以下を備えてもよい。
【０２４４】
決定ユニット１５１３１は、設定信号が所在するシンボルの前又は後ろのシンボルを現在のシンボルとして決定するように構成される。
【０２４５】
マッチングユニット１５１３２は、設定信号及び決定ユニット１５１３１により決定された現在のシンボル上の信号がＳＳＢの内容とマッチングするかどうかを判定するように構成され、前記ＳＳＢの内容は、循環シフト前のＳＳＢの内容及び循環シフト後のＳＳＢの内容を含む。
【０２４６】
追加統計ユニット１５１３３は、マッチングユニット１５１３２のマッチング結果が、マッチングしたことであれば、現在のシンボル上の信号を信号集合に追加し、現在のシンボルの総数を統計し、総数が第１所定数量に達していない場合、現在のシンボル及びその前のシンボル又は現在のシンボル及びその後ろのシンボルを現在のシンボルとし、マッチングユニット１５１３２を繰り返して呼び出して、現在のシンボル上の信号及び設定信号がＳＳＢの内容とマッチングするかどうかを判定するという操作を実行し、総数が前記第１所定数量に達するまで継続するように構成される。
【０２４７】
検出終止ユニット１５１３４は、マッチングユニット１５１３２のマッチング結果が、マッチングしないことであれば、現在信号集合に追加されたシンボルの前のシンボル又は現在信号集合に追加されたシンボルの後ろのシンボルの検出を終止するように構成される。
【０２４８】
ここで、設定信号の所在位置に基づいて、所定時間区間の信号集合を取得することは、設定信号の所在位置に基づいて、第１所定時間区間の第１信号集合及び第２所定時間区間の第２信号集合を取得することを含む。ここで、第１所定時間区間は、設定信号の所在位置の前に位置し、第２所定時間区間は、設定信号の所在位置の後ろに位置する。上記第１信号集合、第２信号集合及び設定信号は、上記信号集合を構成する。
【０２４９】
上記実施例において、現在のシンボル上の信号及び設定信号がＳＳＢの内容とマッチングするかどうかを判定し、マッチングする場合、現在のシンボルを信号集合に追加し、上記操作を繰り返して実行し、現在のシンボルの数が第１所定数量に達するまで継続する。マッチングしない場合、現在信号集合に追加されたシンボルの前又は後ろのシンボルの検出を終止し、信号集合の取得を実現させる。
【０２５０】
図２１は、一例示的な実施例によるもう１つのランダムアクセス装置を示すブロック図である。図２１に示すように、上記図１６に示す実施例を基礎として、第１決定サブモジュール１５１４は、以下を備えてもよい。
【０２５１】
マッチングユニット１５１４１は、信号集合における、設定信号の所在するシンボルを含む全ての連続した第２所定数量のシンボルにおける信号を、ＳＳＢの内容とマッチングを行うように構成され、ＳＳＢの内容は、循環シフト前のＳＳＢの内容及び循環シフト後のＳＳＢの内容を含む。
【０２５２】
第１決定ユニット１５１４２は、マッチングユニット１５１４１によるマッチングに成功した、連続した第２所定数量のシンボルにおける信号の数が１つであれば、マッチングに成功した、連続した第２所定数量のシンボルを前記位置情報とするように構成される。
【０２５３】
ここで、第２所定数量は、４個であってもよい。
【０２５４】
第２決定ユニット１５１４３は、マッチングユニット１５１４１によるマッチングに成功した、連続した第２所定数量のシンボルにおける信号の数が複数であれば、信号集合の最後のシンボルから、連続した第２所定数量のシンボルずつを１グループとし、設定信号の所在するシンボルを含むグループに対応するシンボルを前記位置情報とするように構成される。
【０２５５】
引き続き図７を例として説明する。取得された信号集合がシンボル＃５における信号からシンボル＃９における信号であるため、該信号集合における、設定信号の所在するシンボルを含むすべての連続した４個のシンボルにおける信号とプライマリＳＳＢ又は他のＳＳＢの内容に対してマッチングを行う。マッチングに成功した連続した４個のシンボルにおける信号の数は、２個である。信号集合の最後のシンボルであるシンボル＃９から、連続した４個ごとのシンボルを１グループとする。つまり、シンボル＃９からシンボル＃６を第１グループとし、第１グループにシンボル＃８が含まれるため、第１グループに対応するシンボルであるシンボル＃９からシンボル＃６をＳＳＢに属する位置情報とする。
【０２５６】
引き続き図８を例として説明する。取得された信号集合がシンボル＃３における信号からシンボル＃１３における信号であるため、該信号集合における、設定信号の所在するシンボルであるシンボル＃６を含むすべての連続した４個のシンボルにおける信号とプライマリＳＳＢ又は他のＳＳＢの内容に対してマッチングを行う。マッチングに成功した連続した４個のシンボルにおける信号の数は、複数である。信号集合の最後のシンボルであるシンボル＃１３から、連続した４個ごとのシンボルを１グループとする。つまり、シンボル＃１３からシンボル＃１０を第１グループとし、シンボル＃９からシンボル＃６を第２グループとする。第２グループにシンボル＃６が含まれるため、第２グループに対応するシンボルであるシンボル＃９からシンボル＃６をＳＳＢに属する位置情報とする。
【０２５７】
上記実施例において、信号集合における、設定信号の所在するシンボルを含む全ての連続した第２所定数量のシンボルにおける信号を、ＳＳＢの内容とマッチングを行う。マッチングに成功した、連続した第２所定数量のシンボルにおける信号の数が１つである場合、マッチングに成功した、連続した第２所定数量のシンボルを位置情報とする。マッチングに成功した、連続した第２所定数量のシンボルにおける信号の数が複数である場合、信号集合の最後のシンボルから、連続した第２所定数量のシンボルずつを１グループとし、設定信号の所在するシンボルを含むグループに対応するシンボルを位置情報とする。実現方式が簡単であり、位置情報決定の正確率が高い。
【０２５８】
図２２は、一例示的な実施例によるもう１つのランダムアクセス装置を示すブロック図である。図２２に示すように、上記図１７に示す実施例を基礎として、検出サブモジュール１５１７は、以下を備えてもよい。
【０２５９】
検出ユニット１５１７１は、ＳＳＢにおけるターゲット信号に対して検出を行い、ターゲット信号の所在位置を得るように構成される。
【０２６０】
取得ユニット１５１７２は、検出ユニット１５１７１により得られたターゲット信号の所在位置に基づいて、ＳＳＢにおける全ての信号を取得するように構成される。
【０２６１】
上記実施例において、ＳＳＢにおけるターゲット信号に対して検出を行い、ターゲット信号の所在位置を取得する。取得されたターゲット信号の所在位置に基づいて、ＳＳＢにおける全ての信号を取得する。これにより、後続のＳＳＢインデックスの取得に役立つ。
【０２６２】
図２３は、一例示的な実施例によるランダムアクセス設定装置を適用できる装置を示すブロック図である。装置２３００は、基地局として提供されてもよい。図２３に示すように、装置２３００は、処理ユニット２３２２と、無線送信／受信ユニット２３２４と、アンテナユニット２３２６と、無線インタフェースに固有の信号処理部と、を備える。処理ユニット２３２２は、１つ又は複数のプロセッサを更に備えてもよい。
【０２６３】
処理ユニット２３２２における１つのプロセッサは、
【０２６４】
複数の同期信号ブロック（ＳＳＢ）をグループ化し、各ＳＳＢグループから、１つのプライマリＳＳＢを選択することと、
【０２６５】
ユーザ装置（ＵＥ）に指示情報を送信することであって、指示情報は、送信待ちのＳＳＢグループ内のプライマリＳＳＢを示すためのものである、ことと、
【０２６６】
ＵＥに各送信待ちのＳＳＢグループ内の多くとも１つのＳＳＢを送信することと、
【０２６７】
ＵＥに、各ランダムアクセス機会（ＲＯ）内のプリアンブル（ｐｒｅａｍｂｌｅ）に対応するＳＳＢ数量及び周波数分割多重（ＦＤＭ）でのＲＯ数量を送信することと、を実行するように構成される。
【０２６８】
例示的な実施例において、命令を記憶し非一時的コンピュータ可読記憶媒体を更に提供する。上記命令は、装置２３００の処理ユニット２３２２により実行され上記ランダムアクセス設定方法を完了する。例えば、非一時的コンピュータ可読記憶媒体はＲＯＭ、ランダムアクセスメモリ（ＲＡＭ）、ＣＤ−ＲＯＭ、磁気テープ、フロッピーディスク、光データ記憶装置等であってもよい。
【０２６９】
図２４は、一例示的な実施例によるランダムアクセス装置を適用できる装置を示すブロック図である。例えば、装置２４００は、携帯電話、コンピュータ、デジタル放送端末、メッセージング装置、ゲームコンソール、タブレットデバイス、医療機器、フィットネス機器、パーソナルデジタルアシスタントなどのユーザ装置であってもよい。
【０２７０】
図２４に示すように、装置２４００は、処理ユニット２４０２、メモリ２４０４、電源ユニット２４０６、マルチメディアユニット２４０８、オーディオユニット２４１０、入力／出力（Ｉ／Ｏ）インタフェース２４１２、センサユニット２４１４及び通信ユニット２４１６のうちの１つ又は複数を備えてもよい。
【０２７１】
処理ユニット２４０２は一般的には、装置２４００の全体操作を制御する。例えば、表示、通話呼、データ通信、カメラ操作及び記録操作に関連する操作を制御する。処理ユニット２４０２は、指令を実行するための１つ又は複数のプロセッサ２４２０を備えてもよい。それにより上記方法の全て又は一部のステップを実行する。なお、処理ユニット２４０２は、他のユニットとのインタラクションのために、１つ又は複数のモジュールを備えてもよい。例えば、処理ユニット２４０２はマルチメディアモジュールを備えることで、マルチメディアユニット２４０８と処理ユニット２４０２とのインタラクションに寄与する。
【０２７２】
処理ユニット２４０２における１つのプロセッサ２４２０は、
【０２７３】
基地局から送信された同期信号ブロック（ＳＳＢ）を受信して検出することと、
【０２７４】
検出されたＳＳＢに対応するＳＳＢグループ内のプライマリＳＳＢを決定することと、
【０２７５】
基地局から送信された指示情報を受信し、前記指示情報に基づいて、前記基地局の送信待ちのＳＳＢを決定することと、
【０２７６】
基地局から送信された各ランダムアクセス機会（ＲＯ）内のプリアンブル（ｐｒｅａｍｂｌｅ）に対応するＳＳＢ数量及び周波数分割多重（ＦＤＭ）でのＲＯ数量を受信し、基地局の送信待ちのＳＳＢ、プライマリＳＳＢの基地局の送信待ちのＳＳＢにおける位置、各ＲＯ内のｐｒｅａｍｂｌｅに対応するＳＳＢ数量及びＦＤＭでのＲＯ数量に基づいて、プライマリＳＳＢに対応するＲＯ及びｐｒｅａｍｂｌｅを決定することと、
【０２７７】
決定されたＲＯで、基地局に、対応するｐｒｅａｍｂｌｅを送信し、基地局へのランダムアクセスを実現することと、を実行するように構成される。
【０２７８】
メモリ２４０４は、各種のデータを記憶することで装置２４００における操作をサポートするように構成される。これらのデータの例として、装置２４００上で操作れる如何なるアプリケーション又は方法の命令、連絡先データ、電話帳データ、メッセージ、イメージ、ビデオ等を含む。メモリ２４０４は任意のタイプの揮発性または不揮発性記憶装置、あるいはこれらの組み合わせにより実現される。例えば、スタティックランダムアクセスメモリ（ＳＲＡＭ）、電気的消去可能なプログラマブル読み出し専用メモリ（ＥＥＰＲＯＭ）、電気的に消去可能なプログラマブル読出し専用メモリ（ＥＰＲＯＭ）、プログラマブル読出し専用メモリ（ＰＲＯＭ）、読出し専用メモリ（ＲＯＭ）、磁気メモリ、フラッシュメモリ、磁気もしくは光ディスクを含む。
【０２７９】
電源ユニット２４０６は装置２４００の様々なユニットに電力を提供する。電源ユニット２４０６は、電源管理システム、１つ又は複数の電源、及び装置２４００のための電力生成、管理、分配に関連する他のユニットを備えてもよい。
【０２８０】
マルチメディアユニット２４０８は、上記装置２４００とユーザとの間に出力インタフェースを提供するためのスクリーンを備える。幾つかの実施例において、スクリーンは、液晶ディスプレイ（ＬＣＤ）及びタッチパネル（ＴＰ）を含む。スクリーンは、タッチパネルを含むと、タッチパネルとして実現され、ユーザからの入力信号を受信する。タッチパネルは、タッチ、スライド及びパネル上のジェスチャを感知する１つ又は複数のタッチセンサを備える。上記タッチセンサは、タッチ又はスライド動作の境界を感知するだけでなく、上記タッチ又はスライド操作に関連する持続時間及び圧力を検出することもできる。幾つかの実施例において、マルチメディアユニット２４０８は、フロントカメラ及び／又はリアカメラを備える。装置２４００が、撮影モード又は映像モードのような操作モードであれば、フロントカメラ及び／又はリアカメラは外部からのマルチメディアデータを受信することができる。各フロントカメラ及びリアカメラは固定した光学レンズシステム又は焦点及び光学ズーム能力を持つものであってもよい。
【０２８１】
オーディオユニット２４１０は、オーディオ信号を出力／入力するように構成される。例えば、オーディオユニット２４１０は、マイクロホン（ＭＩＣ）を備える。装置２４００が、通話モード、記録モード及び音声識別モードのような操作モードであれば、マイクロホンは、外部からのオーディオ信号を受信するように構成される。受信したオーディオ信号を更にメモリ２４０４に記憶するか、又は通信ユニット２４１６を経由して送信することができる。幾つかの実施例において、オーディオユニット２４１０は、オーディオ信号を出力するように構成されるスピーカーを更に備える。
【０２８２】
Ｉ／Ｏインタフェース２４１２は、処理ユニット２４０２と周辺インタフェースモジュールとの間のインタフェースを提供する。上記周辺インタフェースモジュールは、キーボード、クリックホイール、ボタン等であってもよい。これらのボタンは、ホームボダン、ボリュームボタン、スタートボタン及びロックボタンを含むが、これらに限定されない。
【０２８３】
センサユニット２４１４は、１つ又は複数のセンサを備え、装置２４００のために様々な状態の評価を行うように構成される。例えば、センサユニット２４１４は、装置２４００のオン／オフ状態、ユニットの相対的な位置決めを検出することができる。例えば、上記ユニットが装置２４００のディスプレイ及びキーパッドである。センサユニット２４１４は装置２４００又は装置２４００における１つのユニットの位置の変化、ユーザと装置２４００との接触の有無、装置２４００の方位又は加速／減速及び装置２４００の温度の変動を検出することもできる。センサユニット２４１４は近接センサを備えてもよく、いかなる物理的接触もない場合に周囲の物体の存在を検出するように構成される。センサユニット２４１４は、ＣＭＯＳ又はＣＣＤ画像センサのような光センサを備えてもよく、結像に適用されるように構成される。幾つかの実施例において、該センサユニット２４１４は、加速度センサ、ジャイロセンサ、磁気センサ、圧力センサ又は温度センサを備えてもよい。
【０２８４】
通信ユニット２４１６は、装置２４００と他の機器との有線又は無線方式の通信に寄与するように構成される。装置２４００は、ＷｉＦｉ、２Ｇ又は３Ｇ、４Ｇ  ＬＴＥ、５Ｇ  ＮＲ又はそれらの組み合わせのような通信規格に基づいた無線ネットワークにアクセスできる。一例示的な実施例において、通信ユニット２４１６は放送チャネルを経由して外部放送チャネル管理システムからの放送信号又は放送関連する情報を受信する。一例示的な実施例において、上記通信ユニット２４１６は、近接場通信（ＮＦＣ）モジュールを更に備えることで近距離通信を促進する。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術及び他の技術に基づいて実現される。
【０２８５】
例示的な実施例において、装置２４００は、１つ又は複数の特定用途向け集積回路（ＡＳＩＣ）、デジタル信号プロセッサ（ＤＳＰ）、デジタル信号処理機器（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又は他の電子素子により実現され、上記方法を実行するように構成されてもよい。
【０２８６】
例示的な実施例において、命令を記憶したメモリ２４０４のような非一時的コンピュータ可読記憶媒体を更に提供する。上記命令は、装置２４００のプロセッサ２４２０により実行され上記方法を完了する。例えば、前記非一時的コンピュータ可読記憶媒体はＲＯＭ、ランダムアクセスメモリ（ＲＡＭ）、ＣＤ−ＲＯＭ、磁気テープ、フロッピーディスク、光データ記憶装置等であってもよい。
【０２８７】
装置実施例について言えば、基本的に方法の実施例に対応するため、関連するところは方法の実施例の部分的な説明を参考にすることができる。以上に記述した装置の実施例は例示的なものに過ぎず、別体の部品として記述したモジュールは、物理的に分離したものであっても、でなくてもよい。モジュールとして示した部品は、物理的に分離したモジュールであっても、でなくてもよい。即ち、一箇所に位置してもよいし、複数のネットワークモジュールに分布してもよい。実際の需要に応じて、一部又は全部のモジュールを選択して本発明の実施例の目的を実現させることができる。当業者は創造的な労力を要することなく、理解して実施することができる。
【０２８８】
本発明の実施例では、用語である第１、第２等のような関係語は、１つのエンティティ又は操作を他のエンティティ又は操作と区別するためのものに過ぎず、これらのエンティティ又は操作同士で如何なるこのような実際の関係又は順番が存在することを要求又は示唆するものではない。用語「含む」、「備える」、またはそれらの他のいずれかの変形は、非排他的包含を包括するように意図される。従って、一連の要素を含むプロセス、方法、品目又は装置は、これらの要素を含むだけでなく、明確に列挙されていない他の要素も含み、又は、このようなプロセス、方法、品目又は装置に固有の要素も含む。更なる限定が存在しない場合、“・・・を含む”なる文章によって規定される要素は、該要素を有するプロセス、方法、品目又は装置内に、同じ要素が更に存在することを排除しない。
【０２８９】
当業者は明細書を検討し、ここで開示した発明を実践した後、本発明のその他の実施方案を容易に思いつくことができる。本発明の実施例は、本発明の実施例のいかなる変形、用途、又は適応的な変化を含むことを目的としており、いかなる変形、用途、又は適応的な変化は、本発明の一般原理に基づいて、且つ本発明の実施例において公開されていない本技術分野においての公知常識又は慣用技術手段を含む。明細書及び実施例は、例示的なものを開示しており、本発明の保護範囲と主旨は、特許請求の範囲に記述される。
【０２９０】
本発明の実施例は、上記で説明した、また図面において示した精確な構造に限定されず、その範囲を逸脱しない前提のもとで種々の変更及び修正を行うことができることを理解すべきである。本発明の実施例の範囲は付された特許請求の範囲によってのみ限定される。
【図１】
2021531686.tif 000003
【図２】
2021531686.tif 000004
【図３】
2021531686.tif 000005
【図４】
2021531686.tif 000006
【図５】
2021531686.tif 000007
【図６】
2021531686.tif 000008
【図７】
2021531686.tif 000009
【図８】
2021531686.tif 000010
【図９】
2021531686.tif 000011
【図１０】
2021531686.tif 000012
【図１１】
2021531686.tif 000013
【図１２】
2021531686.tif 000014
【図１３】
2021531686.tif 000015
【図１４】
2021531686.tif 000016
【図１５】
2021531686.tif 000017
【図１６】
2021531686.tif 000018
【図１７】
2021531686.tif 000019
【図１８】
2021531686.tif 000020
【図１９】
2021531686.tif 000021
【図２０】
2021531686.tif 000022
【図２１】
2021531686.tif 000023
【図２２】
2021531686.tif 000024
【図２３】
2021531686.tif 000025
【図２４】
2021531686.tif 000026
【手続補正書】
【提出日】令和3年1月7日(2021.1.7)
【手続補正１】
【補正対象書類名】明細書
【補正対象項目名】全文
【補正方法】変更
【補正の内容】
【発明の詳細な説明】
【技術分野】
【０００１】
本願は、通信技術分野に関し、特にランダムアクセス設定方法及び装置、ランダムアクセス方法及び装置、基地局、ユーザ装置並びにコンピュータ可読記憶媒体に関する。
【背景技術】
【０００２】
新しい無線（Ｎｅｗ  Ｒａｄｉｏ：ＮＲと略称される）ライセンススペクトルで、各スロット（ｓｌｏｔ）は、１４個のシンボルを含むが、１ミリ秒（ｍｓ）内に幾つのｓｌｏｔが含まれるかは、サブキャリア間隔によって決まる。例えば、サブキャリア間隔が１５キロヘルツ（ＫＨｚ）である場合、１ｍｓ内に１個のｓｌｏｔが含まれ、サブキャリア間隔が３０ＫＨｚである場合、１ｍｓ内に２個のｓｌｏｔが含まれ、サブキャリア間隔が６０ＫＨｚである場合、１ｍｓ内に４個のｓｌｏｔが含まれ、このように類推する。
【０００３】
ＮＲにおいて、常時定期的に送信される（ａｌｗａｙｓ  ｏｎ）基準信号を減少させ、オーバーヘッドを減らすために、同期信号ブロック（Ｓｙｎｃｈｒｏｎｉｚａｔｉｏｎ  Ｓｉｇｎａｌ  Ｂｌｏｃｋ：ＳＳＢと略称される）が提案され、各ＳＳＢは、４個の連続シンボルを占有し、順にそれぞれ、プライマリ同期信号（Ｐｒｉｍａｒｙ  Ｓｙｎｃｈｒｏｎｉｚａｔｉｏｎ  Ｓｉｇｎａｌ：ＰＳＳと略称される）、物理ブロードキャストチャネル（Ｐｈｙｓｉｃａｌ  Ｂｒｏａｄｃａｓｔ  Ｃｈａｎｎｅｌ：ＰＢＣＨと略称される）、セカンダリ同期信号（Ｓｅｃｏｎｄａｒｙ  Ｓｙｎｃｈｒｏｎｉｚａｔｉｏｎ  Ｓｉｇｎａｌ：ＳＳＳと略称される）及びＰＢＣＨである。ここで、ＳＳＳが所在するシンボルの中間の１２個のリソースブロック（ＲＢ）は、ＳＳＳであり、両側の４個のＲＢは、ＰＢＣＨである。ＰＢＣＨにおいて、幾つかのサブキャリは、復調基準信号（Ｄｅｍｏｄｕｌａｔｉｏｎ  Ｒｅｆｅｒｅｎｃｅ  Ｓｉｇｎａｌ：ＤＭＲＳと略称される）である。同期信号ブロックのサブキャリア間隔は、１５ＫＨｚ、３０ＫＨｚ、１２０ＫＨｚ及び２４０ＫＨｚであってもよい。全ての同期信号ブロックは、５ｍｓ内に送信される。ビーム（ｂｅａｍ）送信をサポートするために、ｂｅａｍがあれば、全てのｂｅａｍがＳＳＢを送信する必要がある。従って、５ｍｓ内に送信可能な同期信号ブロックの数は、最大４（キャリヤ周波数３ＧＨｚ以下の場合）、８（キャリヤ周波数３ＧＨｚ〜６ＧＨｚの場合）又は６４（キャリヤ周波数６ＧＨｚ以上の場合）である。
【０００４】
ユーザ装置（ＵＥ）と基地局が初期同期を行う場合、ＵＥは、基地局から送信されたＳＳＢの１つを検出し、該ＳＳＢインデックス（ｉｎｄｅｘ）を得て、該ＳＳＢが所在するシンボル位置を取得し、それによって、ＵＥと基地局は、下りリンクのシンボル同期を実現する。上りリンク同期を実現するために、ＵＥは、ランダムアクセス（Ｒａｎｄｏｍ  Ａｃｅｓｓ：ＲＡと略称される）プリアンブル（ｐｒｅａｍｂｌｅ）を送信する必要がある。該ｐｒｅａｍｂｌｅを如何に選択するか、該ｐｒｅａｍｂｌｅがどのランダムアクセス機会（ＲＡＣＨ（Ｒａｎｄｏｍ  Ａｃｃｅｓｓ  Ｃｈａｎｎｅｌ）Ｏｃｃａｓｉｏｎ：ＲＯと略称される）で送信されるかは、ユーザが受信したＳＳＢ、基地局が実際にどれらのＳＳＢ及びＲＯの位置集合を送信したかによって決定される。ＵＥは、受信したＳＳＢ、基地局が実際にどれらのＳＳＢ及びＲＯの位置集合を送信したかに基づいて、該ＳＳＢに対応するＲＯ及び対応するｐｒｅａｍｂｌｅを検出した後、対応するＲＯ及びｐｒｅａｍｂｌｅを利用して基地局に対してランダムアクセスを開始することができる。
【０００５】
ＮＲライセンススペクトルにおいて、基地局が自分の計画通りにＳＳＢを送信することができるが、ＮＲアンライセンススペクトルにおいて、各ＳＳＢを送信する前に、チャネル検出を行う必要があり、チャネルがアイドルである場合しか、ＳＳＢを送信することができない。例えば、基地局がＮ個のＳＳＢを送信しようにする時に、基地局は、該Ｎ個のＳＳＢを送信する前に、チャネル検出を行うしかない。最終的に送信されるのは、該Ｎ個のＳＳＢのサブ集合でなければならない。ＵＥは、該Ｎの値及びＲＯ毎に対応するＳＳＢの数に基づいて、受信したＳＳＢに対応するＲＯ及びｐｒｅａｍｂｌｅを決定する必要がある。しかしながら、元々送信しようとしたが、チャネルの検出失敗により送信できないＳＳＢに対しても、基地局は、対応するＲＯ及びｐｒｅａｍｂｌｅを割り当てている。これは、必ず、リソースの浪費を引き起こしてしまう。
【発明の概要】
【０００６】
これに鑑み、本願は、ＲＯリソースの利用率を向上させて、ＵＥのランダムアクセスの成功率を向上させるために、ランダムアクセス設定方法及び装置、ランダムアクセス方法及び装置、基地局、ユーザ装置並びにコンピュータ可読記憶媒体を開示する。
【０００７】
本願の実施例の第１態様によれば、ランダムアクセス設定方法を提供する。前記方法は、基地局に適用され、前記方法は、
複数の同期信号ブロック（ＳＳＢ）をグループ化し、各ＳＳＢグループから、１つのプライマリＳＳＢを選択することと、
ユーザ装置（ＵＥ）に指示情報を送信することであって、前記指示情報は、送信待ちのＳＳＢグループ内のプライマリＳＳＢを示すためのものである、ことと、
前記ＵＥに各送信待ちのＳＳＢグループ内の多くとも１つのＳＳＢを送信することと、
前記ＵＥに、各ランダムアクセス機会（ＲＯ）内のプリアンブル（ｐｒｅａｍｂｌｅ）に対応するＳＳＢ数量及び周波数分割多重（ＦＤＭ）でのＲＯ数量を送信することと、を含む。
【０００８】
一実施例において、前記方法は、
複数の同期信号ブロック（ＳＳＢ）をグループ化し、各ＳＳＢグループから、１つのプライマリＳＳＢを選択する前に、グループ化ルール及びプライマリＳＳＢ選択ルールをデフォルト設定すること、又は、
グループ化ルール及びプライマリＳＳＢ選択ルールを決定し、ＵＥに前記グループ化ルール及び前記プライマリＳＳＢ選択ルールを送信することを更に含む。
【０００９】
一実施例において、前記方法は、
複数の同期信号ブロック（ＳＳＢ）をグループ化する前に、前記複数のＳＳＢから、少なくとも１つのＳＳＢを選択してターゲットＳＳＢとし、各ターゲットＳＳＢの複数の送信可能位置を得ることを更に含む。
【００１０】
一実施例において、各ターゲットＳＳＢの複数の送信可能位置を得ることは、
各ターゲットＳＳＢインデックスを決定するための設定信号の所在位置に基づいて、前記各ターゲットＳＳＢに含まれる、前記設定信号以外の他の信号に対して、シンボルレベルの循環シフトを行い、前記各ターゲットＳＳＢの複数の送信可能位置を得ることであって、前記設定信号の、前記複数の送信可能位置における位置と前記ターゲットＳＳＢにおける位置は、同じである、ことを含む。
【００１１】
複数のＳＳＢをグループ化することは、
前記各ターゲットＳＳＢ及び循環シフトした後に得られた複数の送信可能位置に対応する複数のＳＳＢを１グループとすることを含む。
【００１２】
一実施例において、各ターゲットＳＳＢの複数の送信可能位置を得ることは、
各ターゲットＳＳＢの位置に基づいて、前記各ターゲットＳＳＢに含まれる信号を全体シフトし、前記各ターゲットＳＳＢの複数の送信可能位置を得ることを含み、
複数のＳＳＢをグループ化することは、
前記各ターゲットＳＳＢ及び全体シフトした後に得られた複数の送信可能位置に対応する複数のＳＳＢを１グループとすることを含む。
【００１３】
一実施例において、前記ＵＥに、各送信待ちのＳＳＢグループ内の多くとも１つのＳＳＢを送信することは、
前記各送信待ちのＳＳＢグループ内の一番目のＳＳＢを現在のＳＳＢとすることと、
前記現在のＳＳＢの送信位置の前にチャネル検出を行うことと、
チャネルがアイドルであれば、前記現在のＳＳＢを送信することと、
チャネルがビジーであれば、前記現在のＳＳＢの次のＳＳＢを現在のＳＳＢとし、前記現在のＳＳＢの送信位置の前のチャネル検出を引き続き実行し、１つのＳＳＢの送信に成功するまで継続するか、又は送信待ちのＳＳＢグループ内の全てのＳＳＢの送信位置の前のチャネルがいずれもビジーであることを検出するまで継続することと、を含む。
【００１４】
一実施例において、前記グループ化ルールは、ビーム数、前記複数のＳＳＢの数量、前記複数のＳＳＢの時間領域位置分布情報、ウィンドウサイズ及びチャネル条件のうちの１つ又は複数を含む。
【００１５】
本願の実施例の第２態様によれば、ランダムアクセス方法を提供する。前記方法は、ユーザ装置（ＵＥ）に適用され、前記方法は、
基地局から送信された同期信号ブロック（ＳＳＢ）を受信して検出することと、
検出されたＳＳＢに対応するＳＳＢグループ内のプライマリＳＳＢを決定することと、
前記基地局から送信された指示情報を受信し、前記指示情報に基づいて、前記基地局の送信待ちのＳＳＢを決定することと、
前記基地局から送信された各ランダムアクセス機会（ＲＯ）内のプリアンブル（ｐｒｅａｍｂｌｅ）に対応するＳＳＢ数量及び周波数分割多重（ＦＤＭ）でのＲＯ数量を受信し、前記基地局の送信待ちのＳＳＢ、前記プライマリＳＳＢの前記基地局の送信待ちのＳＳＢにおける位置、各ＲＯ内のｐｒｅａｍｂｌｅに対応するＳＳＢ数量及びＦＤＭでのＲＯ数量に基づいて、前記プライマリＳＳＢに対応するＲＯ及びｐｒｅａｍｂｌｅを決定することと、
決定されたＲＯで、前記基地局に、対応するｐｒｅａｍｂｌｅを送信し、基地局へのランダムアクセスを実現することと、を含む。
【００１６】
一実施例において、基地局から送信されたＳＳＢを受信して検出することは、
基地局から送信されたＳＳＢを受信することと、
前記ＳＳＢにおける、ＳＳＢインデックスを決定するための設定信号に対して検出を行い、前記設定信号の所在位置を得ることと、
前記設定信号の所在位置に基づいて、所定時間窓の信号集合を取得することと、
前記信号集合に基づいて、前記ＳＳＢに属する位置情報を決定することと、
前記位置情報に基づいて、前記ＳＳＢのインデックスを決定することと、を含む。
【００１７】
一実施例において、基地局から送信されたＳＳＢを受信して検出することは、
基地局から送信された前記ＳＳＢを受信することと、
前記ＳＳＢにおけるターゲット信号に対して検出を行い、前記ＳＳＢにおける全ての信号を得ることと、
前記ＳＳＢにおける全ての信号を復調し、前記ＳＳＢに対応するＳＳＢインデックスを得ることと、含む。
【００１８】
一実施例において、検出されたＳＳＢに対応するＳＳＢグループ内のプライマリＳＳＢを決定することは、
グループ化ルールに基づいて、検出されたＳＳＢに対応するＳＳＢグループを決定することと、
プライマリＳＳＢ選択ルールに基づいて、前記ＳＳＢグループ内のプライマリＳＳＢを決定することと、を含む。
【００１９】
一実施例において、前記方法は、
前記グループ化ルール及び前記プライマリＳＳＢ選択ルールをデフォルト設定すること、又は、
基地局から送信された前記グループ化ルール及び前記プライマリＳＳＢ選択ルールを受信することを更に含む。
【００２０】
一実施例において、前記設定信号の所在位置に基づいて、所定時間窓の信号集合を取得することは、
前記設定信号が所在するシンボルの前又は後ろのシンボルを現在のシンボルとして決定することと、
前記設定信号及び現在のシンボル上の信号がＳＳＢの内容とマッチングするかどうかを判定することであって、前記ＳＳＢの内容は、循環シフト前のＳＳＢの内容及び循環シフト後のＳＳＢの内容を含む、ことと、
マッチングすれば、前記現在のシンボル上の信号を前記信号集合に追加し、前記現在のシンボルの総数を統計し、前記総数が第１所定数量に達していない場合、前記現在のシンボル及びその前のシンボル又は前記現在のシンボル及びその後ろのシンボルを前記現在のシンボルとし、現在のシンボル上の信号及び前記設定信号がＳＳＢの内容とマッチングするかどうかを判定するという操作を繰り返して実行し、前記総数が前記第１所定数量に達するまで継続することと、
マッチングしなければ、現在前記信号集合に追加されたシンボルの前のシンボルの検出、又は現在前記信号集合に追加されたシンボルの後ろのシンボルの検出を終止することと、を含む。
【００２１】
一実施例において、前記信号集合に基づいて、前記ＳＳＢに属する位置情報を決定することは、
前記信号集合における、前記設定信号の所在するシンボルを含む全ての連続した第２所定数量のシンボルにおける信号を、ＳＳＢの内容とマッチングを行うことであって、前記ＳＳＢの内容は、循環シフト前のＳＳＢの内容及び循環シフト後のＳＳＢの内容を含む、ことと、
マッチングに成功した、連続した第２所定数量のシンボルにおける信号の数が１つであれば、マッチングに成功した、連続した第２所定数量のシンボルを前記位置情報とすることと、
マッチングに成功した、連続した第２所定数量のシンボルにおける信号の数が複数であれば、前記信号集合の最後のシンボルから、連続した第２所定数量のシンボルずつを１グループとし、前記設定信号の所在するシンボルを含むグループに対応するシンボルを前記位置情報とすることと、を含む。
【００２２】
一実施例において、前記ＳＳＢにおけるターゲット信号に対して検出を行い、前記ＳＳＢにおける全ての信号を得ることは、
前記ＳＳＢにおけるターゲット信号に対して検出を行い、前記ターゲット信号の所在位置を得ることと、
前記ターゲット信号の所在位置に基づいて、前記ＳＳＢにおける全ての信号を取得することと、を含む。
【００２３】
本願の実施例の第３態様によれば、ランダムアクセス設定装置を提供する。前記装置は、基地局に適用され、前記装置は、
複数の同期信号ブロック（ＳＳＢ）をグループ化し、各ＳＳＢグループから、１つのプライマリＳＳＢを選択するように構成されるグループ化選択モジュールと、
ユーザ装置（ＵＥ）に指示情報を送信するように構成される第１送信モジュールであって、前記指示情報は、前記グループ化選択モジュールにより選択された送信待ちのＳＳＢグループ内のプライマリＳＳＢを示すためのものである、第１送信モジュールと、
前記ＵＥに各送信待ちのＳＳＢグループ内の多くとも１つのＳＳＢを送信するように構成される第２送信モジュールと、
前記ＵＥに、各ランダムアクセス機会（ＲＯ）内のプリアンブル（ｐｒｅａｍｂｌｅ）に対応するＳＳＢ数量及び周波数分割多重（ＦＤＭ）でのＲＯ数量を送信するように構成される第３送信モジュールと、を備える。
【００２４】
一実施例において、前記装置は、
前記グループ化選択モジュールが複数の同期信号ブロック（ＳＳＢ）をグループ化し、各ＳＳＢグループから、１つのプライマリＳＳＢを選択する前に、グループ化ルール及びプライマリＳＳＢ選択ルールをデフォルト設定するように構成されるデフォルト設定モジュール、又は、
前記グループ化選択モジュールが複数の同期信号ブロック（ＳＳＢ）をグループ化し、各ＳＳＢグループから、１つのプライマリＳＳＢを選択する前に、グループ化ルール及びプライマリＳＳＢ選択ルールを決定し、ＵＥに前記グループ化ルール及び前記プライマリＳＳＢ選択ルールを送信するように構成される決定送信モジュールを更に備える。
【００２５】
一実施例において、前記装置は、
前記グループ化選択モジュールが複数の同期信号ブロック（ＳＳＢ）をグループ化する前に、前記複数のＳＳＢから、少なくとも１つのＳＳＢを選択してターゲットＳＳＢとし、各ターゲットＳＳＢの複数の送信可能位置を得るように構成される選択取得モジュールを更に備える。
【００２６】
一実施例において、前記選択取得モジュールは、
各ターゲットＳＳＢインデックスを決定するための設定信号の所在位置に基づいて、前記各ターゲットＳＳＢに含まれる、前記設定信号以外の他の信号に対して、シンボルレベルの循環シフトを行い、前記各ターゲットＳＳＢの複数の送信可能位置を得るように構成され、前記設定信号の、前記複数の送信可能位置における位置と前記ターゲットＳＳＢにおける位置は、同じであり、
前記グループ化選択モジュールは、
前記各ターゲットＳＳＢ及び循環シフトした後に得られた複数の送信可能位置に対応する複数のＳＳＢを１グループとするように構成される。
【００２７】
一実施例において、前記選択取得モジュールは、
各ターゲットＳＳＢの位置に基づいて、前記各ターゲットＳＳＢに含まれる信号を全体シフトし、前記各ターゲットＳＳＢの複数の送信可能位置を得るように構成され、
前記グループ化選択モジュールは、
前記各ターゲットＳＳＢ及び全体シフトした後に得られた複数の送信可能位置に対応する複数のＳＳＢを１グループとするように構成される。
【００２８】
一実施例において、前記第２送信モジュールは、
前記各送信待ちのＳＳＢグループ内の一番目のＳＳＢを現在のＳＳＢとするように構成される決定サブモジュールと、
前記決定サブモジュールにより決定された前記現在のＳＳＢの送信位置の前にチャネル検出を行うように構成される検出サブモジュールと、
前記検出サブモジュールが、チャネルがアイドルであることを検出した場合、前記現在のＳＳＢを送信するように構成される送信サブモジュールと、
前記検出サブモジュールが、チャネルがビジーであることを検出した場合、前記現在のＳＳＢの次のＳＳＢを現在のＳＳＢとし、引き続き前記検出サブモジュールを呼び出して、前記現在のＳＳＢの送信位置の前のチャネル検出を実行し、１つのＳＳＢの送信に成功するまで継続するか、又は送信待ちのＳＳＢグループ内の全てのＳＳＢの送信位置の前のチャネルがいずれもビジーであることを検出するまで継続するように構成される処理サブモジュールと、を備える。
【００２９】
一実施例において、前記グループ化ルールは、ビーム数、前記複数のＳＳＢの数量、前記複数のＳＳＢの時間領域位置分布情報、ウィンドウサイズ及びチャネル条件のうちの１つ又は複数を含む。
【００３０】
本願の実施例の第４態様によれば、ランダムアクセス装置を提供する。前記装置は、ユーザ装置（ＵＥ）に適用され、前記装置は、
基地局から送信された同期信号ブロック（ＳＳＢ）を受信して検出するように構成される受信検出モジュールと、
前記受信検出モジュールにより検出されたＳＳＢに対応するＳＳＢグループ内のプライマリＳＳＢを決定するように構成される決定モジュールと、
前記基地局から送信された指示情報を受信し、前記指示情報に基づいて、前記基地局の送信待ちのＳＳＢを決定するように構成される第１受信決定モジュールと、
前記基地局から送信された各ランダムアクセス機会（ＲＯ）内のプリアンブル（ｐｒｅａｍｂｌｅ）に対応するＳＳＢ数量及び周波数分割多重（ＦＤＭ）でのＲＯ数量を受信し、前記第１受信決定モジュールにより決定された前記基地局の送信待ちのＳＳＢ、前記決定モジュールにより決定された前記プライマリＳＳＢの前記基地局の送信待ちのＳＳＢにおける位置、各ＲＯ内のｐｒｅａｍｂｌｅに対応するＳＳＢ数量及びＦＤＭでのＲＯ数量に基づいて、前記プライマリＳＳＢに対応するＲＯ及びｐｒｅａｍｂｌｅを決定するように構成される第２受信決定モジュールと、
前記第２受信決定モジュールにより決定されたＲＯで、前記基地局に、対応するｐｒｅａｍｂｌｅを送信し、基地局へのランダムアクセスを実現するように構成されるアクセスモジュールと、を備える。
【００３１】
一実施例において、前記受信検出モジュールは、
基地局から送信されたＳＳＢを受信するように構成される第１受信サブモジュールと、
前記第１受信サブモジュールにより受信された前記ＳＳＢにおける、ＳＳＢインデックスを決定するための設定信号に対して検出を行い、前記設定信号の所在位置を得るように構成される検出取得サブモジュールと、
前記検出取得サブモジュールにより取得された前記設定信号の所在位置に基づいて、所定時間窓の信号集合を取得するように構成される取得サブモジュールと、
前記取得サブモジュールにより取得された前記信号集合に基づいて、前記ＳＳＢに属する位置情報を決定するように構成される第１決定サブモジュールと、
前記第１決定サブモジュールにより決定された前記位置情報に基づいて、前記ＳＳＢのインデックスを決定するように構成される第２決定サブモジュールと、を備える。
【００３２】
一実施例において、前記受信検出モジュールは、
基地局から送信された前記ＳＳＢを受信するように構成される第２受信サブモジュールと、
前記第２受信サブモジュールにより受信された前記ＳＳＢにおけるターゲット信号に対して検出を行い、前記ＳＳＢにおける全ての信号を得るように構成される検出サブモジュールと、
前記検出サブモジュールにより取得された前記ＳＳＢにおける全ての信号を復調し、前記ＳＳＢに対応するＳＳＢインデックスを得るように構成される復調モジュールと、を備える。
【００３３】
一実施例において、前記決定モジュールは、
グループ化ルールに基づいて、検出されたＳＳＢに対応するＳＳＢグループを決定するように構成される第３決定サブモジュールと、
プライマリＳＳＢ選択ルールに基づいて、前記第３決定サブモジュールにより決定された前記ＳＳＢグループ内のプライマリＳＳＢを決定するように構成される第４決定サブモジュールと、を備える。
【００３４】
一実施例において、前記装置は、
前記グループ化ルール及び前記プライマリＳＳＢ選択ルールをデフォルト設定するように構成されるデフォルト設定モジュール、又は、
基地局から送信された前記グループ化ルール及び前記プライマリＳＳＢ選択ルールを受信するように構成される受信モジュールを更に備える。
【００３５】
一実施例において、前記取得サブモジュールは、
前記設定信号が所在するシンボルの前又は後ろのシンボルを現在のシンボルとして決定するように構成される決定ユニットと、
前記設定信号及び前記決定ユニットにより決定された現在のシンボル上の信号がＳＳＢの内容とマッチングするかどうかを判定するように構成されるマッチングユニットであって、前記ＳＳＢの内容は、循環シフト前のＳＳＢの内容及び循環シフト後のＳＳＢの内容を含む、マッチングユニットと、
前記マッチングユニットのマッチング結果が、マッチングしたことであれば、前記現在のシンボル上の信号を前記信号集合に追加し、前記現在のシンボルの総数を統計し、前記総数が第１所定数量に達していない場合、前記現在のシンボル及びその前のシンボル又は前記現在のシンボル及びその後ろのシンボルを前記現在のシンボルとし、前記マッチングユニットを繰り返して呼び出して、現在のシンボル上の信号及び前記設定信号がＳＳＢの内容とマッチングするかどうかを判定するという操作を実行し、前記総数が前記第１所定数量に達するまで継続するように構成される追加統計ユニットと、
前記マッチングユニットのマッチング結果が、マッチングしないことであれば、現在前記信号集合に追加されたシンボルの前のシンボルの検出、又は現在前記信号集合に追加されたシンボルの後ろのシンボルの検出を終止するように構成される検出終止ユニットと、を備える。
【００３６】
一実施例において、前記第１決定サブモジュールは、
前記信号集合における、前記設定信号の所在するシンボルを含む全ての連続した第２所定数量のシンボルにおける信号を、ＳＳＢの内容とマッチングを行うように構成されるマッチングユニットであって、前記ＳＳＢの内容は、循環シフト前のＳＳＢの内容及び循環シフト後のＳＳＢの内容を含む、マッチングユニットと、
前記マッチングユニットによるマッチングに成功した、連続した第２所定数量のシンボルにおける信号の数が１つであれば、マッチングに成功した、連続した第２所定数量のシンボルを前記位置情報とするように構成される第１決定ユニットと、
前記マッチングユニットによるマッチングに成功した、連続した第２所定数量のシンボルにおける信号の数が複数であれば、前記信号集合の最後のシンボルから、連続した第２所定数量のシンボルずつを１グループとし、前記設定信号の所在するシンボルを含むグループに対応するシンボルを前記位置情報とするように構成される第２決定ユニットと、を備える。
【００３７】
一実施例において、前記検出サブモジュールは、
前記ＳＳＢにおけるターゲット信号に対して検出を行い、前記ターゲット信号の所在位置を得るように構成される検出ユニットと、
前記検出ユニットにより得られた前記ターゲット信号の所在位置に基づいて、前記ＳＳＢにおける全ての信号を取得するように構成される取得ユニットと、を備える。
【００３８】
本願の実施例の第５態様によれば、基地局を提供する。前記基地局は、
プロセッサと、
プロセッサによる実行可能な命令を記憶するためのメモリとを備え、
前記プロセッサは、
複数の同期信号ブロック（ＳＳＢ）をグループ化し、各ＳＳＢグループから、１つのプライマリＳＳＢを選択することと、
ユーザ装置（ＵＥ）に指示情報を送信することであって、前記指示情報は、送信待ちのＳＳＢグループ内のプライマリＳＳＢを示すためのものである、ことと、
前記ＵＥに各送信待ちのＳＳＢグループ内の多くとも１つのＳＳＢを送信することと、
前記ＵＥに、各ランダムアクセス機会（ＲＯ）内のプリアンブル（ｐｒｅａｍｂｌｅ）に対応するＳＳＢ数量及び周波数分割多重（ＦＤＭ）でのＲＯ数量を送信することと、を実行するように構成される。
【００３９】
本願の実施例の第６態様によれば、ユーザ装置を提供する。前記ユーザ装置は、
プロセッサと、
プロセッサによる実行可能な命令を記憶するためのメモリとを備え、
前記プロセッサは、
基地局から送信された同期信号ブロック（ＳＳＢ）を受信して検出することと、
検出されたＳＳＢに対応するＳＳＢグループ内のプライマリＳＳＢを決定することと、
前記基地局から送信された指示情報を受信し、前記指示情報に基づいて、前記基地局の送信待ちのＳＳＢを決定することと、
前記基地局から送信された各ランダムアクセス機会（ＲＯ）内のプリアンブル（ｐｒｅａｍｂｌｅ）に対応するＳＳＢ数量及び周波数分割多重（ＦＤＭ）でのＲＯ数量を受信し、前記基地局の送信待ちのＳＳＢ、前記プライマリＳＳＢの前記基地局の送信待ちのＳＳＢにおける位置、各ＲＯ内のｐｒｅａｍｂｌｅに対応するＳＳＢ数量及びＦＤＭでのＲＯ数量に基づいて、前記プライマリＳＳＢに対応するＲＯ及びｐｒｅａｍｂｌｅを決定することと、
決定されたＲＯで、前記基地局に、対応するｐｒｅａｍｂｌｅを送信し、基地局へのランダムアクセスを実現することと、を実行するように構成される。
【００４０】
本願の実施例の第７態様によれば、コンピュータ可読記憶媒体を提供する。前記コンピュータ可読記憶媒体に、コンピュータ命令が記憶されており、該命令がプロセッサにより実行される時、上記ランダムアクセス設定方法のステップを実現させる。
【００４１】
本願の実施例の第８態様によれば、コンピュータ可読記憶媒体を提供する。前記コンピュータ可読記憶媒体に、コンピュータ命令が記憶されており、該命令がプロセッサにより実行される時、上記ランダムアクセス方法のステップを実現させる。
【発明の効果】
【００４２】
本願の実施例で提供される技術的解決手段は、下記有益な効果を有する。
【００４３】
複数のＳＳＢをグループ化し、ＵＥに、各送信待ちのＳＳＢグループ内の多くとも１つのＳＳＢを送信することで、ＳＳＢグループ内のＳＳＢを一つ分のＲＯリソースに対応させ、つまり、各ＳＳＢに対応するＲＯリソースの数を向上させ、ＲＯリソースの利用率を向上させ、ＵＥのランダムアクセスの成功率を向上させる。
【００４４】
基地局から送信されたＳＳＢを受信することで、ＳＳＢにおける、ＳＳＢインデックスを決定するための設定信号に対して検出を行い、設定信号の所在位置を得る。設定信号の所在位置に基づいて、所定時間窓の信号集合を取得し、信号集合に基づいて、ＳＳＢに属する位置情報を決定する。続いて、決定された位置情報に基づいて、ＳＳＢのインデックスを決定する。これにより、決定されたＳＳＢのインデックスに、高い正確率を持たせる。
【００４５】
上記の一般的な説明及び後述する細部に関する説明は、例示及び説明のためのものに過ぎず、本願を限定するものではないことが理解されるべきである。
【図面の簡単な説明】
【００４６】
【図１】本願の一例示的な実施例によるランダムアクセス設定方法を示すフローチャートである。
【図２】本願の一例示的な実施例によるＳＳＢの所在するシンボル位置を示す概略図である。
【図３】本願の一例示的な実施例によるＵＥに各送信待ちのＳＳＢグループ内の多くとも１つのＳＳＢを送信することを示すフローチャートである。
【図４】本願の一例示的な実施例によるランダムアクセス方法を示すフローチャートである。
【図５】本願の一例示的な実施例による基地局から送信されたＳＳＢの受信及び検出を示すフローチャートである。
【図６】本願の一例示的な実施例による第１信号集合の取得を示すフローチャートである。
【図７】本願の一例示的な実施例によるもう１つのＳＳＢの所在するシンボル位置を示す概略図である。
【図８】本願の一例示的な実施例によるまた１つのＳＳＢの所在するシンボル位置を示す概略図である。
【図９】本願の一例示的な実施例によるＳＳＢに属する位置情報の決定を示すフローチャートである。
【図１０】本願の一例示的な実施例によるもう１つの基地局から送信されたＳＳＢの受信及び検出を示すフローチャートである。
【図１１】一例示的な実施例によるランダムアクセス設定装置を示すブロック図である。
【図１２】一例示的な実施例によるもう１つのランダムアクセス設定装置を示すブロック図である。
【図１３】一例示的な実施例によるもう１つのランダムアクセス設定装置を示すブロック図である。
【図１４】一例示的な実施例によるもう１つのランダムアクセス設定装置を示すブロック図である。
【図１５】一例示的な実施例によるランダムアクセス装置を示すブロック図である。
【図１６】一例示的な実施例によるもう１つのランダムアクセス装置を示すブロック図である。
【図１７】一例示的な実施例によるもう１つのランダムアクセス装置を示すブロック図である。
【図１８】一例示的な実施例によるもう１つのランダムアクセス装置を示すブロック図である。
【図１９】一例示的な実施例によるもう１つのランダムアクセス装置を示すブロック図である。
【図２０】一例示的な実施例によるもう１つのランダムアクセス装置を示すブロック図である。
【図２１】一例示的な実施例によるもう１つのランダムアクセス装置を示すブロック図である。
【図２２】一例示的な実施例によるもう１つのランダムアクセス装置を示すブロック図である。
【図２３】一例示的な実施例によるランダムアクセス設定装置を適用できる装置を示すブロック図である。
【図２４】一例示的な実施例によるランダムアクセス装置を適用できる装置を示すブロック図である。  ここで添付した図面は、明細書に引き入れて本明細書の一部分を構成し、本発明に適合する実施例を示し、かつ、明細書とともに本発明の原理を解釈することに用いられる。
【発明を実施するための形態】
【００４７】
ここで、例示的な実施例を詳細に説明し、その例を図面に示す。以下の記述が図面に係る場合、別途にて示さない限り、異なる図面における同じ数字は、同じまたは類似する要素を示す。以下の例示的な実施例において記述する実施形態は、本発明に合致するすべての実施形態を代表するものではない。一方、それらは、添付された特許請求の範囲に詳細に記載されたような、本発明の一部の形態に合致する装置及び方法の例に過ぎない。
【００４８】
図１は、本願の一例示的な実施例によるランダムアクセス設定方法を示すフローチャートである。該実施例は、基地局側で説明する。図１に示すように、該ランダムアクセス設定方法は以下を含む。
【００４９】
ステップＳ１０１において、複数のＳＳＢをグループ化し、各ＳＳＢグループから１つのプライマリＳＳＢを選択する。
【００５０】
任意選択的に、複数の同期信号ブロック（ＳＳＢ）をグループ化し、各ＳＳＢグループから１つのプライマリＳＳＢを選択する前に、該方法は、グループ化ルール及びプライマリＳＳＢ選択ルールをデフォルト設定することを含んでもよく、グループ化ルール及びプライマリＳＳＢ選択ルールを決定し、ＵＥに該グループ化ルール及びプライマリＳＳＢ選択ルールを送信することを含んでもよい。
【００５１】
ここで、グループ化ルールは、ビーム数、複数のＳＳＢの数量、複数のＳＳＢの時間領域位置分布情報、ウィンドウサイズ及びチャネル条件のうちの１つ又は複数を含んでもよいが、これらに限定されない。
【００５２】
例えば、ビーム数に基づいてグループ化してもよい。基地局が計画送信する（即ち、基地局の送信待ちのＳＳＢ）複数のＳＳＢの数量に基づいてグループ化してもよい。複数のＳＳＢの時間領域位置分布情報に基づいて、４つの連続ＳＳＢを１グループとするか又は２つの連続ＳＳＢを１グループとしてもよい。また、１ｍｓウィンドウ内のＳＳＢを１グループとしてもよい。更に、チャネル条件が悪いＳＳＢに対して、より多くのＳＳＢを１グループとしてもよい。これにより、グループ毎に１つのＳＳＢの送信機会を増大させ、ＲＯリソースの浪費を減少させることができる。
【００５３】
ここで、プライマリＳＳＢ選択ルールは、各グループ内のある１つのＳＳＢをデフォルトでプライマリＳＳＢとすることを含んでもよいが、これに限定されない。例えば、各グループ内の一番目のＳＳＢをデフォルトでプライマリＳＳＢとしてもよく、各グループ内の最後のＳＳＢをデフォルトでプライマリＳＳＢとしてもよい。
【００５４】
該実施例において、複数のＳＳＢに対するグループ化は、下記２つの形態を含む。
【００５５】
第１形態において、複数のＳＳＢに対応するＳＳＢインデックスは異なる。
【００５６】
この場合、グループ化ルールに基づいて複数のＳＳＢをグループ化することができる。
【００５７】
例えば、サブキャリア間隔が３０ＫＨｚであって、キャリヤ周波数が３ＧＨｚ〜６ＧＨｚである場合、ＳＳＢの送信可能位置は、最大８個であり、即ち、番号が０から７までのＳＳＢであり、４つのＳＳＢずつ１グループとし、計２つのグループに分ける。例えば、ＳＳＢ＃０〜３を一番目のＳＳＢグループとし、ＳＳＢ＃４〜７を２番目のＳＳＢグループとする。また、ＳＳＢ＃０及びＳＳＢ＃４を該２つのＳＳＢグループのプライマリＳＳＢとしてもよい。
【００５８】
第２態様において、複数のＳＳＢに対応するＳＳＢインデックスは同じである。
【００５９】
第２態様について、該実施例において、上記ステップＳ１０１を実行する前に、該方法は、複数のＳＳＢから、少なくとも１つのＳＳＢを選択してターゲットＳＳＢとし、各ターゲットＳＳＢの複数の送信可能位置を得ることを更に含んでもよい。ここで、各ターゲットＳＳＢの複数の送信可能位置を得ることは、下記２つの方式を含む。
【００６０】
方式１）は、循環シフト方式である。各ターゲットＳＳＢインデックスを決定するための設定信号の所在位置に基づいて、各ターゲットＳＳＢに含まれる、設定信号以外の他の信号に対して、シンボルレベルの循環シフトを行い、各ターゲットＳＳＢの複数の送信可能位置を得、ここで、設定信号の、複数の送信可能位置における位置とターゲットＳＳＢにおける位置は、同じである。
【００６１】
ここで、設定信号は、ＳＳＢに位置するＰＳＳ、ＳＳＳ又はＰＢＣＨを含んでもよいが、これらに限定されない。
【００６２】
例えば、図２に示すＳＳＢ＃０を例として、ＳＳＢ＃０の複数の送信可能位置の取得プロセスを説明する。ここで、図２に示すＳＳＢ＃０の位置は、ＳＳＢ＃０の初期送信可能位置である。
【００６３】
設定信号がＰＳＳである場合、設定信号の所在する位置に基づいて、即ち、シンボル２に基づいて、プライマリＳＳＢに含まれる、設定信号以外の他の信号に対して、シンボルレベルの循環シフトを行い、それによって得られたＳＳＢの複数の送信可能位置は、以下の通りである。
【００６４】
位置１１）、シンボル０〜３であり、シンボル０〜３で送信される信号はそれぞれ、ＳＳＳ、ＰＢＣＨ、ＰＳＳ、ＰＢＣＨである。
【００６５】
位置１２）、シンボル１〜４であり、シンボル１〜４で送信される信号は、それぞれＰＢＣＨ、ＰＳＳ、ＰＢＣＨ、ＳＳＳである。
【００６６】
位置１３）、シンボル２〜５であり、シンボル２〜５は、ＳＳＢ＃０の初期送信可能位置であり、送信される信号はそれぞれ、ＰＳＳ、ＰＢＣＨ、ＳＳＳ、ＰＢＣＨである。
【００６７】
なお、ここで、ＳＳＢ＃０を例として説明しているため、しかもＳＳＢが５ｍｓウィンドウの前に送信することができないため、ＳＳＢ＃０は、ＰＳＳを設定信号として循環シフトを行った後、ＰＳＳが最後に位置する場合になり得ない。それに対して、他の位置のＳＳＢであれば、ＰＳＳが最後に位置する場合になり得る。
【００６８】
例えば、ＳＳＢ＃１における設定信号ＰＳＳであれば、もう１つ位置があり得、即ち、シンボル５〜８であり、シンボル５〜８で送信される信号は、それぞれＰＢＣＨ、ＳＳＳ、ＰＢＣＨ、ＰＳＳである。つまり、ＰＳＳは、該４つのシンボルのうちの最後のシンボルである。
【００６９】
上記得られた複数の送信可能位置から分かるように、複数の送信可能位置での、ＰＳＳの位置は、同じであり、常に、シンボル２に位置する。これらの複数の送信可能位置のＳＳＢインデックスは、いずれもＰＳＳの所在するシンボル位置によって決定され、従って、複数の送信可能位置に対応するＳＳＢインデックスは、同じである。
【００７０】
設定信号がＳＳＳである場合、設定信号の所在する位置に基づいて、即ち、シンボル４に基づいて、ＳＳＢ＃０に含まれる、設定信号以外の他の信号に対して、シンボルレベルの循環シフトを行い、それによって得られたＳＳＢの複数の送信可能位置は、以下の通りである。
【００７１】
位置２１）、シンボル１〜４であり、シンボル１〜４で送信される信号はそれぞれ、ＰＢＣＨ、ＰＳＳ、ＰＢＣＨ、ＳＳＳである。
【００７２】
位置２２）、シンボル２〜５であり、シンボル２〜５で送信される信号はそれぞれ、ＰＳＳ、ＰＢＣＨ、ＳＳＳ、ＰＢＣＨである。
【００７３】
位置２３）、シンボル３〜６であり、シンボル３〜６で送信される信号はそれぞれ、ＰＢＣＨ、ＳＳＳ、ＰＢＣＨ、ＰＳＳである。
【００７４】
位置２４）、シンボル４〜７であり、シンボル４〜７で送信される信号はそれぞれ、ＳＳＳ、ＰＢＣＨ、ＰＳＳ、ＰＢＣＨである。
【００７５】
上記得られた複数の送信可能位置から分かるように、複数の送信可能位置での、ＳＳＳの位置は、同じであり、常にシンボル４に位置している。これらの複数の送信可能位置のＳＳＢインデックスはいずれも、ＳＳＳの所在するシンボル位置により決定される。従って、複数の送信可能位置に対応するＳＳＢインデックスは同じである。
【００７６】
この場合、各ターゲットＳＳＢ及びそれを循環シフトした後に得られた複数の送信可能位置に対応する複数のＳＳＢを１グループとすることができる。
【００７７】
方式２）は、全体シフトの方式である。各ターゲットＳＳＢの位置に基づいて、各ターゲットＳＳＢに含まれる信号を全体シフトし、各ターゲットＳＳＢの複数の送信可能位置を得る。
【００７８】
任意選択的に、各送信可能位置と初期送信可能位置との全体シフト量に基づいて、対応するオフセット量を決定することもできる。
【００７９】
複数の送信可能位置の取得及びオフセット量の決定のプロセスを明らかに説明するために、以下、依然として、図２に示すＳＳＢ＃０を例として説明する。図２におけるＳＳＢ＃０に含まれる信号を全体シフトすることで、下記複数の送信可能位置を得ることができる。
【００８０】
位置３１）、シンボル０〜３であり、シンボル０〜３で送信される信号はそれぞれＰＳＳ、ＰＢＣＨ、ＳＳＳ、ＰＢＣＨであり、該位置は、初期送信可能位置に対して、前へ２個のシンボルをオフセットした位置であり、即ち、オフセット量は、−２である。
【００８１】
位置３２）、シンボル１〜４であり、シンボル１〜４で送信される信号はそれぞれ、ＰＳＳ、ＰＢＣＨ、ＳＳＳ、ＰＢＣＨであり、該位置は、初期送信可能位置に対して、前へ１個のシンボルをオフセットした位置であり、即ち、オフセット量は、−１である。
【００８２】
位置３３）、シンボル２〜５であり、シンボル２〜５は初期送信可能位置であり、オフセット量は、０である。
【００８３】
位置３４）、シンボル３〜６であり、シンボル３〜６で送信される信号はそれぞれ、ＰＳＳ、ＰＢＣＨ、ＳＳＳ、ＰＢＣＨであり、該位置は、初期送信可能位置に対して、後へ１個のシンボルをオフセットした位置であり、即ち、オフセット量は、１である。
【００８４】
位置３５）、シンボル４〜７であり、シンボル４〜７で送信される信号はそれぞれ、ＰＳＳ、ＰＢＣＨ、ＳＳＳ、ＰＢＣＨであり、該位置は、初期送信可能位置に対して、後へ２個のシンボルをオフセットした位置であり、即ち、オフセット量は、２である。
【００８５】
上記から分かるように、上記方式により、複数の送信可能位置を得ることができる。送信可能位置が多いほど、オフセット量は大きくなり、オフセット量を示すためのビット（ｂｉｔ）数も多くなる。該実施例において、オフセット量を制限することができる。例えば、後へＭ個のシンボルしかオフセットしないように制限するか又は前へＮ個のシンボルしかオフセットしないように制限する。Ｍ及びＮはいずれも、０以上Ｘ以下の整数であり、Ｘは、必要に応じて設定されてもよく、例えば、８以下であってもよい。該実施例において、オフセット量を制限することで、オフセット量を示すための、基地局のシグナリングの増加したｂｉｔ数を可能な限り少なくし、ＰＢＣＨのシグナリングオーバーヘッドを節約することができる。
【００８６】
この場合、各ターゲットＳＳＢ及びそれを全体シフトした後に得られた複数の送信可能位置に対応する複数のＳＳＢを１グループとすることができる。
【００８７】
ステップＳ１０２において、ＵＥに指示情報を送信し、該指示情報は、送信待ちのＳＳＢグループ内のプライマリＳＳＢを示すためのものである。
【００８８】
各ＳＳＢグループから、１つのプライマリＳＳＢを選択した後、ＵＥに指示情報を送信する。これにより、送信待ちのＳＳＢグループ内のプライマリＳＳＢを指示する。従って、ＵＥは、該指示情報に基づいて、どのようなＳＳＢが送信待ちのＳＳＢであるかを知ることができる。
【００８９】
ＳＳＢ＃０及びＳＳＢ＃４が該２つのＳＳＢグループのプライマリＳＳＢであり、且つ該指示情報により指示されたプライマリＳＳＢがＳＳＢ＃０及びＳＳＢ＃４であるとすれば、ＵＥは、指示情報に基づいて、基地局の送信待ちのＳＳＢがＳＳＢ＃０及びＳＳＢ＃４であることを知ることができる。更に、ＵＥは、基地局により送信されるＳＳＢがＳＳＢ＃０と同一のグループに属するいずれか１つのＳＳＢ、及びＳＳＢ＃４と同一のグループに属するいずれか１つのＳＳＢであり得ることを知ることができる。
【００９０】
ステップＳ１０３において、ＵＥに、各送信待ちのＳＳＢグループ内の多くとも１つのＳＳＢを送信する。
【００９１】
ここで、基地局は、各ＳＳＢグループにおけるチャネルがビジーであるか、それともアイドルであるかに基づいて、多くとも１つのＳＳＢを送信することができる。図３に示すように、該プロセスは以下を含む。
【００９２】
ステップＳ１０３１において、各送信待ちのＳＳＢグループ内の一番目のＳＳＢを現在のＳＳＢとする。
【００９３】
ステップＳ１０３２において、現在のＳＳＢの送信位置の前にチャネル検出を行う。
【００９４】
ステップＳ１０３３において、チャネルがアイドルであるかどうかを判定し、チャネルがアイドルであれば、ステップＳ１０３４を実行し、チャネルがビジーであれば、ステップＳ１０３５を実行する。
【００９５】
ステップＳ１０３４において、現在のＳＳＢを送信し、操作を終了する。
【００９６】
ステップＳ１０３５において、現在のＳＳＢが該ＳＳＢグループ内の最後のＳＳＢであるかどうかを判定し、最後のＳＳＢでなければ、ステップＳ１０３６を実行し、最後のＳＳＢであれば、操作を終了する。
【００９７】
ステップＳ１０３６において、現在のＳＳＢの次のＳＳＢを現在のＳＳＢとし、ステップＳ１０３２を引き続き実行する。
【００９８】
該実施例において、ＵＥに各送信待ちのＳＳＢグループ内の多くとも１つのＳＳＢを送信することで、後続のＲＯリソースの浪費の減少に役立つ。
【００９９】
ステップＳ１０４において、ＵＥに、各ＲＯ内のプリアンブルに対応するＳＳＢ数量及び周波数分割多重（ＦＤＭ）でのＲＯ数量を送信する。
【０１００】
上記実施例において、複数のＳＳＢをグループ化し、ＵＥに、各送信待ちのＳＳＢグループ内の多くとも１つのＳＳＢを送信することで、ＳＳＢグループ内のＳＳＢを一つ分のＲＯリソースに対応させる。つまり、各ＳＳＢに対応するＲＯリソースの数を向上させ、ＲＯリソースの利用率を向上させ、ＵＥのランダムアクセスの成功率を向上させる。
【０１０１】
図４は、本願の一例示的な実施例によるランダムアクセス方法を示すフローチャートである。該実施例は、ＵＥ側で説明する。図４に示すように、該方法は以下を含む。
【０１０２】
ステップＳ４０１において、基地局から送信されたＳＳＢを受信して検出する。
【０１０３】
基地局がＳＳＢをグループ化する前に、複数のＳＳＢから、少なくとも１つのＳＳＢを選択してターゲットＳＳＢとし、各ターゲットＳＳＢの複数の送信可能位置を得ることができるため、ＵＥは、ＳＳＢを受信した後、ＳＳＢに対して検出を行い、送信可能位置に対応するＳＳＢを得ることができる。
【０１０４】
図５に示すように、基地局から送信されたＳＳＢを受信して検出することは、以下を含んでもよい。
【０１０５】
ステップＳ５０１において、基地局から送信されたＳＳＢを受信する。
【０１０６】
ステップＳ５０２において、該ＳＳＢにおける、ＳＳＢインデックスを決定するための設定信号に対して検出を行い、設定信号の所在位置を得る。
【０１０７】
ここで、複数の方式で設定信号を決定することができ、例えば、ＳＳＢにおける信号を設定信号と設定することができ、即ち、如何なる場合でも、設定信号は同じである。ＳＳＢの送信周波数点又はサブキャリア間隔に基づいて、ＳＳＢにおける異なる信号を設定信号として決定することもできる。
【０１０８】
ステップＳ５０３において、設定信号の所在位置に基づいて、所定時間窓の信号集合を取得する。
【０１０９】
ここで、設定信号の所在位置に基づいて、所定時間窓の信号集合を取得することは、設定信号の所在位置に基づいて、第１所定時間窓の第１信号集合及び第２所定時間窓の第２信号集合を取得することを含む。ここで、第１所定時間窓は、設定信号の所在位置の前に位置し、第２所定時間窓は、設定信号の所在位置の後ろに位置する。上記第１信号集合、第２信号集合及び設定信号は、上記信号集合を構成する。
【０１１０】
図６に示すように、設定信号の所在位置に基づいて、第１所定時間窓の第１信号集合を取得することは、以下を含んでもよい。
【０１１１】
ステップＳ５０３１において、設定信号の所在するシンボルの前のシンボルを現在のシンボルとして決定する。
【０１１２】
ステップＳ５０３２において、設定信号及び現在のシンボル上の信号がＳＳＢの内容とマッチングするかどうかを判定し、マッチングすれば、ステップＳ５０３３を実行し、マッチングしなければ、ステップＳ５０３５を実行する。
【０１１３】
ここで、ＳＳＢの内容は、循環シフト前のＳＳＢの内容及び循環シフト後のＳＳＢの内容を含む。
【０１１４】
ステップＳ５０３３において、現在のシンボル上の信号を信号集合に追加し、現在のシンボルの総数を統計する。
【０１１５】
ここで、信号集合に新たに追加された信号が以前の信号と重複する信号が存在すれば、重複信号を除去し、即ち、重複しない信号のみを追加する。
【０１１６】
ステップＳ５０３４において、現在のシンボルの総数が第１所定数量に達しているかどうかを判定し、第１所定数量に達していない場合、現在のシンボル及びその前のシンボルを現在のシンボルとし、ステップＳ５０３２を繰り返して実行し、第１所定数量に達した場合、ステップＳ５０３５を実行する。
【０１１７】
ここで、第１所定数量は、３個であってもよい。
【０１１８】
ステップＳ５０３５において、現在信号集合に追加されたシンボルの前のシンボルの検出を終止する。
【０１１９】
ここで、設定信号の所在位置に基づいて、第２所定時間窓の第２信号集合を取得するプロセスは、第１信号集合の取得プロセスと同じである。上記ステップにおける「設定信号の所在するシンボルの前のシンボル」を「設定信号の所在するシンボルの後ろのシンボル」に置き換えればよい。ここで、詳細な説明を省略する。第２信号集合の取得について、第１所定数量は、３個より大きい数であってもよく、例えば、１５個である。
【０１２０】
信号集合の取得プロセスをより明らかに説明するために、以下、図７に示す実施例を参照しながら、説明する。設定信号がシンボル＃８に位置するＰＳＳであるとすれば、信号集合の取得プロセスは以下の通りである。
【０１２１】
シンボル＃８の前のシンボルについて、シンボル＃７を現在のシンボルとし、設定信号ＰＳＳ及びシンボル＃７における信号ＰＢＣＨが他のＳＳＢの内容とマッチングすると判定し（ＰＳＳの位置が変わらないため、他の信号が循環シフトされた後、ＰＢＣＨがＰＳＳ信号の所在するシンボルの前に位置する可能性があり、例えば、上記位置１１）及び位置１２）が挙げられる）、シンボル＃７に対応する信号ＰＢＣＨを信号集合に追加し、統計により、現在のシンボルの総数が１であることを得、現在のシンボルの総数が第１所定数量、即ち３に達していないため、シンボル＃７及びシンボル＃６を現在のシンボルとする。設定信号ＰＳＳ、シンボル＃７における信号ＰＢＣＨ及びシンボル＃６における信号ＳＳＳが他のＳＳＢの内容とマッチングすると判定し（同様に、ＰＳＳの位置が変わらないため、他の信号が循環シフトされた後、連続した３つのシンボルの送信内容がＳＳＳ−ＰＢＣＨ−ＰＳＳである可能性があり、例えば、上記位置１１）が挙げられる）、シンボル＃７における信号ＰＢＣＨ及びシンボル＃６における信号ＳＳＳを信号集合に追加する。信号集合に既にシンボル＃７に対応する信号ＰＢＣＨが含まれているため、シンボル＃６における信号ＳＳＳのみを信号集合に追加し、統計により、現在のシンボルの総数が２であることを得る。現在のシンボルの総数が第１所定数量、即ち３に達していないため、シンボル＃７からシンボル＃５を現在のシンボルとする。設定信号ＰＳＳ、シンボル＃７における信号ＰＢＣＨ、シンボル＃６における信号ＳＳＳ及びシンボル＃５における信号ＰＢＣＨが他のＳＳＢの内容とマッチングすると判定し（同様に、ＰＳＳの位置が変わらないため、他の信号が循環シフトされた後、連続した４つのシンボルの送信内容がＰＢＣＨ−  ＳＳＳ−  ＰＢＣＨ−ＰＳＳである可能性があり、例えば、上記位置２３）が挙げられる）、シンボル＃７における信号ＰＢＣＨ、シンボル＃６における信号ＳＳＳ及びシンボル＃５における信号ＰＢＣＨを信号集合に追加する。信号集合に既にシンボル＃７に対応する信号ＰＢＣＨ及びシンボル＃６における信号ＳＳＳが含まれているため、シンボル＃５における信号ＰＢＣＨのみを信号集合に追加し、統計により、現在のシンボルの総数が３であることを得る。現在のシンボルの総数が第１所定数量３に達したため、シンボル＃５より前のシンボルの検出を中止する。それによって、第１信号集合は、シンボル＃５〜＃７でのＰＢＣＨ−ＳＳＳ−ＰＢＣＨである。
【０１２２】
シンボル＃８の後ろのシンボルについて、シンボル＃９を現在のシンボルとし、設定信号ＰＳＳ及びシンボル＃９における信号ＰＢＣＨがプライマリＳＳＢの内容とマッチングすると判定し（ＰＢＣＨは、ＰＳＳの所在するシンボルの１つ後ろのシンボルに位置し、プライマリＳＳＢのシンボル位置を参照し、即ち、位置１３である）、シンボル＃９に対応する信号ＰＢＣＨを信号集合に追加し、統計により、現在のシンボルの総数が１であることを得る。現在のシンボルの総数が第１所定数量、即ち１５に達していないため、シンボル＃９及びシンボル＃１０を現在のシンボルとする。設定信号ＰＳＳ、シンボル＃９における信号ＰＢＣＨ及びシンボル＃１０における信号であるヌル信号がプライマリＳＳＢ又は他のＳＳＢの内容とマッチングしないと判定し、シンボル＃９の後ろのシンボルの検出を中止する。第２信号集合は、シンボル＃９でのＰＢＣＨである。
【０１２３】
上記プロセスにより、得られた信号集合は、シンボル＃５における信号からシンボル＃９における信号であり、つまり、ＰＢＣＨ−ＳＳＳ−ＰＢＣＨ−ＰＳＳ−ＰＢＣＨである。
【０１２４】
また例えば、図８における２番目のＳＳＢのＳＳＳ（即ち、シンボル＃６でのＳＳＳ）を設定信号とする場合、上記プロセスにより取得された信号集合は、シンボル＃３における信号からシンボル＃１３における信号である。
【０１２５】
該実施例において、現在のシンボル上の信号及び設定信号がＳＳＢの内容とマッチングするかどうかを判定し、マッチングする場合、現在のシンボルを信号集合に追加し、上記操作を繰り返して実行し、現在のシンボルの数が第１所定数量に達するまで継続する。マッチングしない場合、現在信号集合に追加されたシンボルの前又は後ろのシンボルの検出を終止し、信号集合の取得を実現する。
【０１２６】
ステップＳ５０４において、信号集合に基づいて、ＳＳＢに属する位置情報を決定する。
【０１２７】
該実施例において、信号集合を決定した後、ＳＳＢに属する位置情報を決定することができる。図９に示すように、ＳＳＢに属する位置情報は以下を含んでもよい。
【０１２８】
ステップＳ５０４１において、信号集合における、設定信号の所在するシンボルを含む全ての連続した第２所定数量のシンボルにおける信号を、ＳＳＢの内容とマッチングを行う。
【０１２９】
ここで、第２所定数量は、４個であってもよく、ＳＳＢの内容は、循環シフト前のＳＳＢの内容及び循環シフト後のＳＳＢの内容を含む。
【０１３０】
ステップＳ５０４２において、マッチングに成功した、連続した第２所定数量のシンボルにおける信号の数が１つであれば、マッチングに成功した、連続した第２所定数量のシンボルを前記位置情報とする。
【０１３１】
ステップＳ５０４３において、マッチングに成功した、連続した第２所定数量のシンボルにおける信号の数が複数であれば、信号集合の最後のシンボルから、連続した第２所定数量のシンボルずつを１グループとし、設定信号の所在するシンボルを含むグループに対応するシンボルを位置情報とする。
【０１３２】
引き続き図７を例として説明する。取得された信号集合がシンボル＃５における信号からシンボル＃９における信号であるため、該信号集合における、設定信号の所在するシンボルを含むすべての連続した４個のシンボルにおける信号とプライマリＳＳＢ又は他のＳＳＢの内容に対してマッチングを行う。マッチングに成功した連続した４個のシンボルにおける信号の数は、２個である。信号集合の最後のシンボルであるシンボル＃９から、連続した４個ごとのシンボルを１グループとする。つまり、シンボル＃９からシンボル＃６を第１グループとし、第１グループにシンボル＃８が含まれるため、第１グループに対応するシンボルであるシンボル＃９からシンボル＃６をＳＳＢに属する位置情報とする。
【０１３３】
引き続き図８を例として説明する。取得された信号集合がシンボル＃３における信号からシンボル＃１３における信号であるため、該信号集合における、設定信号の所在するシンボルであるシンボル＃６を含むすべての連続した４個のシンボルにおける信号とプライマリＳＳＢ又は他のＳＳＢの内容に対してマッチングを行う。マッチングに成功した連続した４個のシンボルにおける信号の数は、複数である。信号集合の最後のシンボルであるシンボル＃１３から、連続した４個ごとのシンボルを１グループとする。つまり、シンボル＃１３からシンボル＃１０を第１グループとし、シンボル＃９からシンボル＃６を第２グループとする。第２グループにシンボル＃６が含まれるため、第２グループに対応するシンボルであるシンボル＃９からシンボル＃６をＳＳＢに属する位置情報とする。
【０１３４】
該実施例において、信号集合における、設定信号の所在するシンボルを含む全ての連続した第２所定数量のシンボルにおける信号を、ＳＳＢの内容とマッチングを行う。マッチングに成功した、連続した第２所定数量のシンボルにおける信号の数が１つである場合、マッチングに成功した、連続した第２所定数量のシンボルを位置情報とする。マッチングに成功した、連続した第２所定数量のシンボルにおける信号の数が複数である場合、信号集合の最後のシンボルから、連続した第２所定数量のシンボルずつを１グループとし、設定信号の所在するシンボルを含むグループに対応するシンボルを位置情報とする。実現方式が簡単であり、位置情報決定の正確率が高い。
【０１３５】
ステップＳ５０５において、上記位置情報に基づいて、ＳＳＢのインデックスを決定する。
【０１３６】
上記実施例において、基地局から送信されたＳＳＢを受信し、ＳＳＢにおける、ＳＳＢインデックスを決定するための設定信号に対して検出を行い、設定信号の所在位置を得る。設定信号の所在位置に基づいて、所定時間窓の信号集合を取得し、信号集合に基づいて、ＳＳＢに属する位置情報を決定する。続いて、決定された位置情報に基づいて、ＳＳＢのインデックスを決定する。決定されたＳＳＢのインデックスに、高い正確率を持たせる。
【０１３７】
図１０に示すように、基地局から送信されたＳＳＢを受信して検出することは以下を含んでもよい。
【０１３８】
ステップＳ１１０において、基地局から送信されたＳＳＢを受信する。
【０１３９】
ステップＳ１２０において、該ＳＳＢにおけるターゲット信号に対して検出を行い、ＳＳＢにおける全ての信号を取得する。
【０１４０】
ここで、ターゲット信号は、ＰＳＳであってもよいが、これに限定されない。
【０１４１】
該実施例において、ＳＳＢにおけるターゲット信号に対して検出を行い、ターゲット信号の所在位置を得て、ターゲット信号の所在位置に基づいて、ＳＳＢにおける全ての信号を取得することができる。
【０１４２】
例えば、ＵＥは、ＰＳＳを検出した後、ＰＳＳの所在するシンボルがｎであるとすれば、後から、シンボル（ｎ＋１）、シンボル（ｎ＋２）及びシンボル（ｎ＋３）を見付ける。
【０１４３】
ステップＳ１３０において、ＳＳＢにおける全ての信号を復調し、ＳＳＢに対応するＳＳＢインデックスを得る。
【０１４４】
シンボル（ｎ＋１）、シンボル（ｎ＋２）及びシンボル（ｎ＋３）を見付けた後、該４個のシンボルから、ＰＳＳ、ＰＢＣＨ、ＳＳＳ及びＰＢＣＨを得て、情報復調を行い、ＳＳＢ  ｉｎｄｅｘ及びオフセット量を得る。
【０１４５】
なお、ＳＳＢ  ｉｎｄｅｘ及びオフセット量を得た後、該ＳＳＢにおける各信号の所在するシンボル位置を決定することで、基地局との時間領域同期を実現させることができる。
【０１４６】
該実施例において、ＳＳＢにおけるターゲット信号に対して検出を行い、ＳＳＢにおける全ての信号を取得し、ＳＳＢにおける全ての信号を復調し、ＳＳＢに対応するＳＳＢインデックスを得る。実現方式は簡単である。
【０１４７】
ステップＳ４０２において、検出されたＳＳＢに対応するＳＳＢグループ内のプライマリＳＳＢを決定する。
【０１４８】
該実施例において、グループ化ルールに基づいて、検出されたＳＳＢに対応するＳＳグループを決定し、プライマリＳＳＢ選択ルールに応じて、ＳＳＢグループ内のプライマリＳＳＢを決定することができる。１つのＳＳＢグループにおいて、ＵＥは、１つより多くのＳＳＢの受信検出を望まない。つまり、１つのＳＳＢグループにおいて、ＵＥは最大限１つのＳＳＢを受信して検出することができる。
【０１４９】
任意選択的に、上記ステップＳ４０２を実行する前に、グループ化ルール及びプライマリＳＳＢ選択ルールをデフォルト設定すること、又は、基地局から送信されたグループ化ルール及びプライマリＳＳＢ選択ルールを受信することを更に含んでもよい。
【０１５０】
基地局により受信されて検出されたＳＳＢがＳＳＢ＃１であるとずれば、グループ化ルールに基づいて、ＳＳＢ＃１が第１ＳＳＢグループに属すると決定し、続いて、プライマリＳＳＢ選択ルールに基づいて、第１ＳＳＢグループのプライマリＳＳＢをＳＳＢ＃０として決定する。
【０１５１】
ステップＳ４０３において、基地局から送信された指示情報を受信し、指示情報に基づいて、基地局の送信待ちのＳＳＢを決定する。
【０１５２】
受信された指示情報により指示されたものは、ＳＳＢ＃０及びＳＳＢ＃４であれば、ＵＥは、指示情報に基づいて、基地局の送信待ちのＳＳＢがＳＳＢ＃０及びＳＳＢ＃４であることを知ることができる。
【０１５３】
ステップＳ４０４において、基地局から送信された各ランダムアクセス機会（ＲＯ）内のプリアンブルに対応するＳＳＢ数量及びＦＤＭでのＲＯ数量を受信し、基地局の送信待ちのＳＳＢ、プライマリＳＳＢの基地局の送信待ちのＳＳＢにおける位置、各ＲＯ内のプリアンブルに対応するＳＳＢ数量及びＦＤＭでのＲＯ数量に基づいて、プライマリＳＳＢに対応するＲＯ及びプリアンブルを決定する。
【０１５４】
基地局の送信待ちのＳＳＢがＳＳＢ＃０及びＳＳＢ＃４であるとすれば、検出されたＳＳＢに対応するＳＳＢグループ内のプライマリＳＳＢを、ＳＳＢ＃０として決定し、送信待ちのＳＳＢに対応する全てのＲＯがＲＯ１〜ＲＯ４であり、且つ１つのＲＯ内のｐｒｅａｍｂｌｅに対応するＳＳＢ数量を１／２（つまり、１つのＳＳＢが２つの連続したＲＯ内の全てのｐｒｅａｍｂｌｅに対応する）として決定する。ＳＳＢ＃０がＳＳＢ＃４の前に位置するため、ＳＳＢ＃０に対応するＲＯがＲＯ１〜ＲＯ２であり、対応するｐｒｅａｍｂｌｅがＲＯ１〜ＲＯ２内の全てのｐｒｅａｍｂｌｅであると決定することができる。
【０１５５】
ステップＳ４０５において、決定されたＲＯで、基地局に、対応するプリアンブルを送信し、基地局へのランダムアクセスを実現する。
【０１５６】
上記実施例において、基地局から送信されたＳＳＢを受信して検出し、検出されたＳＳＢに対応するＳＳＢグループ内のプライマリＳＳＢを決定し、基地局から送信された指示情報を受信し、該指示情報に基づいて、基地局の送信待ちのＳＳＢを決定する。続いて、基地局から送信された各ランダムアクセス機会（ＲＯ）内のプリアンブル（ｐｒｅａｍｂｌｅ）に対応するＳＳＢ数量及びＦＤＭでのＲＯ数量を受信し、基地局の送信待ちのＳＳＢ、プライマリＳＳＢの基地局の送信待ちのＳＳＢにおける位置、各ＲＯ内のｐｒｅａｍｂｌｅに対応するＳＳＢ数量及びＦＤＭでのＲＯ数量に基づいて、プライマリＳＳＢに対応するＲＯ及びｐｒｅａｍｂｌｅを決定する。これにより、ＵＥは、決定されたＲＯで、基地局に、対応するｐｒｅａｍｂｌｅを送信し、基地局へのランダムアクセスを実現する。つまり、基地局が１つのＳＳＢグループにおけるどのＳＳＢを送信するかに関わらず、ＵＥは、該ＳＳＢグループのプライマリＳＳＢに対応するＲＯリソースで、ランダムアクセスを行う。これにより、同一のＳＳＢグループ内のＳＳＢが一つ分のＲＯリソースを共有し、各ＳＳＢに対応するＲＯリソースの数を向上させ、ＲＯリソースの利用率を向上させ、ＵＥのランダムアクセスの成功率を向上させる。
【０１５７】
図１１は、一例示的な実施例によるランダムアクセス設定装置を示すブロック図である。該装置は、基地局に位置してもよい。図１１に示すように、該装置は、グループ化選択モジュール１１１と、第１送信モジュール１１２と、第２送信モジュール１１３と、第３送信モジュール１１４と、を備える。
【０１５８】
グループ化選択モジュール１１１は、複数の同期信号ブロック（ＳＳＢ）をグループ化し、各ＳＳＢグループから、１つのプライマリＳＳＢを選択するように構成される。
【０１５９】
第１送信モジュール１１２は、ユーザ装置（ＵＥ）に指示情報を送信するように構成され、指示情報は、グループ化選択モジュール１１１により選択された送信待ちのＳＳＢグループ内のプライマリＳＳＢを示すためのものである。
【０１６０】
第２送信モジュール１１３は、ＵＥに各送信待ちのＳＳＢグループ内の多くとも１つのＳＳＢを送信するように構成される。
【０１６１】
第３送信モジュール１１４は、ＵＥに、各ランダムアクセス機会（ＲＯ）内のプリアンブル（ｐｒｅａｍｂｌｅ）に対応するＳＳＢ数量及び周波数分割多重（ＦＤＭ）でのＲＯ数量を送信するように構成される。
【０１６２】
上記実施例において、複数のＳＳＢをグループ化し、ＵＥに、各送信待ちのＳＳＢグループ内の多くとも１つのＳＳＢを送信することで、ＳＳＢグループ内のＳＳＢを一つ分のＲＯリソースに対応させ、つまり、各ＳＳＢに対応するＲＯリソースの数を向上させ、ＲＯリソースの利用率を向上させ、ＵＥのランダムアクセスの成功率を向上させる。
【０１６３】
図１２は、一例示的な実施例によるもう１つのランダムアクセス設定装置を示すブロック図である。図１２に示すように、上記図１１に示す実施例を基礎として、該装置は、デフォルト設定モジュール１１５又は決定送信モジュール１１６を更に備えてもよい。
【０１６４】
デフォルト設定モジュール１１５は、グループ化選択モジュール１１１が複数の同期信号ブロック（ＳＳＢ）をグループ化し、各ＳＳＢグループから、１つのプライマリＳＳＢを選択する前に、グループ化ルール及びプライマリＳＳＢ選択ルールをデフォルト設定するように構成される。
【０１６５】
決定送信モジュール１１６は、グループ化選択モジュール１１１が複数の同期信号ブロック（ＳＳＢ）をグループ化し、各ＳＳＢグループから、１つのプライマリＳＳＢを選択する前に、グループ化ルール及びプライマリＳＳＢ選択ルールを決定し、ＵＥにグループ化ルール及びプライマリＳＳＢ選択ルールを送信するように構成される。
【０１６６】
ここで、グループ化ルールは、ビーム数、複数のＳＳＢの数量、複数のＳＳＢの時間領域位置分布情報、ウィンドウサイズ及びチャネル条件のうちの１つ又は複数を含んでもよいが、これらに限定されない。
【０１６７】
例えば、ビーム数に基づいてグループ化してもよい。基地局が送信したい（即ち、基地局により送信されるべき）複数のＳＳＢの数量に基づいてグループ化してもよい。複数のＳＳＢの時間領域位置分布情報に基づいて、４つの連続ＳＳＢを１グループとするか又は２つの連続ＳＳＢを１グループとしてもよい。また、１ｍｓウィンドウ内のＳＳＢを１グループとしてもよい。更に、チャネル条件が悪いＳＳＢについて、より多くのＳＳＢを１グループとしてもよい。これにより、グループ毎に１つのＳＳＢの送信機会を増大させ、ＲＯリソースの浪費を減少させることができる。
【０１６８】
ここで、プライマリＳＳＢ選択ルールは、各グループ内のある１つのＳＳＢをデフォルトでプライマリＳＳＢとすることを含んでもよいが、これに限定されない。例えば、各グループ内の一番目のＳＳＢをデフォルトでプライマリＳＳＢとしてもよく、各グループ内の最後のＳＳＢをデフォルトでプライマリＳＳＢとしてもよい。
【０１６９】
上記実施例において、グループ化ルール及びプライマリＳＳＢ選択ルールをデフォルト設定するか又はグループ化ルール及びプライマリＳＳＢ選択ルールを決定し、ＵＥに、グループ化ルール及びプライマリＳＳＢ選択ルールを送信する。これにより、後続の複数のＳＳＢのグループ化、各ＳＳＢグループからの１つのプライマリＳＳＢの選択に役立つ。
【０１７０】
図１３は、一例示的な実施例によるもう１つのランダムアクセス設定装置を示すブロック図である。図１３に示すように、上記図１１に示す実施例を基礎として、該装置は、選択取得モジュール１１７を更に備えてもよい。
【０１７１】
選択取得モジュール１１７は、グループ化選択モジュール１１１が複数の同期信号ブロック（ＳＳＢ）をグループ化する前に、前記複数のＳＳＢから、少なくとも１つのＳＳＢを選択してターゲットＳＳＢとし、各ターゲットＳＳＢの複数の送信可能位置を得るように構成される
【０１７２】
ここで、各ターゲットＳＳＢの複数の送信可能位置を得ることは、下記２つの方式を含む。
【０１７３】
方式１）は、循環シフト方式である。各ターゲットＳＳＢインデックスを決定するための設定信号の所在位置に基づいて、各ターゲットＳＳＢに含まれる、設定信号以外の他の信号に対して、シンボルレベルの循環シフトを行い、各ターゲットＳＳＢの複数の送信可能位置を得る。設定信号の、複数の送信可能位置における位置とターゲットＳＳＢにおける位置は、同じである。
【０１７４】
ここで、設定信号は、ＳＳＢに位置するＰＳＳ、ＳＳＳ又はＰＢＣＨを含んでもよいが、これらに限定されない。
【０１７５】
例えば、図２に示すＳＳＢ＃０を例として、ＳＳＢ＃０の複数の送信可能位置の取得プロセスを説明する。ここで、図２に示すＳＳＢ＃０の位置は、ＳＳＢ＃０の初期送信可能位置である。
【０１７６】
設定信号がＰＳＳである場合、設定信号の所在する位置であるシンボル２に基づいて、プライマリＳＳＢに含まれる、設定信号以外の他の信号に対して、シンボルレベルの循環シフトを行うことで得られたＳＳＢの複数の送信可能位置は、以下の通りである。
【０１７７】
位置１１）、シンボル０〜３であり、シンボル０〜３で送信される信号はそれぞれ、ＳＳＳ、ＰＢＣＨ、ＰＳＳ、ＰＢＣＨである。
【０１７８】
位置１２）、シンボル１〜４であり、シンボル１〜４で送信される信号は、それぞれＰＢＣＨ、ＰＳＳ、ＰＢＣＨ、ＳＳＳである。
【０１７９】
位置１３）、シンボル２〜５であり、シンボル２〜５は、ＳＳＢ＃０の初期送信可能位置であり、送信される信号はそれぞれ、ＰＳＳ、ＰＢＣＨ、ＳＳＳ、ＰＢＣＨである。
【０１８０】
なお、ここで、ＳＳＢ＃０を例として説明しているため、しかもＳＳＢが５ｍｓウィンドウの前に送信することができないため、ＳＳＢ＃０は、ＰＳＳを設定信号として循環シフトを行った後、ＰＳＳが最後に位置する場合になり得ない。それに対して、他の位置のＳＳＢであれば、ＰＳＳが最後に位置する場合になり得る。
【０１８１】
例えば、ＳＳＢ＃１における設定信号ＰＳＳであれば、もう１つ位置があり得、即ち、シンボル５〜８であり、シンボル５〜８で送信される信号は、それぞれＰＢＣＨ、ＳＳＳ、ＰＢＣＨ、ＰＳＳである。つまり、ＰＳＳは、該４つのシンボルのうちの最後のシンボルである。
【０１８２】
上記得られた複数の送信可能位置から分かるように、複数の送信可能位置での、ＰＳＳの位置は、同じであり、常に、シンボル２に位置する。これらの複数の送信可能位置のＳＳＢインデックスは、いずれもＰＳＳの所在するシンボル位置によって決定され、従って、複数の送信可能位置に対応するＳＳＢインデックスは、同じである。
【０１８３】
設定信号がＳＳＳである場合、設定信号の所在する位置に基づいて、即ち、シンボル４に基づいて、ＳＳＢ＃０に含まれる、設定信号以外の他の信号に対して、シンボルレベルの循環シフトを行い、それによって得られたＳＳＢの複数の送信可能位置は、以下の通りである。
【０１８４】
位置２１）、シンボル１〜４であり、シンボル１〜４で送信される信号はそれぞれ、ＰＢＣＨ、ＰＳＳ、ＰＢＣＨ、ＳＳＳである。
【０１８５】
位置２２）、シンボル２〜５であり、シンボル２〜５で送信される信号はそれぞれ、ＰＳＳ、ＰＢＣＨ、ＳＳＳ、ＰＢＣＨである。
【０１８６】
位置２３）、シンボル３〜６であり、シンボル３〜６で送信される信号はそれぞれ、ＰＢＣＨ、ＳＳＳ、ＰＢＣＨ、ＰＳＳである。
【０１８７】
位置２４）、シンボル４〜７であり、シンボル４〜７で送信される信号はそれぞれ、ＳＳＳ、ＰＢＣＨ、ＰＳＳ、ＰＢＣＨである。
【０１８８】
上記得られた複数の送信可能位置から分かるように、複数の送信可能位置での、ＳＳＳの位置は、同じであり、常にシンボル４に位置している。これらの複数の送信可能位置のＳＳＢインデックスはいずれも、ＳＳＳの所在するシンボル位置により決定される。従って、複数の送信可能位置に対応するＳＳＢインデックスは同じである。
【０１８９】
この場合、各ターゲットＳＳＢ及びそれを循環シフトした後に得られた複数の送信可能位置に対応する複数のＳＳＢを１グループとすることができる。
【０１９０】
方式２）は、全体シフトの方式である。各ターゲットＳＳＢの位置に基づいて、各ターゲットＳＳＢに含まれる信号を全体シフトし、各ターゲットＳＳＢの複数の送信可能位置を得る。
【０１９１】
任意選択的に、各送信可能位置と初期送信可能位置との全体シフト量に基づいて、対応するオフセット量を決定することもできる。
【０１９２】
複数の送信可能位置の取得及びオフセット量の決定のプロセスを明らかに説明するために、以下、依然として、図２に示すＳＳＢ＃０を例として説明する。図２におけるＳＳＢ＃０に含まれる信号を全体シフトすることで、下記複数の送信可能位置を得ることができる。
【０１９３】
位置３１）、シンボル０〜３であり、シンボル０〜３で送信される信号はそれぞれＰＳＳ、ＰＢＣＨ、ＳＳＳ、ＰＢＣＨであり、該位置は、初期送信可能位置に対して、前へ２個のシンボルをオフセットした位置であり、即ち、オフセット量は、−２である。
【０１９４】
位置３２）、シンボル１〜４であり、シンボル１〜４で送信される信号はそれぞれ、ＰＳＳ、ＰＢＣＨ、ＳＳＳ、ＰＢＣＨであり、該位置は、初期送信可能位置に対して、前へ１個のシンボルをオフセットした位置であり、即ち、オフセット量は、−１である。
【０１９５】
位置３３）、シンボル２〜５であり、シンボル２〜５は初期送信可能位置であり、オフセット量は、０である。
【０１９６】
位置３４）、シンボル３〜６であり、シンボル３〜６で送信される信号はそれぞれ、ＰＳＳ、ＰＢＣＨ、ＳＳＳ、ＰＢＣＨであり、該位置は、初期送信可能位置に対して、後へ１個のシンボルをオフセットした位置であり、即ち、オフセット量は、１である。
【０１９７】
位置３５）、シンボル４〜７であり、シンボル４〜７で送信される信号はそれぞれ、ＰＳＳ、ＰＢＣＨ、ＳＳＳ、ＰＢＣＨであり、該位置は、初期送信可能位置に対して、後へ２個のシンボルをオフセットした位置であり、即ち、オフセット量は、２である。
【０１９８】
上記から分かるように、上記方式により、複数の送信可能位置を得ることができる。送信可能位置が多いほど、オフセット量は大きくなり、オフセット量を示すためのビット（ｂｉｔ）数も多くなる。該実施例において、オフセット量を制限することができる。例えば、後へＭ個のシンボルしかオフセットしないように制限するか又は前へＮ個のシンボルしかオフセットしないように制限する。Ｍ及びＮはいずれも、０以上Ｘ以下の整数であり、Ｘは、必要に応じて設定されてもよく、例えば、８以下であってもよい。該実施例において、オフセット量を制限することで、オフセット量を示すための、基地局のシグナリングの増加したｂｉｔ数を可能な限り少なくし、ＰＢＣＨのシグナリングオーバーヘッドを節約することができる。
【０１９９】
この場合、各ターゲットＳＳＢ及びそれを全体シフトした後に得られた複数の送信可能位置に対応する複数のＳＳＢを１グループとすることができる。
【０２００】
上記実施例において、複数のＳＳＢから、少なくとも１つのＳＳＢを選択してターゲットＳＳＢとし、各ターゲットＳＳＢの複数の送信可能位置を得る。これにより、後続のＳＳＢのグループ化に役立つ。
【０２０１】
図１４は、一例示的な実施例によるもう１つのランダムアクセス設定装置を示すブロック図である。図１３に示すように、上記図１１に示す実施例を基礎として、第２送信モジュール１１３は、
各送信待ちのＳＳＢグループ内の一番目のＳＳＢを現在のＳＳＢとするように構成される決定サブモジュール１１３１と、
決定サブモジュール１１３１により決定された現在のＳＳＢの送信位置の前にチャネル検出を行うように構成される検出サブモジュール１１３２と、
検出サブモジュール１１３２がチャネルがアイドルであることを検出した場合、現在のＳＳＢを送信するように構成される送信サブモジュール１１３３と、
検出サブモジュール１１３２がチャネルがビジーであることを検出した場合、現在のＳＳＢの次のＳＳＢを現在のＳＳＢとし、引き続き検出サブモジュール１１３２を呼び出して、現在のＳＳＢの送信位置の前のチャネル検出を実行し、１つのＳＳＢの送信に成功するまで継続するか、又は送信待ちのＳＳＢグループ内の全てのＳＳＢの送信位置の前のチャネルがいずれもビジーであることを検出するまで継続するように構成される処理サブモジュール１１３４と、を備える。
【０２０２】
上記実施例において、ＵＥに、各送信待ちのＳＳＢグループ内の多くとも１つのＳＳＢを送信することで、後続のＲＯリソースの浪費の減少に役立つ。
【０２０３】
図１５は、一例示的な実施例によるランダムアクセス装置を示すブロック図である。該装置は、ＵＥに位置してもよい。図１５に示すように、該装置は、以下を備える。
【０２０４】
受信検出モジュール１５１は、基地局から送信された同期信号ブロック（ＳＳＢ）を受信して検出するように構成される。
【０２０５】
決定モジュール１５２は、受信検出モジュールにより検出されたＳＳＢに対応するＳＳＢグループ内のプライマリＳＳＢを決定するように構成される。
【０２０６】
１つのＳＳＢグループにおいて、ＵＥは、１つより多くのＳＳＢの受信検出を望まないことに留意されたい。つまり、１つのＳＳＢグループにおいて、ＵＥは最大限１つのＳＳＢを受信して検出することができる。
【０２０７】
第１受信決定モジュール１５３は、基地局から送信された指示情報を受信し、指示情報に基づいて、基地局の送信待ちのＳＳＢを決定するように構成される。
【０２０８】
第２受信決定モジュール１５４は、基地局から送信された各ランダムアクセス機会（ＲＯ）内のプリアンブル（ｐｒｅａｍｂｌｅ）に対応するＳＳＢ数量及び周波数分割多重（ＦＤＭ）でのＲＯ数量を受信し、第１受信決定モジュール１５３により決定された基地局の送信待ちのＳＳＢ、決定モジュール１５２により決定されたプライマリＳＳＢの基地局の送信待ちのＳＳＢにおける位置、各ＲＯ内のｐｒｅａｍｂｌｅに対応するＳＳＢ数量及びＦＤＭでのＲＯ数量に基づいて、プライマリＳＳＢに対応するＲＯ及びｐｒｅａｍｂｌｅを決定するように構成される。
【０２０９】
基地局の送信待ちのＳＳＢがＳＳＢ＃０及びＳＳＢ＃４であるとすれば、検出されたＳＳＢに対応するＳＳＢグループ内のプライマリＳＳＢを、ＳＳＢ＃０として決定し、送信待ちのＳＳＢに対応する全てのＲＯがＲＯ１〜ＲＯ４であり、且つ１つのＲＯ内のｐｒｅａｍｂｌｅに対応するＳＳＢ数量を、１／２（つまり、１つのＳＳＢが２つの連続したＲＯ内の全てのｐｒｅａｍｂｌｅに対応する）として決定する。ＳＳＢ＃０がＳＳＢ＃４の前に位置するため、ＳＳＢ＃０に対応するＲＯがＲＯ１〜ＲＯ２であり、対応するｐｒｅａｍｂｌｅがＲＯ１〜ＲＯ２内の全てのｐｒｅａｍｂｌｅであると決定することができる。
【０２１０】
アクセスモジュール１５５は、第２受信決定モジュール１５４により決定されたＲＯで、基地局に、対応するｐｒｅａｍｂｌｅを送信し、基地局へのランダムアクセスを実現するように構成される。
【０２１１】
上記実施例において、基地局から送信されたＳＳＢを受信して検出し、検出されたＳＳＢに対応するＳＳＢグループ内のプライマリＳＳＢを決定し、基地局から送信された指示情報を受信し、該指示情報に基づいて、基地局の送信待ちのＳＳＢを決定する。続いて、基地局から送信された各ランダムアクセス機会（ＲＯ）内のプリアンブル（ｐｒｅａｍｂｌｅ）に対応するＳＳＢ数量及びＦＤＭでのＲＯ数量を受信し、基地局の送信待ちのＳＳＢ、プライマリＳＳＢの基地局の送信待ちのＳＳＢにおける位置、各ＲＯ内のｐｒｅａｍｂｌｅに対応するＳＳＢ数量及びＦＤＭでのＲＯ数量に基づいて、プライマリＳＳＢに対応するＲＯ及びｐｒｅａｍｂｌｅを決定する。これにより、ＵＥは、決定されたＲＯで、基地局に、対応するｐｒｅａｍｂｌｅを送信し、基地局へのランダムアクセスを実現する。つまり、基地局が１つのＳＳＢグループにおけるどのＳＳＢを送信するかに関わらず、ＵＥは、該ＳＳＢグループのプライマリＳＳＢに対応するＲＯリソースで、ランダムアクセスを行う。これにより、同一のＳＳＢグループ内のＳＳＢが一つ分のＲＯリソースを共有し、各ＳＳＢに対応するＲＯリソースの数を向上させ、ＲＯリソースの利用率を向上させ、ＵＥのランダムアクセスの成功率を向上させる。
【０２１２】
図１６は、一例示的な実施例によるもう１つのランダムアクセス装置を示すブロック図である。図１６に示すように、上記図１５に示す実施例を基礎として、受信検出モジュール１５１は、以下を備えてもよい。
【０２１３】
第１受信サブモジュール１５１１は、基地局から送信されたＳＳＢを受信するように構成される。
【０２１４】
検出取得サブモジュール１５１２は、第１受信サブモジュール１５１１により受信されたＳＳＢにおける、ＳＳＢインデックスを決定するための設定信号に対して検出を行い、設定信号の所在位置を得るように構成される。
【０２１５】
ここで、複数の方式で設定信号を決定することができる。例えば、ＳＳＢにおける信号を設定信号と設定する。つまり、如何なる場合に、設定信号はいずれも同じである。ＳＳＢの送信周波数点又はサブキャリア間隔に基づいて、ＳＳＢにおける異なる信号を設定信号として決定することもできる。
【０２１６】
取得サブモジュール１５１３は、検出取得サブモジュール１５１２により取得された設定信号の所在位置に基づいて、所定時間窓の信号集合を取得するように構成される。
【０２１７】
第１決定サブモジュール１５１４は、取得サブモジュール１５１３により取得された信号集合に基づいて、ＳＳＢに属する位置情報を決定するように構成される。
【０２１８】
第２決定サブモジュール１５１５は、第１決定サブモジュール１５１４により決定された位置情報に基づいて、ＳＳＢのインデックスを決定するように構成される。
【０２１９】
上記実施例において、基地局から送信されたＳＳＢを受信することで、ＳＳＢにおける、ＳＳＢインデックスを決定するための設定信号に対して検出を行い、設定信号の所在位置を得る。設定信号の所在位置に基づいて、所定時間窓の信号集合を取得し、信号集合に基づいて、ＳＳＢに属する位置情報を決定する。続いて、決定された位置情報に基づいて、ＳＳＢのインデックスを決定する。これにより、決定されたＳＳＢのインデックスに、高い正確率を持たせる。
【０２２０】
図１７は、一例示的な実施例によるもう１つのランダムアクセス装置を示すブロック図である。図１７に示すように、上記図１５に示す実施例を基礎として、受信検出モジュール１５１は、以下を備えてもよい。
【０２２１】
第２受信サブモジュール１５１６は、基地局から送信されたＳＳＢを受信するように構成される。
【０２２２】
検出サブモジュール１５１７は、第２受信サブモジュール１５１６により受信されたＳＳＢにおけるターゲット信号に対して検出を行い、ＳＳＢにおける全ての信号を得るように構成される。
【０２２３】
ここで、ターゲット信号は、ＰＳＳであってもよいが、これに限定されない。
【０２２４】
該実施例において、ＳＳＢにおけるターゲット信号に対して検出を行い、ターゲット信号の所在位置を得て、ターゲット信号の所在位置に基づいて、ＳＳＢにおける全ての信号を取得することができる。
【０２２５】
例えば、ＵＥは、ＰＳＳを検出した後、ＰＳＳの所在するシンボルがｎであるとすれば、後から、シンボル（ｎ＋１）、シンボル（ｎ＋２）及びシンボル（ｎ＋３）を見付ける。
【０２２６】
復調モジュール１５１８は、検出サブモジュール１５１７により取得されたＳＳＢにおける全ての信号を復調し、ＳＳＢに対応するＳＳＢインデックスを得るように構成される。
【０２２７】
シンボル（ｎ＋１）、シンボル（ｎ＋２）及びシンボル（ｎ＋３）を見付けた後、該４個のシンボルから、ＰＳＳ、ＰＢＣＨ、ＳＳＳ及びＰＢＣＨを得て、情報復調を行い、ＳＳＢ  ｉｎｄｅｘ及びオフセット量を得る。
【０２２８】
なお、ＳＳＢ  ｉｎｄｅｘ及びオフセット量を得た後、該ＳＳＢにおける各信号の所在するシンボル位置を決定することで、基地局との時間領域同期を実現させることができる。
【０２２９】
上記実施例において、ＳＳＢにおけるターゲット信号に対して検出を行い、ＳＳＢにおける全ての信号を取得し、ＳＳＢにおける全ての信号を復調し、ＳＳＢに対応するＳＳＢインデックスを得る。実現方式は簡単である。
【０２３０】
図１８は、一例示的な実施例によるもう１つのランダムアクセス装置を示すブロック図である。図１８に示すように、上記図１５に示す実施例を基礎として、決定モジュール１５２は、以下を備えてもよい。
【０２３１】
第３決定サブモジュール１５２１は、グループ化ルールに基づいて、検出されたＳＳＢに対応するＳＳＢグループを決定するように構成される。
【０２３２】
第４決定サブモジュール１５２２は、プライマリＳＳＢ選択ルールに基づいて、第３決定サブモジュール１５２１により決定されたＳＳＢグループ内のプライマリＳＳＢを決定するように構成される。
【０２３３】
該実施例において、グループ化ルールに基づいて、検出されたＳＳＢに対応するＳＳＢグループを決定し、プライマリＳＳＢ選択ルールに応じて、ＳＳＢグループ内のプライマリＳＳＢを決定することができる。
【０２３４】
上記実施例において、グループ化ルールに基づいて、検出されたＳＳＢに対応するＳＳＢグループを決定し、プライマリＳＳＢ選択ルールに応じて、ＳＳＢグループ内のプライマリＳＳＢを決定することで、後続のプライマリＳＳＢに対応するＲＯリソースの決定に役立つ。
【０２３５】
図１９は、一例示的な実施例によるもう１つのランダムアクセス装置を示すブロック図である。図１９に示すように、上記図１８に示す実施例を基礎として、該装置は、デフォルト設定モジュール１５６又は受信モジュール１５７を更に備えてもよい。
【０２３６】
デフォルト設定モジュール１５６は、グループ化ルール及びプライマリＳＳＢ選択ルールをデフォルト設定するように構成される。
【０２３７】
受信モジュール１５７は、基地局から送信されたグループ化ルール及びプライマリＳＳＢ選択ルールを受信するように構成される。
【０２３８】
上記実施例において、グループ化ルール及びプライマリＳＳＢ選択ルールをデフォルト設定するか又は基地局から送信されたグループ化ルール及びプライマリＳＳＢ選択ルールを受信することで、後続の検出されたＳＳＢに対応するＳＳＢグループ内のプライマリＳＳＢの決定に役立つ。
【０２３９】
図２０は、一例示的な実施例によるもう１つのランダムアクセス装置を示すブロック図である。図２０に示すように、上記図１６に示す実施例を基礎として、取得サブモジュール１５１３は、以下を備えてもよい。
【０２４０】
決定ユニット１５１３１は、設定信号が所在するシンボルの前又は後ろのシンボルを現在のシンボルとして決定するように構成される。
【０２４１】
マッチングユニット１５１３２は、設定信号及び決定ユニット１５１３１により決定された現在のシンボル上の信号がＳＳＢの内容とマッチングするかどうかを判定するように構成され、前記ＳＳＢの内容は、循環シフト前のＳＳＢの内容及び循環シフト後のＳＳＢの内容を含む。
【０２４２】
追加統計ユニット１５１３３は、マッチングユニット１５１３２のマッチング結果が、マッチングしたことであれば、現在のシンボル上の信号を信号集合に追加し、現在のシンボルの総数を統計し、総数が第１所定数量に達していない場合、現在のシンボル及びその前のシンボル又は現在のシンボル及びその後ろのシンボルを現在のシンボルとし、マッチングユニット１５１３２を繰り返して呼び出して、現在のシンボル上の信号及び設定信号がＳＳＢの内容とマッチングするかどうかを判定するという操作を実行し、総数が前記第１所定数量に達するまで継続するように構成される。
【０２４３】
検出終止ユニット１５１３４は、マッチングユニット１５１３２のマッチング結果が、マッチングしないことであれば、現在信号集合に追加されたシンボルの前のシンボル又は現在信号集合に追加されたシンボルの後ろのシンボルの検出を終止するように構成される。
【０２４４】
ここで、設定信号の所在位置に基づいて、所定時間窓の信号集合を取得することは、設定信号の所在位置に基づいて、第１所定時間窓の第１信号集合及び第２所定時間窓の第２信号集合を取得することを含む。ここで、第１所定時間窓は、設定信号の所在位置の前に位置し、第２所定時間窓は、設定信号の所在位置の後ろに位置する。上記第１信号集合、第２信号集合及び設定信号は、上記信号集合を構成する。
【０２４５】
上記実施例において、現在のシンボル上の信号及び設定信号がＳＳＢの内容とマッチングするかどうかを判定し、マッチングする場合、現在のシンボルを信号集合に追加し、上記操作を繰り返して実行し、現在のシンボルの数が第１所定数量に達するまで継続する。マッチングしない場合、現在信号集合に追加されたシンボルの前又は後ろのシンボルの検出を終止し、信号集合の取得を実現させる。
【０２４６】
図２１は、一例示的な実施例によるもう１つのランダムアクセス装置を示すブロック図である。図２１に示すように、上記図１６に示す実施例を基礎として、第１決定サブモジュール１５１４は、以下を備えてもよい。
【０２４７】
マッチングユニット１５１４１は、信号集合における、設定信号の所在するシンボルを含む全ての連続した第２所定数量のシンボルにおける信号を、ＳＳＢの内容とマッチングを行うように構成され、ＳＳＢの内容は、循環シフト前のＳＳＢの内容及び循環シフト後のＳＳＢの内容を含む。
【０２４８】
第１決定ユニット１５１４２は、マッチングユニット１５１４１によるマッチングに成功した、連続した第２所定数量のシンボルにおける信号の数が１つであれば、マッチングに成功した、連続した第２所定数量のシンボルを前記位置情報とするように構成される。
【０２４９】
ここで、第２所定数量は、４個であってもよい。
【０２５０】
第２決定ユニット１５１４３は、マッチングユニット１５１４１によるマッチングに成功した、連続した第２所定数量のシンボルにおける信号の数が複数であれば、信号集合の最後のシンボルから、連続した第２所定数量のシンボルずつを１グループとし、設定信号の所在するシンボルを含むグループに対応するシンボルを前記位置情報とするように構成される。
【０２５１】
引き続き図７を例として説明する。取得された信号集合がシンボル＃５における信号からシンボル＃９における信号であるため、該信号集合における、設定信号の所在するシンボルを含むすべての連続した４個のシンボルにおける信号とプライマリＳＳＢ又は他のＳＳＢの内容に対してマッチングを行う。マッチングに成功した連続した４個のシンボルにおける信号の数は、２個である。信号集合の最後のシンボルであるシンボル＃９から、連続した４個ごとのシンボルを１グループとする。つまり、シンボル＃９からシンボル＃６を第１グループとし、第１グループにシンボル＃８が含まれるため、第１グループに対応するシンボルであるシンボル＃９からシンボル＃６をＳＳＢに属する位置情報とする。
【０２５２】
引き続き図８を例として説明する。取得された信号集合がシンボル＃３における信号からシンボル＃１３における信号であるため、該信号集合における、設定信号の所在するシンボルであるシンボル＃６を含むすべての連続した４個のシンボルにおける信号とプライマリＳＳＢ又は他のＳＳＢの内容に対してマッチングを行う。マッチングに成功した連続した４個のシンボルにおける信号の数は、複数である。信号集合の最後のシンボルであるシンボル＃１３から、連続した４個ごとのシンボルを１グループとする。つまり、シンボル＃１３からシンボル＃１０を第１グループとし、シンボル＃９からシンボル＃６を第２グループとする。第２グループにシンボル＃６が含まれるため、第２グループに対応するシンボルであるシンボル＃９からシンボル＃６をＳＳＢに属する位置情報とする。
【０２５３】
上記実施例において、信号集合における、設定信号の所在するシンボルを含む全ての連続した第２所定数量のシンボルにおける信号を、ＳＳＢの内容とマッチングを行う。マッチングに成功した、連続した第２所定数量のシンボルにおける信号の数が１つである場合、マッチングに成功した、連続した第２所定数量のシンボルを位置情報とする。マッチングに成功した、連続した第２所定数量のシンボルにおける信号の数が複数である場合、信号集合の最後のシンボルから、連続した第２所定数量のシンボルずつを１グループとし、設定信号の所在するシンボルを含むグループに対応するシンボルを位置情報とする。実現方式が簡単であり、位置情報決定の正確率が高い。
【０２５４】
図２２は、一例示的な実施例によるもう１つのランダムアクセス装置を示すブロック図である。図２２に示すように、上記図１７に示す実施例を基礎として、検出サブモジュール１５１７は、以下を備えてもよい。
【０２５５】
検出ユニット１５１７１は、ＳＳＢにおけるターゲット信号に対して検出を行い、ターゲット信号の所在位置を得るように構成される。
【０２５６】
取得ユニット１５１７２は、検出ユニット１５１７１により得られたターゲット信号の所在位置に基づいて、ＳＳＢにおける全ての信号を取得するように構成される。
【０２５７】
上記実施例において、ＳＳＢにおけるターゲット信号に対して検出を行い、ターゲット信号の所在位置を取得する。取得されたターゲット信号の所在位置に基づいて、ＳＳＢにおける全ての信号を取得する。これにより、後続のＳＳＢインデックスの取得に役立つ。
【０２５８】
図２３は、一例示的な実施例によるランダムアクセス設定装置を適用できる装置を示すブロック図である。装置２３００は、基地局として提供されてもよい。図２３に示すように、装置２３００は、処理ユニット２３２２と、無線送信／受信ユニット２３２４と、アンテナユニット２３２６と、無線インタフェースに固有の信号処理部と、を備える。処理ユニット２３２２は、１つ又は複数のプロセッサを更に備えてもよい。
【０２５９】
処理ユニット２３２２における１つのプロセッサは、
複数の同期信号ブロック（ＳＳＢ）をグループ化し、各ＳＳＢグループから、１つのプライマリＳＳＢを選択することと、
ユーザ装置（ＵＥ）に指示情報を送信することであって、指示情報は、送信待ちのＳＳＢグループ内のプライマリＳＳＢを示すためのものである、ことと、
ＵＥに各送信待ちのＳＳＢグループ内の多くとも１つのＳＳＢを送信することと、
ＵＥに、各ランダムアクセス機会（ＲＯ）内のプリアンブル（ｐｒｅａｍｂｌｅ）に対応するＳＳＢ数量及び周波数分割多重（ＦＤＭ）でのＲＯ数量を送信することと、を実行するように構成される。
【０２６０】
例示的な実施例において、命令を記憶し非一時的コンピュータ可読記憶媒体を更に提供する。上記命令は、装置２３００の処理ユニット２３２２により実行され上記ランダムアクセス設定方法を完了する。例えば、非一時的コンピュータ可読記憶媒体はＲＯＭ、ランダムアクセスメモリ（ＲＡＭ）、ＣＤ−ＲＯＭ、磁気テープ、フロッピーディスク、光データ記憶装置等であってもよい。
【０２６１】
図２４は、一例示的な実施例によるランダムアクセス装置を適用できる装置を示すブロック図である。例えば、装置２４００は、携帯電話、コンピュータ、デジタル放送端末、メッセージング装置、ゲームコンソール、タブレットデバイス、医療機器、フィットネス機器、パーソナルデジタルアシスタントなどのユーザ装置であってもよい。
【０２６２】
図２４に示すように、装置２４００は、処理ユニット２４０２、メモリ２４０４、電源ユニット２４０６、マルチメディアユニット２４０８、オーディオユニット２４１０、入力／出力（Ｉ／Ｏ）インタフェース２４１２、センサユニット２４１４及び通信ユニット２４１６のうちの１つ又は複数を備えてもよい。
【０２６３】
処理ユニット２４０２は一般的には、装置２４００の全体操作を制御する。例えば、表示、通話呼、データ通信、カメラ操作及び記録操作に関連する操作を制御する。処理ユニット２４０２は、指令を実行するための１つ又は複数のプロセッサ２４２０を備えてもよい。それにより上記方法の全て又は一部のステップを実行する。なお、処理ユニット２４０２は、他のユニットとのインタラクションのために、１つ又は複数のモジュールを備えてもよい。例えば、処理ユニット２４０２はマルチメディアモジュールを備えることで、マルチメディアユニット２４０８と処理ユニット２４０２とのインタラクションに寄与する。
【０２６４】
処理ユニット２４０２における１つのプロセッサ２４２０は、
基地局から送信された同期信号ブロック（ＳＳＢ）を受信して検出することと、
検出されたＳＳＢに対応するＳＳＢグループ内のプライマリＳＳＢを決定することと、
基地局から送信された指示情報を受信し、前記指示情報に基づいて、前記基地局の送信待ちのＳＳＢを決定することと、
基地局から送信された各ランダムアクセス機会（ＲＯ）内のプリアンブル（ｐｒｅａｍｂｌｅ）に対応するＳＳＢ数量及び周波数分割多重（ＦＤＭ）でのＲＯ数量を受信し、基地局の送信待ちのＳＳＢ、プライマリＳＳＢの基地局の送信待ちのＳＳＢにおける位置、各ＲＯ内のｐｒｅａｍｂｌｅに対応するＳＳＢ数量及びＦＤＭでのＲＯ数量に基づいて、プライマリＳＳＢに対応するＲＯ及びｐｒｅａｍｂｌｅを決定することと、
決定されたＲＯで、基地局に、対応するｐｒｅａｍｂｌｅを送信し、基地局へのランダムアクセスを実現することと、を実行するように構成される。
【０２６５】
メモリ２４０４は、各種のデータを記憶することで装置２４００における操作をサポートするように構成される。これらのデータの例として、装置２４００上で操作れる如何なるアプリケーション又は方法の命令、連絡先データ、電話帳データ、メッセージ、イメージ、ビデオ等を含む。メモリ２４０４は任意のタイプの揮発性または不揮発性記憶装置、あるいはこれらの組み合わせにより実現される。例えば、スタティックランダムアクセスメモリ（ＳＲＡＭ）、電気的消去可能なプログラマブル読み出し専用メモリ（ＥＥＰＲＯＭ）、電気的に消去可能なプログラマブル読出し専用メモリ（ＥＰＲＯＭ）、プログラマブル読出し専用メモリ（ＰＲＯＭ）、読出し専用メモリ（ＲＯＭ）、磁気メモリ、フラッシュメモリ、磁気もしくは光ディスクを含む。
【０２６６】
電源ユニット２４０６は装置２４００の様々なユニットに電力を提供する。電源ユニット２４０６は、電源管理システム、１つ又は複数の電源、及び装置２４００のための電力生成、管理、分配に関連する他のユニットを備えてもよい。
【０２６７】
マルチメディアユニット２４０８は、上記装置２４００とユーザとの間に出力インタフェースを提供するためのスクリーンを備える。幾つかの実施例において、スクリーンは、液晶ディスプレイ（ＬＣＤ）及びタッチパネル（ＴＰ）を含む。スクリーンは、タッチパネルを含むと、タッチパネルとして実現され、ユーザからの入力信号を受信する。タッチパネルは、タッチ、スライド及びパネル上のジェスチャを感知する１つ又は複数のタッチセンサを備える。上記タッチセンサは、タッチ又はスライド動作の境界を感知するだけでなく、上記タッチ又はスライド操作に関連する持続時間及び圧力を検出することもできる。幾つかの実施例において、マルチメディアユニット２４０８は、フロントカメラ及び／又はリアカメラを備える。装置２４００が、撮影モード又は映像モードのような操作モードであれば、フロントカメラ及び／又はリアカメラは外部からのマルチメディアデータを受信することができる。各フロントカメラ及びリアカメラは固定した光学レンズシステム又は焦点及び光学ズーム能力を持つものであってもよい。
【０２６８】
オーディオユニット２４１０は、オーディオ信号を出力／入力するように構成される。例えば、オーディオユニット２４１０は、マイクロホン（ＭＩＣ）を備える。装置２４００が、通話モード、記録モード及び音声識別モードのような操作モードであれば、マイクロホンは、外部からのオーディオ信号を受信するように構成される。受信したオーディオ信号を更にメモリ２４０４に記憶するか、又は通信ユニット２４１６を経由して送信することができる。幾つかの実施例において、オーディオユニット２４１０は、オーディオ信号を出力するように構成されるスピーカーを更に備える。
【０２６９】
Ｉ／Ｏインタフェース２４１２は、処理ユニット２４０２と周辺インタフェースモジュールとの間のインタフェースを提供する。上記周辺インタフェースモジュールは、キーボード、クリックホイール、ボタン等であってもよい。これらのボタンは、ホームボダン、ボリュームボタン、スタートボタン及びロックボタンを含むが、これらに限定されない。
【０２７０】
センサユニット２４１４は、１つ又は複数のセンサを備え、装置２４００のために様々な状態の評価を行うように構成される。例えば、センサユニット２４１４は、装置２４００のオン／オフ状態、ユニットの相対的な位置決めを検出することができる。例えば、上記ユニットが装置２４００のディスプレイ及びキーパッドである。センサユニット２４１４は装置２４００又は装置２４００における１つのユニットの位置の変化、ユーザと装置２４００との接触の有無、装置２４００の方位又は加速／減速及び装置２４００の温度の変動を検出することもできる。センサユニット２４１４は近接センサを備えてもよく、いかなる物理的接触もない場合に周囲の物体の存在を検出するように構成される。センサユニット２４１４は、ＣＭＯＳ又はＣＣＤ画像センサのような光センサを備えてもよく、結像に適用されるように構成される。幾つかの実施例において、該センサユニット２４１４は、加速度センサ、ジャイロセンサ、磁気センサ、圧力センサ又は温度センサを備えてもよい。
【０２７１】
通信ユニット２４１６は、装置２４００と他の機器との有線又は無線方式の通信に寄与するように構成される。装置２４００は、ＷｉＦｉ、２Ｇ又は３Ｇ、４Ｇ  ＬＴＥ、５Ｇ  ＮＲ又はそれらの組み合わせのような通信規格に基づいた無線ネットワークにアクセスできる。一例示的な実施例において、通信ユニット２４１６は放送チャネルを経由して外部放送チャネル管理システムからの放送信号又は放送関連する情報を受信する。一例示的な実施例において、上記通信ユニット２４１６は、近接場通信（ＮＦＣ）モジュールを更に備えることで近距離通信を促進する。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術及び他の技術に基づいて実現される。
【０２７２】
例示的な実施例において、装置２４００は、１つ又は複数の特定用途向け集積回路（ＡＳＩＣ）、デジタル信号プロセッサ（ＤＳＰ）、デジタル信号処理機器（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又は他の電子素子により実現され、上記方法を実行するように構成されてもよい。
【０２７３】
例示的な実施例において、命令を記憶したメモリ２４０４のような非一時的コンピュータ可読記憶媒体を更に提供する。上記命令は、装置２４００のプロセッサ２４２０により実行され上記方法を完了する。例えば、前記非一時的コンピュータ可読記憶媒体はＲＯＭ、ランダムアクセスメモリ（ＲＡＭ）、ＣＤ−ＲＯＭ、磁気テープ、フロッピーディスク、光データ記憶装置等であってもよい。
【０２７４】
装置実施例について言えば、基本的に方法の実施例に対応するため、関連するところは方法の実施例の部分的な説明を参考にすることができる。以上に記述した装置の実施例は例示的なものに過ぎず、別体の部品として記述したモジュールは、物理的に分離したものであっても、でなくてもよい。モジュールとして示した部品は、物理的に分離したモジュールであっても、でなくてもよい。即ち、一箇所に位置してもよいし、複数のネットワークモジュールに分布してもよい。実際の需要に応じて、一部又は全部のモジュールを選択して本発明の実施例の目的を実現させることができる。当業者は創造的な労力を要することなく、理解して実施することができる。
【０２７５】
本発明の実施例では、用語である第１、第２等のような関係語は、１つのエンティティ又は操作を他のエンティティ又は操作と区別するためのものに過ぎず、これらのエンティティ又は操作同士で如何なるこのような実際の関係又は順番が存在することを要求又は示唆するものではない。用語「含む」、「備える」、またはそれらの他のいずれかの変形は、非排他的包含を包括するように意図される。従って、一連の要素を含むプロセス、方法、品目又は装置は、これらの要素を含むだけでなく、明確に列挙されていない他の要素も含み、又は、このようなプロセス、方法、品目又は装置に固有の要素も含む。更なる限定が存在しない場合、“・・・を含む”なる文章によって規定される要素は、該要素を有するプロセス、方法、品目又は装置内に、同じ要素が更に存在することを排除しない。
【０２７６】
当業者は明細書を検討し、ここで開示した発明を実践した後、本発明のその他の実施方案を容易に思いつくことができる。本発明の実施例は、本発明の実施例のいかなる変形、用途、又は適応的な変化を含むことを目的としており、いかなる変形、用途、又は適応的な変化は、本発明の一般原理に基づいて、且つ本発明の実施例において公開されていない本技術分野においての公知常識又は慣用技術手段を含む。明細書及び実施例は、例示的なものを開示しており、本発明の保護範囲と主旨は、特許請求の範囲に記述される。
【０２７７】
本発明の実施例は、上記で説明した、また図面において示した精確な構造に限定されず、その範囲を逸脱しない前提のもとで種々の変更及び修正を行うことができることを理解すべきである。本発明の実施例の範囲は付された特許請求の範囲によってのみ限定される。
【手続補正２】
【補正対象書類名】特許請求の範囲
【補正対象項目名】全文
【補正方法】変更
【補正の内容】
【特許請求の範囲】
【請求項１】
ランダムアクセス設定方法であって、基地局に適用され、
複数の同期信号ブロック（ＳＳＢ）をグループ化し、各ＳＳＢグループから、１つのプライマリＳＳＢを選択することと、
ユーザ装置（ＵＥ）に指示情報を送信することであって、前記指示情報は、送信待ちのＳＳＢグループ内のプライマリＳＳＢを示すためのものである、ことと、
前記ＵＥに各送信待ちのＳＳＢグループ内の多くとも１つのＳＳＢを送信することと、
前記ＵＥに、各ランダムアクセス機会（ＲＯ）内のプリアンブル（ｐｒｅａｍｂｌｅ）に対応するＳＳＢ数量及び周波数分割多重（ＦＤＭ）でのＲＯ数量を送信することと、を含む、ランダムアクセス設定方法。
【請求項２】
前記方法は、
複数の同期信号ブロック（ＳＳＢ）をグループ化し、各ＳＳＢグループから、１つのプライマリＳＳＢを選択する前に、グループ化ルール及びプライマリＳＳＢ選択ルールをデフォルト設定すること、又は、
グループ化ルール及びプライマリＳＳＢ選択ルールを決定し、ＵＥに前記グループ化ルール及び前記プライマリＳＳＢ選択ルールを送信することを更に含むことを特徴とする
請求項１に記載の方法。
【請求項３】
前記方法は、
複数の同期信号ブロック（ＳＳＢ）をグループ化する前に、前記複数のＳＳＢから、少なくとも１つのＳＳＢを選択してターゲットＳＳＢとし、各ターゲットＳＳＢの複数の送信可能位置を得ることを更に含むことを特徴とする
請求項１に記載の方法。
【請求項４】
各ターゲットＳＳＢの複数の送信可能位置を得ることは、
各ターゲットＳＳＢインデックスを決定するための設定信号の所在位置に基づいて、前記各ターゲットＳＳＢに含まれる、前記設定信号以外の他の信号に対して、シンボルレベルの循環シフトを行い、前記各ターゲットＳＳＢの複数の送信可能位置を得ることであって、前記設定信号の、前記複数の送信可能位置における位置と前記ターゲットＳＳＢにおける位置は、同じである、ことを含み、
複数のＳＳＢをグループ化することは、
前記各ターゲットＳＳＢ及び循環シフトした後に得られた複数の送信可能位置に対応する複数のＳＳＢを１グループとすることを含むことを特徴とする
請求項３に記載の方法。
【請求項５】
各ターゲットＳＳＢの複数の送信可能位置を得ることは、
各ターゲットＳＳＢの位置に基づいて、前記各ターゲットＳＳＢに含まれる信号を全体シフトし、前記各ターゲットＳＳＢの複数の送信可能位置を得ることを含み、
複数のＳＳＢをグループ化することは、
前記各ターゲットＳＳＢ及び全体シフトした後に得られた複数の送信可能位置に対応する複数のＳＳＢを１グループとすることを含むことを特徴とする
請求項３に記載の方法。
【請求項６】
前記ＵＥに、各送信待ちのＳＳＢグループ内の多くとも１つのＳＳＢを送信することは、
前記各送信待ちのＳＳＢグループ内の一番目のＳＳＢを現在のＳＳＢとすることと、
前記現在のＳＳＢの送信位置の前にチャネル検出を行うことと、
チャネルがアイドルであれば、前記現在のＳＳＢを送信することと、
チャネルがビジーであれば、前記現在のＳＳＢの次のＳＳＢを現在のＳＳＢとし、前記現在のＳＳＢの送信位置の前のチャネル検出を引き続き実行し、１つのＳＳＢの送信に成功するまで継続するか、又は送信待ちのＳＳＢグループ内の全てのＳＳＢの送信位置の前のチャネルがいずれもビジーであることを検出するまで継続することと、を含むことを特徴とする
請求項１に記載の方法。
【請求項７】
前記グループ化ルールは、ビーム数、前記複数のＳＳＢの数量、前記複数のＳＳＢの時間領域位置分布情報、ウィンドウサイズ及びチャネル条件のうちの１つ又は複数を含むことを特徴とする
請求項２に記載の方法。
【請求項８】
ランダムアクセス方法であって、ユーザ装置（ＵＥ）に適用され、
基地局から送信された同期信号ブロック（ＳＳＢ）を受信して検出することと、
検出されたＳＳＢに対応するＳＳＢグループ内のプライマリＳＳＢを決定することと、
前記基地局から送信された指示情報を受信し、前記指示情報に基づいて、前記基地局の送信待ちのＳＳＢを決定することと、
前記基地局から送信された各ランダムアクセス機会（ＲＯ）内のプリアンブル（ｐｒｅａｍｂｌｅ）に対応するＳＳＢ数量及び周波数分割多重（ＦＤＭ）でのＲＯ数量を受信し、前記基地局の送信待ちのＳＳＢ、前記プライマリＳＳＢの前記基地局の送信待ちのＳＳＢにおける位置、各ＲＯ内のｐｒｅａｍｂｌｅに対応するＳＳＢ数量及びＦＤＭでのＲＯ数量に基づいて、前記プライマリＳＳＢに対応するＲＯ及びｐｒｅａｍｂｌｅを決定することと、
決定されたＲＯで、前記基地局に、対応するｐｒｅａｍｂｌｅを送信し、基地局へのランダムアクセスを実現することと、を含む、ランダムアクセス方法。
【請求項９】
基地局から送信されたＳＳＢを受信して検出することは、
基地局から送信されたＳＳＢを受信することと、
前記ＳＳＢにおける、ＳＳＢインデックスを決定するための設定信号に対して検出を行い、前記設定信号の所在位置を得ることと、
前記設定信号の所在位置に基づいて、所定時間窓の信号集合を取得することと、
前記信号集合に基づいて、前記ＳＳＢに属する位置情報を決定することと、
前記位置情報に基づいて、前記ＳＳＢのインデックスを決定することと、を含むことを特徴とする
請求項８に記載の方法。
【請求項１０】
基地局から送信されたＳＳＢを受信して検出することは、
基地局から送信された前記ＳＳＢを受信することと、
前記ＳＳＢにおけるターゲット信号に対して検出を行い、前記ＳＳＢにおける全ての信号を得ることと、
前記ＳＳＢにおける全ての信号を復調し、前記ＳＳＢに対応するＳＳＢインデックスを得ることと、含むことを特徴とする
請求項８に記載の方法。
【請求項１１】
検出されたＳＳＢに対応するＳＳＢグループ内のプライマリＳＳＢを決定することは、
グループ化ルールに基づいて、検出されたＳＳＢに対応するＳＳＢグループを決定することと、
プライマリＳＳＢ選択ルールに基づいて、前記ＳＳＢグループ内のプライマリＳＳＢを決定することと、を含むことを特徴とする
請求項８に記載の方法。
【請求項１２】
前記方法は、
前記グループ化ルール及び前記プライマリＳＳＢ選択ルールをデフォルト設定すること、又は、
基地局から送信された前記グループ化ルール及び前記プライマリＳＳＢ選択ルールを受信することを更に含むことを特徴とする
請求項１１に記載の方法。
【請求項１３】
前記設定信号の所在位置に基づいて、所定時間窓の信号集合を取得することは、
前記設定信号が所在するシンボルの前又は後ろのシンボルを現在のシンボルとして決定することと、
前記設定信号及び現在のシンボル上の信号がＳＳＢの内容とマッチングするかどうかを判定することであって、前記ＳＳＢの内容は、循環シフト前のＳＳＢの内容及び循環シフト後のＳＳＢの内容を含む、ことと、
マッチングすれば、前記現在のシンボル上の信号を前記信号集合に追加し、前記現在のシンボルの総数を統計し、前記総数が第１所定数量に達していない場合、前記現在のシンボル及びその前のシンボル又は前記現在のシンボル及びその後ろのシンボルを前記現在のシンボルとし、現在のシンボル上の信号及び前記設定信号がＳＳＢの内容とマッチングするかどうかを判定するという操作を繰り返して実行し、前記総数が前記第１所定数量に達するまで継続することと、
マッチングしなければ、現在前記信号集合に追加されたシンボルの前のシンボルの検出、又は現在前記信号集合に追加されたシンボルの後ろのシンボルの検出を終止することと、を含むことを特徴とする
請求項９に記載の方法。
【請求項１４】
前記信号集合に基づいて、前記ＳＳＢに属する位置情報を決定することは、
前記信号集合における、前記設定信号の所在するシンボルを含む全ての連続した第２所定数量のシンボルにおける信号を、ＳＳＢの内容とマッチングを行うことであって、前記ＳＳＢの内容は、循環シフト前のＳＳＢの内容及び循環シフト後のＳＳＢの内容を含む、ことと、
マッチングに成功した、連続した第２所定数量のシンボルにおける信号の数が１つであれば、マッチングに成功した、連続した第２所定数量のシンボルを前記位置情報とすることと、
マッチングに成功した、連続した第２所定数量のシンボルにおける信号の数が複数であれば、前記信号集合の最後のシンボルから、連続した第２所定数量のシンボルずつを１グループとし、前記設定信号の所在するシンボルを含むグループに対応するシンボルを前記位置情報とすることと、を含むことを特徴とする
請求項１３に記載の方法。
【請求項１５】
前記ＳＳＢにおけるターゲット信号に対して検出を行い、前記ＳＳＢにおける全ての信号を得ることは、
前記ＳＳＢにおけるターゲット信号に対して検出を行い、前記ターゲット信号の所在位置を得ることと、
前記ターゲット信号の所在位置に基づいて、前記ＳＳＢにおける全ての信号を取得することと、を含むことを特徴とする
請求項１０に記載の方法。
【請求項１６】
基地局であって、
プロセッサと、
プロセッサによる実行可能な命令を記憶するためのメモリとを備え、
前記プロセッサは、
複数の同期信号ブロック（ＳＳＢ）をグループ化し、各ＳＳＢグループから、１つのプライマリＳＳＢを選択することと、
ユーザ装置（ＵＥ）に指示情報を送信することであって、前記指示情報は、送信待ちのＳＳＢグループ内のプライマリＳＳＢを示すためのものである、ことと、
前記ＵＥに各送信待ちのＳＳＢグループ内の多くとも１つのＳＳＢを送信することと、
前記ＵＥに、各ランダムアクセス機会（ＲＯ）内のプリアンブル（ｐｒｅａｍｂｌｅ）に対応するＳＳＢ数量及び周波数分割多重（ＦＤＭ）でのＲＯ数量を送信することと、を実行するように構成される、基地局。
【請求項１７】
ユーザ装置であって、
プロセッサと、
プロセッサによる実行可能な命令を記憶するためのメモリとを備え、
前記プロセッサは、
基地局から送信された同期信号ブロック（ＳＳＢ）を受信して検出することと、
検出されたＳＳＢに対応するＳＳＢグループ内のプライマリＳＳＢを決定することと、
前記基地局から送信された指示情報を受信し、前記指示情報に基づいて、前記基地局の送信待ちのＳＳＢを決定することと、
前記基地局から送信された各ランダムアクセス機会（ＲＯ）内のプリアンブル（ｐｒｅａｍｂｌｅ）に対応するＳＳＢ数量及び周波数分割多重（ＦＤＭ）でのＲＯ数量を受信し、前記基地局の送信待ちのＳＳＢ、前記プライマリＳＳＢの前記基地局の送信待ちのＳＳＢにおける位置、各ＲＯ内のｐｒｅａｍｂｌｅに対応するＳＳＢ数量及びＦＤＭでのＲＯ数量に基づいて、前記プライマリＳＳＢに対応するＲＯ及びｐｒｅａｍｂｌｅを決定することと、
決定されたＲＯで、前記基地局に、対応するｐｒｅａｍｂｌｅを送信し、基地局へのランダムアクセスを実現することと、を実行するように構成される、ユーザ装置。
【請求項１８】
コンピュータ可読記憶媒体であって、前記コンピュータ可読記憶媒体に、コンピュータ命令が記憶されており、該命令がプロセッサにより実行される時、プロセッサに、請求項１−７のいずれか一項に記載のランダムアクセス設定方法のステップを実現させる、コンピュータ可読記憶媒体。
【請求項１９】
コンピュータ可読記憶媒体であって、前記コンピュータ可読記憶媒体に、コンピュータ命令が記憶されており、該命令がプロセッサにより実行される時、プロセッサに、請求項８−１５のいずれか一項に記載のランダムアクセス方法のステップを実現させる、コンピュータ可読記憶媒体。
【国際調査報告】
2021531686.tif 000027
2021531686.tif 000028
2021531686.tif 000029
2021531686.tif 000030